(57)【特許請求の範囲】
【請求項１】
電子機器用の筐体であって、
近位端部、遠位端部および互いに対向する一対の側面部によって定義される周囲部によって囲まれる前面および後面と、前記電子機器がフィットして収まり入る空洞を定義する剛性枠と、を備える上側部材と、
脱着可能に前記上側部材に取り付けられるように構成されており、近位端部、遠位端部および互いに対向する一対の側面部によって定義され、前記上側部材の前記周囲部の形状に対応した形状を有する周囲部によって囲まれる前面および後面を有する下側部材と、
前記上側部材の前記前面および後面を定義し、かつ、前記上側部材の前記剛性枠の上側リッジに取り付けられ、前記上側部材の前記近位端部から前記遠位端部まで延びており、かつ、前記上側部材の前記互いに対向する一対の側面部に渡って延びている膜と、
前記下側部材の前記周囲部の上面において前記上側部材の前記剛性枠の下側リッジを受け入れ、前記上側部材および前記下側部材が互いに連結されて前記筐体をシールする際に前記剛性枠の前記下側リッジに接触して圧縮されるパッキンを含むチャネルと、
前記上側部材および前記下側部材の各周囲部に沿って延び、それぞれが、前記チャネル内で前記パッキンが圧縮されるよう、前記上側部材と前記下側部材との連結を維持するために互いに接続される前記チャネル内のクラスプ機構であって、前記下側部材の前記クラスプ機構は前記チャネルの側面において溝を有し、前記上側部材の前記クラスプ機構は前記剛性枠の前記下側リッジから延びるリップを有し、前記リップは前記上側部材と前記下側部材とが互いに連結された際に前記溝に係合する、クラスプ機構と、
を備える筐体。
【請求項２】
前記上側部材の前記剛性枠は少なくとも１つの孔を含む側壁を有する、請求項１に記載の筐体。
【請求項３】
前記下側部材と回転可能に接続されるドアを更に備え、前記ドアは前記剛性枠の前記側壁における前記少なくとも１つの孔を閉じてシールするように適合されている、請求項２に記載の筐体。
【請求項４】
前記ドアはパッキン座を定義する剛性表面を含み、パッキンが前記パッキン座に配置され、前記上側部材の前記剛性枠の前記側壁における前記少なくとも１つの孔をシールするように適合されている、請求項３に記載の筐体。
【請求項５】
前記上側部材の前記剛性枠は表面によって定義される第２の孔を含み、前記表面はシール部材の対応する表面に脱着可能に連結されるように適合されている、請求項２に記載の筐体。
【請求項６】
前記第２の孔の前記表面は前記シール部材の前記表面に脱着可能に連結され、かつ、前記第２の孔の前記表面はネジ切りされた表面であり、前記シール部材の前記表面は、前記第２の孔の前記ネジ切りされた表面に係合するネジ切りされた表面である、請求項５に記載の筐体。
【請求項７】
前記膜の一部は透明であり、前記透明な一部は前記電子機器の画面を覆うように寸法および形状が決められている、請求項１に記載の筐体。
【請求項８】
前記膜の一部は非透明であり、前記膜の前記非透明な一部は光学的に透明な領域を含む、請求項７に記載の筐体。
【請求項９】
前記光学的に透明な領域は、前記電子機器のカメラレンズ部を覆うように配置され、
別の光学的に透明な領域が、前記電子機器の近接センサ部と連携して使用されるように構成される、請求項８に記載の筐体。
【請求項１０】
前記下側部材において定義され、かつ、前記下側部材の前記前面および後面を通って延びるカメラレンズを更に備える、請求項１に記載の筐体。
【請求項１１】
装置であって、
上側部材と下側部材とを備え、
前記上側部材は、
当該上側部材の近位端部、遠位端部および互いに対向する一対の側面部を有する周囲部を定義し、上側リッジ、および第１クラスプ機構を含む下側リッジを有する剛性枠と、
前記上側部材の前面および後面を定義し、かつ、前記上側部材の前記剛性枠の前記上側リッジに取り付けられ、前記近位端部から前記遠位端部まで広がっており、かつ、前記上側部材の前記周囲部の前記互いに対向する一対の側面部に渡って広がる膜と、を備え、
前記下側部材は、
前記上側部材と連結された際に、電子機器を包み込み前記上側部材の前記膜を介して前記電子機器に接触感知式のユーザー入力を許容する筐体を形成すると共にチャネルを備え、
前記チャネルは、
前記下側部材の周囲部の上面において前記上側部材の前記剛性枠の前記下側リッジを受け入れ、前記上側部材および前記下側部材が互いに連結された際に前記上側部材の前記剛性枠の前記下側リッジに接触して圧縮され前記筐体をシールするパッキンを内部に含み、前記チャネル内で前記パッキンが圧縮されるよう、前記上側部材と前記下側部材との連結を保持するために前記第１クラスプ機構と前記チャネル内で接続される第２クラスプ機構を更に含む、装置。
【請求項１２】
前記上側部材の前記剛性枠は当該剛性枠の側壁において少なくとも１つの孔を含む、請求項１１に記載の装置。
【請求項１３】
前記筐体に回転可能に接続されるドアを更に備え、前記ドアは前記剛性枠の前記側壁における前記少なくとも１つの孔を閉じてシールするように適合されている、請求項１２に記載の装置。
【請求項１４】
前記ドアはパッキン座を定義する剛性表面を含み、パッキンが前記パッキン座に配置され、前記上側部材の前記剛性枠の前記側壁における前記少なくとも１つの孔をシールするように適合されている、請求項１３に記載の装置。
【請求項１５】
前記下側部材の前記第２クラスプ機構は前記チャネルの側面において溝を含み、かつ、前記上側部材の前記第１クラスプ機構は前記上側部材の前記剛性枠の前記下側リッジから延びるリップを含み、前記上側部材と前記下側部材とが連結された際に前記リップは前記溝に係合するように適合されている、請求項１１に記載の装置。
【請求項１６】
前記膜の少なくとも一部は透明であり、かつ、前記膜の一部は非透明であり、前記膜の前記非透明な一部は少なくとも１つの透明レンズを含む、請求項１１に記載の装置。
【請求項１７】
電子機器を収容する装置であって、
下側部材と上側部材とを備え、
前記下側部材は、
少なくとも１つのレンズが形成される前面および後面を備え、かつ、近位端部、遠位端部および互いに対向する一対の側面部によって定義される周囲部によって囲まれており、前記周囲部は内側周囲部および外側周囲部により形成されるチャネルを有し、前記チャネルは前記チャネル内に配置された圧縮可能なパッキンを含み、
前記上側部材は、
前記電子機器の外側周囲および前記下側部材の前記周囲部に対応する剛性枠により定義される内側周囲を有し、前記剛性枠は前記下側部材の前記チャネル内における留めと、前記パッキンに対するシールに適合したリッジまで延びており、更に複数のシールされたボタン、複数のシール可能な孔および前記リッジと反対側の前記剛性枠を覆い、透明の領域を有する膜を含む、装置。
【請求項１８】
前記上側部材は、前記剛性枠の外側部の少なくとも一部を覆い、かつ、前記膜の周囲部の少なくとも一部を覆う柔軟部を更に含む、請求項１７に記載の装置。
【請求項１９】
前記下側部材は
前記上側部材の前記複数のシール可能な孔の１つの上でラッチしてシールするように適合されたヒンジ付きドアを含む、請求項１７に記載の装置。
【請求項２０】
前記上側部材の前記複数の孔の１つをシールするように適合された脱着可能なシール部材を更に備える、請求項１７に記載の装置。
【発明の詳細な説明】
【技術分野】
【０００１】
関連出願の相互参照
本願は、２０１０年１０月１２日出願の米国仮出願第６１／３９２，３６１号、２０１１年２月１７日出願の米国仮出願第６１／４４４，０８５号および２０１１年４月１日出願の米国仮出願第６１／４７１，０５８号に基づく優先権を主張する。本段落に引用する各出願の開示内容の全体を本願に援用する。
【０００２】
本願は、広義には、雨露、不用意な取り扱い、および／または、他の不用意な扱いから保護する必要がある物品などの１つ以上の物品を保護する筐体に関する。例えば、ある局面において、本願は、例えばタッチスクリーンインターフェースを有する電子機器（コンピュータ、デジタルタブレットコンピュータ、携帯電話、ＰＤＡ、ビデオレコーダー、カメラ、等、または、上記のようにその１つ以上の部品を含むがこれらに限定はされない）などの電子機器のような機器の１つ以上の部品または機器そのものを保護する筐体に関する。さらなる局面において、本願は、非電子機器を保護する筐体に関する。
【背景技術】
【０００３】
雨、汚れ、塵埃、泥、雪、および水は、そのあらゆる形態において、様々な物品にとって損傷を与えるものであり得る。さらに、壊れやすいあるいは壊れ得る物品は、落とされるなど、不用意な扱い、および／または、他の不適切な取り扱いによって損傷を受け得る。従って、保護が必要な物品を中に格納して、それにより、過酷な条件、不用意な扱い、および／または、不適切な取り扱いから保護する事ができる筐体があれば有用である。そのような保護が必要な物品の種類は、電子機器、および／または、その部品、貴重品、痛みやすい物、等である。
【０００４】
電子機器に関して、そのような機器は周知であり広く使用されている。例えば、携帯電話またはタブレットコンピュータは、人々が、既存の電話固定回線またはインターネット接続の無い外出先でも互いにコミュニケーションをとる事を可能にする便利なツールである電子機器である。例えば、モバイル機器は、人々が、音声、テキストメッセージ、ショートメッセージサービス（ＳＭＳ）、インスタントメッセージ（ＩＭ）、等を介してコミュニケーションをとる事を可能にする。他のそのようなポータブル機器には、コンピュータ、ＰＤＡ、電子デジタルリーダー、電子ゲーム機器、ビデオレコーダー、カメラ、等がある。これらの機器は、ポータブルで便利であるかもしれないが、欠点もある。例えば、それらはしばしば高価であり、壊れやすい電子部品を含み、そのせいで過酷な天候、および／または、不用意な取り扱いによって損傷を受けやすくなっている。
【０００５】
従って、過酷な天候、および／または、誤った扱い、および／または、水などの流体、汚れ、塵埃、泥、雪、等に接触する事で生じ得る他の損傷からポータブル機器（例えば、電子機器、および／または、その部品）のような物品を保護し得る機構が当該分野において必要とされている。本願は、不利な環境条件、過酷な天候、不用意な取り扱い、および／または、水などの流体に接触する事などによる損傷から機器を保護するように、機器、および／または、その部品などの物品を格納または収容する装置およびシステム、ならびに、それを使用する方法に関する。そのためのシステムも提供される。
【発明の概要】
【０００６】
ある局面において、物品を収容する筐体が提供される。物品は、１つ以上の不利な環境条件、過酷な天候、不用意な取り扱い、および／または、水などの流体に接触する事、および／または落下などによる損傷から保護する必要がある任意の物品であり得る。物品は、機器（例えば、電子機器）であり、筐体は、中に電子機器を格納するケースであり、物品は、機器（例えば、電子機器）を構成する単一の部品または複数の部品であり得る。例えば、筐体は、携帯電話またはタブレットコンピュータのような電子機器を中にフィットして収まり入れることができる（嵌入できる）筐体であってもよく、あるいは、筐体は、携帯電話またはタブレットコンピュータの部品を収容する実際の筐体であってもよい。筐体は、物品を格納し、例えば、不利な環境条件および／または乱暴な扱いから保護する事が可能である限り、あらゆる好適なサイズおよび寸法であり得る。
【０００７】
他の事例において、物品は電子機器でなくてもよく、代わりに、織物のような作製物、機械工具または器具のような製造物、自然物、合成物、化学物または生物学物、加工物、痛みやすい物、貴重品等であり得る。筐体は、特定の物品を収納するために当該分野において公知であり使用されているあらゆる典型的な容器の形態であり得る。例えば、容器は、開閉可能に構成されたカーゴまたは輸送用コンテナ、スーツケース、ブリーフケース、メッセンジャー容器、食べ物または飲み物用容器、薬用容器、救急箱、保冷容器、加熱容器、あるいは、単数または複数の物品を収納し、環境的要因および／または不用意な取り扱いによる損傷から保護するための他のあらゆる形態の容器であり得る。
【０００８】
上記のように、特定の実施形態において、収納する物品は、携帯電話、デジタルアシスタント、コンピュータ、タブレットコンピュータ、音楽プレーヤー、ＧＰＳ機器等のような電子機器であり、筐体はその電子機器を保護するように構成されている。特定の実施形態において、収納する物品は、電話機能、コンピュータ機能および／または撮影機能のような特定の機能を果たすように協働して機能するように構成された電子部品のような１つ以上の（例えば、複数の）電子部品であり、筐体は、これら物品の電子部品を収納し、また、それらを保護すると共にその電子機器の機能を果たす助けとなるように構成されている。例えば、電子機器が携帯電話、デジタルアシスタント、コンピュータ等である場合、上記部品は、機器内に収納されて、機器を適切に機能させる部品であり得る。従って、筐体は、典型的にはこれらの部品を格納する携帯電話、デジタルアシスタント、コンピュータ等の実際の筐体であって、ここに記載するように防液および／または耐衝撃となるように下記のようにして改変された筐体であり得る。
【０００９】
ある局面において、容器は、電子機器（例えば、携帯電話、音楽プレーヤー、ＧＰＳ機器等）のような機器を収納するように構成されている。このような事例において、容器は筐体を含み、筐体は、機器（例えば、携帯電話、音楽プレーヤー、ＧＰＳ機器等）を格納するように適合化されている。下記の説明は、特定の機器、即ち、携帯電話機器を格納するための特定の容器の形状およびサイズに関してなされるが、収納される容器および／または物品（例えば、機器）の形状およびサイズが、例えば上記のように様々であり得る事は言うまでもない。従って、ある事例において、電子機器のような機器を格納する筐体が提供される。
【００１０】
筐体は、機器を筐体に嵌入して、それにより、例えば雨、汚れ、塵埃、泥、雪、水、衝撃等から保護し得るように構成されている。特定の事例において、筐体は、脱着可能に連結されて（取り付けられて）筐体を形成し得る上側部材および下側部材を含んでいてもよい。特定の事例において、上側および下側部材は、様々な実施形態においてカチッと嵌める事などにより分離可能に連結される別々の部品である。他の事例において、上側および下側部材は、ヒンジ部材などを設ける事なく、それにより形成される空洞内に機器が嵌入し得るように折り畳めるようにされた単一の部材で構成されている。他の事例において、上側および下側部材は、ヒンジ部品を介して互いに連結されるように構成された単数または複数の部材で構成されていてもよい。
【００１１】
筐体の上側および下側部材のそれぞれは、周囲部によって囲まれる前面および後面を含む。周囲部は、近位および遠位端部ならびに互いに対向する複数（一対）の側面部によって規定される。周囲部は、以下に記載の内側および外側周囲部のような複数の周囲部を含んでいてもよい。
【００１２】
様々な実施形態において、筐体の上側および／または下側部材は、クラスプ機構（ｃｌａｓｐｉｎｇ  ｍｅｃｈａｎｉｓｍ：留め機構）を含んでいてもよい。例えば、上側および下側部材は、上側および／または下側部材の周囲の少なくとも一部に沿って延びる各クラスプ機構を含んでいてもよく、これらのクラスプ機構は、筐体の上側および下側部材を互いに連結して（結合して又は合体して又は取り付けて）、それにより、筐体をシールするように、互いに当接する（ｉｎｔｅｒｆａｃｉｎｇ  ｗｉｔｈ：接続する）ように構成されている。特定の実施形態において、クラスプ機構は、筐体の周囲部全体を取り囲む。他の実施形態において、クラスプ機構は、筐体の周囲部に沿って配置はされているが、周囲部全体を取り囲んではいない。特定の実施形態において、クラスプ機構は、複数のクラスプ機構を含み、その１つ以上が上側および下側部材の全周囲を取り囲んでいていても取り囲んでいなくてもよい。
【００１３】
特定の実施形態において、クラスプ機構は完全内包型クラスプ機構である。「完全内包型クラスプ機構」とは、上側および下側部材を互いに連結して（結合して又は合体して又は取り付けて）筐体を形成した時に、クラスプ機構が、完全に、筐体の内部または空洞を形成する境界の内側に収納されているという意味である。
【００１４】
特定の実施形態において、クラスプ機構は完全外部型クラスプ機構である。「完全外部型クラスプ機構」とは、クラスプ機構が、完全に、上側および／または下側部材の外側部上に配置され、上側および下側部材を互いに連結して（結合して又は合体して又は取り付けて）筐体の空洞を形成した時に、クラスプ機構が、筐体の空洞を形成する境界の外側に位置しているという意味である。
【００１５】
特定の実施形態において、クラスプ機構は、筐体の空洞を形成する境界に対して部分的に内側にあり、部分的に外側にあるハイブリッド型クラスプ機構である。従って、特定の事例において、周囲部は、上側および下側部材間のシールを強固にするように構成された内包型、外部型および／またはハイブリッド型クラスプ機構のような１つ以上のクラスプ機構を含んでいてもよい。クラスプ機構は、筐体の周囲部上に追加される別々の要素であってもよいし（例えば、クラスプ機構が外部型クラスプ機構である場合）、筐体の周囲部と一体の部材であってもよい（例えば、クラスプ機構が内包型またはハイブリッド型クラスプ機構である場合）。
【００１６】
特定の実施形態において、クラスプ機構は、１つ以上の内包型および／または１つ以上の外部型および／または１つ以上のハイブリッド型クラスプ機構のような複数のクラスプ機構を含んでいてもよい。例えば、様々な実施形態において、筐体は、複数の内包型クラスプ機構を含んでいてもよく、および／または、１つ以上の外部型および／またはハイブリッド型クラスプ機構を含んでいてもよい。例えば、筐体は、第１の完全内包型クラスプ機構（例えば、筐体の周囲の一部または全部を取り囲む機構）を含んでいてもよいし、第２の完全内包型クラスプ機構（例えば、筐体の周囲の追加的一部または全部を取り囲む第２の内包型クラスプ機構）含んでいてもよい。さらなる外部型またはハイブリッド型クラスプ機構を設けてもよい。
【００１７】
従って、様々な実施形態においては、単一の内包型、外部型またはハイブリッド型クラスプ機構を設けてもよいし、他の様々な実施形態においては、複数のクラスプ機構（例えば、内包型、外部型、および／またはハイブリッド型クラスプ機構）を設けてもよい。例えば、特定の実施形態において、複数の内包型クラスプ機構が設けられる。クラスプ機構は、上側および下側部材を互いに連結した時に、それによって、水のような液体から収容機器またはその部品を保護する防液シールが提供されるように構成されている。
【００１８】
ある実施形態において、上側および下側部材の一方または両方は、上側および／または下側部材の周囲部に沿って延びるチャネル（ｃｈａｎｎｅｌ：溝）のようなチャネルを含んでいてもよい。周囲部に沿ったチャネルは、チャネルの境界を少なくとも部分的に規定する内側境界部材および外側境界部材を含んでいてもよい。よって、そのような実施形態において、周囲部は、内側周囲部（例えば、内側境界部材）、および、外側周囲部（例えば、外側境界部材）を含む。下側境界部材も設けても良い。従って、周囲部は、内側および外側周囲部を含んでいてもよく、特定の事例において、チャネルの内側および外側境界部材は、上側および／または下側部材の内側および外側周囲部と同じである。下側部材の一部は、チャネルの下側境界をも提供し得る。少なくとも１つのチャネルは、そのチャネル内に配置された圧縮性Ｏリングのようなパッキンをさらに含み得る。
【００１９】
特定の実施形態において、上側または下側部材の一方は、チャネル（例えば、内側および外側境界部材によって境界が規定される）を持つ（含む）周囲部を含み、対向部材は、このチャネルと相互作用する（例えば、中に収納されたパッキンを圧縮する）周囲部のような内側周囲部と、このチャネルと相互作用してもしなくてもよい外側周囲部とを含む周囲部をさらに含んでいてもよい。例えば、下側部材は内側、外側および／または下側境界部材によって境界が規定されるチャネルを有する周囲部を含み、上側部材は、その間に介在チャネルが存在しない内側および外側周囲部をも含む周囲部を含んでいてもよく、この周囲部は、下側部材の周囲部の１つ以上と相互作用するように構成されていてもよい。例えば、下側部材の周囲部のチャネルの内側および／または外側境界部材はクラスプ機構を含んでいてもよく、上側部材の対応内側または外側周囲部は対応クラスプ機構を含んでいてもよく、上側および下側部材を互いに連結してクラスプ機構を閉じた（例えば、カチッと嵌めた）時に、それにより、防液シールが提供されるようになるものでもよい。従って、様々な実施形態において、上側および下側部材の内側および／または外側周囲部ならびに内側および／または外側境界部材は、上側および下側部材を、例えば、防液シール状態で互いに連結するように相互作用するように構成されたクラスプ機構（例えば、対応クラスプ機構）を含んでいてもよい。
【００２０】
別の実施形態（例えば、筐体が、インタラクティブスクリーンのようなスクリーンを有する機器を格納するになっている場合）において、筐体の上側および／または下側部材の前面および／または後面は、それぞれ、少なくとも１つ以上の膜を含んでいてもよい。例えば、上側または下側部材は、収容機器のインタラクティブスクリーン（例えば、タッチスクリーン）に当接する（ｉｎｔｅｒｆａｃｉｎｇ  ｗｉｔｈ：接続する）ように構成された膜のような膜を含んでいてもよく、ユーザーが膜にタッチした時に、そのタッチの１つ以上の特性が装着機器のタッチスクリーンに転移され、このようにして、ユーザーが収容機器のスクリーンを操作できるようになっていてもよい。
【００２１】
特定の実施形態において、前側および／または下側表面膜は設けられていない、または、筐体とは別の要素として設けられている。例えば、特定の実施形態において、筐体の上側および／または下側部材は、収容する機器を取り囲む周囲部のみを含み、一方の周囲部から他方の周囲部に亘って延びる上側および／または下側表面要素を含んでいなくてもよい。そのような実施形態において、上側および／または下側部材は、収容する機器の上側および／または下側表面の周囲に当接して、防液および／または耐衝撃シールを提供するように構成されていてもよい。特定の実施形態において、筐体の上側および下側部材は、単一の要素で構成されていてもよいし、別々の要素からなるものでもよい。特定の事例において、上側および下側部材は、上側および／または下側表面膜部材のような、別々の上側および／または下側表面要素と相互作用するように適合化されていてもよい。
【００２２】
例えば、上側および／または下側部材は、上側および下側部材を互いに連結した時に、該連結によって、上側および／または下側部材の表面全体に亘って表面膜を固定するように、表面膜部材と相互作用するように構成されていてもよい。他の実施形態において、上側および／または下側部材は、収容する機器の周囲を取り囲む単一の部材であってもよく、別の表面膜に当接して防液シールを提供するように構成されていてもよい。例えば、表面膜は、収容する機器の一方の周囲から他方の周囲に亘って延びていてもよく、表面膜を機器の表面に強固に接合させる接着剤を含んでいてもよく、周囲部は、機器の周囲周りに嵌り、表面膜接合とは相互作用してもしなくてもよいが、これらは協働して機器を防液且つ耐衝撃とする機能を果たす。特定の実施形態において、周囲部のみ、または前面または後面膜部のみが設けられてもよい。
【００２３】
以下に記載するように、１つ以上の膜またはその一部が、上側または下側部材の前面および／または後面の一部として含まれていてもよく、または、上側および／または下側部材の全体として設けられていても良い。膜は、周囲部を含んでいてもよく、および／または、筐体の周囲部と相互作用してもよい。従って、膜の周囲部は、上側および／または下側部材の内側および／または外側周囲部のような周囲部に当接するように構成されていてもよい。例えば、上側部材の周囲部のような上側および／または下側部材の周囲部は、内側膜当接部材を含む第１のサブ部材（例えば、内側周囲部）のような複数のサブ部材と、例えばオーバーモールド状態で膜の周囲部の前面および後面に当接するように構成された外側膜当接部材を含む第２のサブ部材（例えば、外側周囲部）とを含んでいてもよい。
【００２４】
従って、特定の実施形態において、膜は、例えば上側または下側部材の周囲の一方の側面から周囲の他方の側面に亘って延びるように構成されていてもよく、膜の後面が少なくとも内側周囲部の内側膜当接部材と連接し（ａｓｓｏｃｉａｔｅｓ  ｗｉｔｈ：接し）、膜の前面が少なくとも外側周囲部の外側膜当接部材と連接するようになっていてもよい。
【００２５】
よって、例えば上側部材上に前面膜が設けられるいくつかの実施形態において、筐体内に機器が収容された時に、膜が、電子機器の前面を完全に覆ってもよいし、いくつかの実施形態においては、前面の周囲部のみを覆って電子機器の前面スクリーンのインタラクティブタッチ部を覆わないようにするなど、膜が前面全体未満を覆っていてもよい。このような事例において、膜の周囲部は、上側部材前面膜の周囲部全体を取り囲むパッキンのように、筐体全体の防水性を維持するためのパッキンを含んでいてもよい。
【００２６】
他の実施形態において、前側および／または下側表面膜を設けなくてもよい。代わりに、上側および／または下側部材の周囲部は、収容機器の周囲部を防水および耐衝撃とするように収容機器に当接するように構成されていてもよい。例えば、周囲部は、収容機器の表面の１つ以上に圧接することにより、液体がしみ込むのを防ぐパッキンを含んでいてもよい。１つ以上の他のパッキンを設け、これを、（収容機器上またはその周辺に配置され、それにより、収容機器の様々な異なる音伝達ポートを覆い、それにより、収容機器を完全防水にする）ステッカーとして構成してもよい。そのようなパッキンカバーステッカーは、完全に単体で設けられてもよいし、周囲部と組み合わせて設けられてもよい。
【００２７】
膜（例えば、第１の膜）は、さらなる膜特徴部（例えば、音響膜特徴部および／またはボタン特徴部）のような１つ以上の特徴部を有していてもよい。例えば、第１の膜は、第１の膜の前面から後面に亘って延びる孔を含み得る音響膜特徴部を含んでいてもよい。孔は、第１の膜からオフセットした音響透過性膜のような第２の膜によって覆われていてもよい。音響膜は、スペーサー部材を追加するなど、任意の好適な要素によって第１の膜からオフセットされ得る。従って、好適な接着剤を介して、２つ以上の膜を互いに接合してもよい。
【００２８】
第１の膜は、ボタン特徴部をさらに含んでいてもよい。ボタン特徴部は、凹み領域を含んでいてもよい。凹み領域は、単に、第１の膜における凹み領域であってもよいし、さらなる膜で覆われた切欠領域であってもよい。様々な事例において、凹み領域は、少なくとも部分的にリッジ（ｒｉｄｇｅ：隆起）領域で取り囲まれている。例えば、ある実施形態において、ボタン特徴部の周囲部は、凹み領域を囲む隆起した変形可能な周囲部を含んでいてもよい。隆起した変形可能な周囲部は、ボタン特徴部の凹み領域が一定量移動する事を許可し、凹み領域が押下された時に、隆起部が変形して、それにより、第１の膜を大幅に伸張する事なく凹み領域が移動できるように構成されていてもよい。
【００２９】
第１の膜は、光学的に不透明な領域、および／または、筐体によって格納される装着機器の近接センサまたはビデオカメラ部に合致する光学透過性領域のような光学透過性領域を含んでいてもよい。様々な実施形態において、前面膜は、収容機器のカメラまたはビデオレンズと位置合わせされるように構成される光学レンズを含むように構成されていてもよい。
【００３０】
さらなる実施形態において、周囲部および／または前面膜と共に、下側部材が設けられてもよい。下側部材は、単に周囲部で構成されていてもよいし、一方の周囲部から他方の周囲部に亘って延びる下側表面部材を含んでいてもよい。下側部材は、１つ以上の特徴部を含んでいてもよい。例えば、下側部材は、１つ以上のレンズ（例えば、カメラおよび／またはビデオレンズおよび／またはフラッシュレンズ）を含む特徴部のようなレンズ特徴部を含んでいてもよい。レンズ特徴部は、１つ以上のレンズを囲み、一方のレンズ領域から他方のレンズ領域へと光が透過するのを防ぐスカートのような光学スカート（ｓｋｉｒｔ）をさらに含んでいてもよい。
【００３１】
さらなる事例において、遠位端部のような周囲部は、ラッチ（ｌａｔｃｈ）特徴部（例えば、ポート開口部のような開口部を閉じるラッチ特徴部）を含んでいてもよい。ラッチ特徴部は、下部ラッチインターフェースと、ラッチと、上部ラッチインターフェースとを含んでいてもよく、このラッチは、ラッチが下部および上部ラッチインターフェースの両方と接する閉位置から、ラッチが下部または上部ラッチインターフェースの一方とのみ接する開位置へと移動するように構成されている。特定の事例においては、ラッチ特徴部は上側または下側部材上に全体が配置されていてもよく、他の事例においては、ラッチ特徴部の一部が上側および下側部材の両方に設けられていてもよい。様々な実施形態において、ラッチ特徴部は防液および／または防塵であり、ラッチが閉位置にある時に防液および／または防塵シールを提供するようにパッキンを含んでいてもよい。
【００３２】
別の事例において、遠位または近位周囲端部のような周囲部は、音を伝達する、および／または、音を通す、１つ以上の音響ベント（ｖｅｎｔ：口（くち））特徴部を含んでいてもよい。例えば、音響ベント特徴部は、その中に音響ベント材料が配置された音チャネルを含んでいてもよい。音響ベント材料は、前向きまたは後向きに０から１８０度の角度で音チャネルに亘って延びていてもよい。音チャネルは、音の侵入および出射を許容するように、周囲の外側部から周囲の内側部へと延びていてもよく、音響ベント材料は、水の侵入（または侵出）を防ぐように、音チャネルを（例えば、その中心線に対してある角度で）横断していてもよい。
【００３３】
ある事例において、対向する側面部の一方のような周囲部は、収容機器のスイッチ機構に係合するスイッチ特徴部を含んでいてもよい。スイッチ特徴部は、スイッチ筐体と、スイッチインターフェースを有するアクチュエータとを含んでいてもよい。スイッチ特徴部は、スイッチ筐体および／またはスイッチインターフェースに取り付けられるように構成された軸をさらに含んでいてもよい。スイッチ特徴部は、アクチュエータが、スイッチ筐体内において第１の位置から第２の位置へと軸（設けられている場合）を中心に回転するなど移動する際に、スイッチインターフェースがスイッチを第１の位置から第２の位置へと（「オン」位置から「オフ」位置など）動かすように構成されていてもよい。特定の実施形態において、１つ以上のスイッチまたはボタンを衝突から保護するように、そのスイッチまたはボタンの周りに１つ以上の保護バンパー部が配置されていてもよい。
【００３４】
別の実施形態において、外側周囲部は、筐体の上側部材を筐体の下側部材から取り外すのを助けるためにコインスロット（ｃｏｉｎ  ｓｌｏｔ：コインの差し入れ口）特徴部のようなスロット特徴部を含んでいてもよい。スロット特徴部は、周囲の凹状部分または切欠部を含んでいてもよい。切欠部は、上側および下側部材の一方または両方に配置されていてもよい。従って、切欠部は、上側および／または下側部上に配置されていてもよく、上側および下側部材の一方または両方に配置されて切欠部の境界を規定する１つまたは複数のオーバーハング（ｏｖｅｒｈａｎｇ：張り出し）領域によってさらに境界が規定されている。例えば、ある実施形態において、上側部材は、切欠部を含み、上側および下側部材は共に対応オーバーハング部を含む。スロット内にコインを入れて捻り、それにより、上側部材を下側部材から引き離すことができる。
【００３５】
さらなる実施形態において、外側周囲部は、環境騒音のような騒音を打ち消すのを助けるノイズキャンセル特徴部を含んでいてもよい。ノイズキャンセル特徴部は、（例えば、上側および下側部材の一方または両方に配置された）１つ以上の孔と、音響膜と、音誘導チャネル（ｓｏｕｎｄ  ｇｕｉｄｅ  ｃｈａｎｎｅｌ）とを含んでいてもよい。音誘導チャネルは、筐体の外部から筐体の内部へと横断していてもよく、この孔から、収容された電子機器に設けられたマイクのようなノイズキャンセル特徴部に向かって音を誘導するように構成されていてもよい。音チャネルに音響膜特徴部が交差していてもよく、この音響膜は、その中心線に対してある角度で音誘導チャネルに交差するように配置されていてもよい。特定の実施形態において、音響膜は、気体（例えば、音波）には透過性であるが、液体には透過性ではない。また、特定の実施形態において、ノイズキャンセル特徴部の内側部は、ケース内からの音の伝達（例えば、屈折）が収容機器のノイズキャンセルマイクに侵入してエコーを生じるのを防ぐように適合化された構成を有していてもよい。そのような特徴部は、機器が筐体内に収容された時にノイズキャンセルマイクを取り囲む隆起部を含んでいてもよく、また、これを取り囲むパッキンをさらに含んでいてもよい。
【００３６】
さらなる実施形態において、外側周囲部は、例えば、（ヘッドホンまたはスピーカーアセンブリのジャックのような）ジャックまたは閉塞具等のいずれかを受けるヘッドホンポート特徴部のようなポート特徴部を含んでいてもよい。ポート特徴部は、上側および／または下側部材の一方または両方に配置された孔を含んでいてもよい。孔は、アセンブリの外部からアセンブリの内部へと延びている。孔は、Ｏリングのようなパッキン、および、ネジ切りまたはカム作用領域の一方または両方によって境界が規定されていてもよく、このネジ切りまたはカム作用領域は、挿入されるジャックまたは閉塞具のいずれかに設けられた対応ネジ切りまたはカム作用領域を受けるように構成されていてもよい。ネジ切り領域は、典型的なネジ特徴部として構成されていてもよいし、あるいは、カム特徴部として構成されていてもよい。
【００３７】
ここに記載の主題の１つ以上のバリエーションの詳細を添付図面および以下の説明に示す。
【図面の簡単な説明】
【００３８】
以下、添付図面を参照しながら上記およびその他の局面を具体的に記載する。複数の図面において類似の参照符号は類似の部材を示す。
【００３９】
図１Ａ−１Ｄは、本願の筐体の前面、後面および側面の様々な斜視図である。
【００４０】
図２Ａ−Ｃは、前面上部図および前面下部図を含む、本願の筐体の斜視図である。
【００４１】
図３Ａ−３Ｈは、本願の筐体のラッチ機構の斜視図である。
【００４２】
図３Ｉ−３Ｊは、筐体が前面膜を含まない、本願の筐体の別の実施形態の斜視図である。
【００４３】
図３Ｋ−３Ｍは、本願の筐体の別の実施形態の斜視図である。
【００４４】
図４Ａ−４Ｎは、本願の筐体を封止する際に使用する異なるラッチ機構の様々な側面図である。
【００４５】
図５Ａ−５Ｄは、本願の筐体の上側部材表面膜の様々な図である。
【００４６】
図６Ａ−６Ｅは、本願の筐体の様々な側面切断図であり、上側表面膜と筐体の周囲部との相互作用、ならびに、好適なラッチ機構を示している。
【００４７】
図６Ｆ−６Ｈは、本願の筐体の膜の様々な特徴部の斜視図である。
【００４８】
図７Ａ−７Ｃは、本願の筐体のボタン特徴部および近位部の斜視図である。
【００４９】
図８Ａ−８Ｊは、本願の筐体のレンズ特徴部の様々な図である。
【００５０】
図９Ａ−９Ｋは、本願の筐体の近位端に位置するラッチ特徴部の様々な図である。
【００５１】
図１０Ａ−１０Ｋは、本願の筐体の近位端に位置する音伝達部の様々な図である。
【００５２】
図１０Ｌ−１０Ｍは、図１０Ｋの音響ベントアセンブリの別の拡大断面図である。
【００５３】
図１１Ａ−１１Ｇは、本願の筐体のスイッチおよびボタン特徴部の様々な図である。
【００５４】
図１２Ａ−１２Ｄは、本願の筐体のコインスロット特徴部の様々な図である。
【００５５】
図１３Ａ−１３Ｄは、本願の筐体のノイズキャンセル特徴部の様々な図である。
【００５６】
図１４Ａ−１４Ｄは、本願の筐体の閉塞具を有するアクセサリポート特徴部の様々な図である。
【００５７】
図１５Ａ−１５Ｇは、本願の筐体の閉塞具およびこれに対応して構成されたポート開口部の様々な図である。
【００５８】
図１６Ａ−１６Ｆは、本願の筐体の防水ジャックおよびこれに対応して構成されたポート開口部の様々な図である。
【００５９】
図１７Ａ−１７Ｉは、本願の筐体に使用するアダプタの様々な図である。
【００６０】
図１８Ａ−１８Ｄは、閉塞要素保持具の様々な図である。
【００６１】
図１９Ａ−１９Ｋは、本願の筐体の別の実施形態の様々な図である。
【００６２】
図２０Ａ−２０Ｃは、他の収容要素およびロック要素の斜視図である。
【００６３】
図２１は、本願の筐体を製造する際に使用する治具の斜視図である。
【発明を実施するための形態】
【００６４】
ここに記載する主題は、広義には、物品を収容する筐体に関する。ここでは単数形の「物品」を用いるが、この用語が１つまたは複数の物品を含む事は言うまでもない。１つの物品または複数の物品は、筐体にフィットして収まり入れることができる（嵌入し得る）、および／または、１つまたはそれ以上の不利な環境条件、過酷な天候、不用意な取り扱い、および／または、水のような液体に接触する事による損傷または落下による損傷などの損傷から保護する事が必要なあらゆる物品であり得る。筐体は、物品を格納し、例えば、不利な環境条件および／または乱暴な扱いから保護する事が可能である限り、あらゆる好適なサイズおよび寸法であり得る。物品は、作製物（例えば、織物）、製造物（例えば、電子機器または機械装置）、合成物、自然物、加工物、痛みやすい物（例えば、食品）、貴重品等であり得る。物品は、電子機器のような単一の物品であってもよいし、電子機器を構成する部品などの複数の物品であってもよい。
【００６５】
筐体は、特定の物品を収納するために当該分野において公知であり使用されているあらゆる典型的な容器の形態であり得る。例えば、容器は、開閉可能に構成されたカーゴまたは輸送用コンテナ、スーツケース、ブリーフケース、メッセンジャー容器、料理用容器、薬用容器、救急箱、保冷容器、加熱容器、食べ物または飲み物用容器、あるいは、物品を収納し、環境的要因および／または不用意な取り扱いによる損傷から保護するための他のあらゆる形態の容器であり得る。
【００６６】
特定の実施形態において、筐体は、電子機器、例えば、携帯電話機器などの機器を収容するように構成されたケースであり得る。他の事例において、筐体は、電子機器などの機器の一部であって、その電子機器の様々な部品を収容する筐体である。例えば、筐体は、モバイル機器または他の電子機器の筐体であって、そのモバイル機器（または他の電子機器）の電子部品を収容する筐体であり得る。
【００６７】
従って、様々な局面において、機器などの物品を収容する筐体、その物品、例えば、機器を使用する方法、および／または、そのためのシステムを提供する。例えば、ある特定の実施形態において、電子機器のような機器を収容する筐体を提供する。筐体は、その筐体に機器が嵌入してその機器を液体または衝撃などから保護し得るように構成され得る。筐体は、互いに連結するように設計された上側部材および下側部材のような複数の別々の部材を含んでいてもよく、または、共通部材、例えば、ヒンジ部材によって接合される２つの部材を含んでいてもよく、これらの部材は、収容する物品を覆って液密シールを形成するように互いに合わせられるように設計されている。特定の実施形態において、筐体は、収容する機器を覆って折り畳めるように構成された単一の部材で構成されていてもよく、このような場合、この部材の一部が上側部材を備えていてもよく、この部材の別の一部が下側部材を備えていてもよい。
【００６８】
ここに提供される筐体がもたらす利点がいくつかある。例えば、特定の事例において、本願の筐体は、収容機器またはその部品を保護するための衝撃吸収の手段を提供し得る。特定の事例において、筐体は、収容機器および／またはその部品を保護するための耐液手段を提供するように構成され得る。例えば、様々な事例において、筐体は、耐衝撃および／または防液であり得る。ここに開示する筐体は、装着機器またはその部品の引っ掻き傷、こすれ傷、欠け、破壊、折れ等に対する保護をも提供し得る。特定の事例において、収容機器のユニークな技術的または設計上の特徴を同時に維持しながら、衝撃および／または液体、例えば、水に対する耐性を提供する。様々な事例において、筐体は、装着機器の音伝達品質を高める、例えば、音および／または音質を増幅するように設計されている。いくつかの事例において、これらの利点は、筐体によって、装着機器のサイズおよび／または重量を大幅に増加させる事なく提供される。
【００６９】
例えば、いくつかの実施形態において、筐体の寸法は以下の範囲に収まる。様々な部材の厚さについて、例えば、（例えば、カチッと嵌める事により）互いに連結され得る、または共通ヒンジによって接合し得る別々の個々の部材、あるいは、単一の部材であり得る上側または下側部材の厚さは、約２５．４ｍｍ以下、例えば、２０ｍｍ以下、約１５ｍｍ以下（約１０ｍｍ以下を含む）、例えば、約８ｍｍ、または、約５ｍｍ、約４ｍｍ以下（約３ｍｍまたは約２ｍｍ以下を含む）、例えば、約１．５ｍｍ、または、１．０ｍｍ以下、さらには約０．１ｍｍであり得る。
【００７０】
例えば、収容する機器が携帯電話またはＰＤＡ機器である様々な事例において、上側および／または下側部材の厚さは、例えば、約２．５ｍｍ未満、例えば、約２．０ｍｍ未満、約１．５ｍｍ未満、１ｍｍ厚未満、例えば、約０．１ｍｍ厚であり得る。収容する機器が、モバイルタブレットコンピュータ、電子リーダーまたはビデオディスプレイなどのモバイルコンピュータである場合、上側および／または下側部材の厚さは、約５ｍｍ未満、約４．５ｍｍ、または、約４ｍｍ未満、例えば、３．５ｍｍ未満、あるいは、約３ｍｍ未満、あるいは、２．５ｍｍ未満、例えば、約２．０ｍｍ未満、約１．５ｍｍ未満、例えば、１ｍｍ厚未満、例えば、約０．１ｍｍ厚であり得る。
【００７１】
収納する物品がモバイル電子機器であるような特定の事例において、筐体の上側および／または下側部材の重量は、約５または約４オンス未満、例えば、約４または約３オンス未満、約２オンスまたは約１オンス未満（約２８または約２７グラム未満を含む）であり得る。従って、ある実施形態において、ここに記載の設計上の特徴によって、本願の筐体は、厚さおよび／または重量が上記範囲内しかないにも係わらず、格納機器に耐衝撃性および耐液性を提供する事ができる。
【００７２】
また、特定の事例において、上側または下側部材の長さおよび／または幅は、収容するように設計される装着機器に対して約１０ｍｍ以上長くまたは広くないように、約８ｍｍまたは約５ｍｍ以上長くまたは広くないように、例えば、筐体が収容するように設計される機器に対して約４ｍｍ以上長くまたは広くないように（約３ｍｍまたは約２ｍｍ以上長くまたは広くない場合を含む）し得る。例えば、様々な事例において、上側および／または下側部材の長さおよび／または幅は、筐体が格納するように設計される機器の長さおよび／または幅を超える量が２．５ｍｍ未満、例えば、２．０ｍｍ未満、１．５ｍｍ未満、例えば、１ｍｍ未満であり得る。従って、特定の事例において、本願の筐体は、収納すべき機器にほぼ形状フィットするように構成される。
【００７３】
ある実施形態において、ここに記載の設計上の特徴によって、本願の筐体は、相対長さおよび／または幅が上記範囲内しかないにも係わらず、格納機器に耐衝撃性および耐液性を提供する事ができる。特定の筐体の好適な幅および／または長さを決定するためにいくつかの数式を用いてもよく、従って、装着機器の幅および／または長さｘを決定し、装着機器の寸法に寸法ｙ（上記寸法の１つなど）加えた寸法を有する筐体を提供する事によって容易に確認し得る。具体的には、機器の寸法がｘである場合、筐体の寸法は（ｘ＋ｙ）である（但し、ｙは、上記の寸法の１つであり、例えば、約０．５ｍｍ、約１ｍｍ、約１．５ｍｍ、約２ｍｍ、約２．５ｍｍ、約３ｍｍ、約３．５ｍｍ等だけ格納機器より厚い、広いおよび／または長い）。筐体の好適な長さ、幅または厚さを決定する別の数式は、収容機器に接する筐体の内側から筐体の外側までの距離ｙを計測する（但し、ｙは上記範囲の１つに収まる）事である。
【００７４】
筐体の厚さ、長さおよび／または幅および／または重量が適切なものになるように、機器を筐体に嵌入し、筐体を閉じて、そして、格納機器を実験的に落としたり、および／または、湿潤条件に曝すなどして、耐衝撃性および／または耐液性を与える能力に関して、筐体および／またはそのシールをテストしてもよい。例えば、以下の実施例の項を参照。筐体の厚さ、長さおよび／または幅および／または重量は、収容機器が、落とされたり、および／または、液体、例えば、あらゆる形態の水に曝される事により壊れたり、割れたり、他の損傷を受ける事がないような寸法で提供されるべきである。
【００７５】
なお、特定の事例において、筐体のサイズが、筐体が格納するように構成された物品に、縛られる有用性がほとんどあるいは全く無い場合など、筐体が格納するように構成された物品よりも筐体がより大きくてもよい、例えば、大幅に大きくてもよい。例えば、装着機器よりも大幅に厚い、幅広い、そして長い筐体を持つ事が有益であるとされる場合、筐体の寸法は、ここに記載の寸法よりも（例えば、約１０ｍｍ以上または約５または約１０オンス以上）厚く、幅広く、そして長くてもよい。他の事例において、筐体は、それが収容するように設計された機器よりも大幅に大きくおよび／または重くはない。従って、特定の事例において、筐体は、それが収容するように構成された機器よりも大幅に厚く、幅広く、長く、または、重くなる事なく、機器を落とす事によって生じるような衝撃、および／または、水のような液体との接触によって生じるような液体のうちの１つ以上から機器を保護する。
【００７６】
特定の実施形態において、筐体の上側部材および下側部材は、互いに連結されて防水および／または耐衝撃シールを形成するように構成されている。耐水または防水シールとは、上側部材を下側部材に連結する事によって形成されるシールであって、筐体の一方の側（例えば、筐体の外側）から筐体の他方の側（例えば、筐体の内側）へと液体、例えば、水が通過する事が実質的にできないシールを意味する。
【００７７】
図１Ａを参照すれば分かるように、筐体は、脱着可能に互いに連結されて筐体１を形成するように構成された上側部材および下側部材などの複数の部材を含んでいてもよい。携帯電話のような電子機器を収容する筐体１のような特定の実施形態をここに示すが、格納する物品は、上記のような多数の異なる物品のいずれでもよく、従って、筐体は、本願の本質から逸脱する事なく、多数の異なる形、サイズおよび構成をとり得ることは言うまでもない。例えば、ここで以下に図示するように、筐体は、２つの別々の部材、例えば、脱着可能に互いに連結されて電子機器を覆って収容するように構成された別々の個々の上側および下側部材を含んでいてもよい。特定の事例（不図示）において、上側および下側部材は、別々の部材ではなく、例えば、共通ヒンジ要素によって接合される部材であってもよく、または、折り畳んで筐体を形成するように構成された単一の部材であってもよい。よって、図面を参照しながら説明する特定の実施形態に関してここに記載する筐体およびシステムの範囲は、不当に限定解釈されるべきものではない。
【００７８】
従って、図１Ｂを参照して、特定の実施形態において、筐体１は、脱着可能に互いに連結された時に筐体１を形成する上側部材２および下側部材３を含んでいてもよい。上側および下側部材はあらゆる好適な材料から作製され得るが、典型的には、上側および下側部材が正しく互いに連結された時に耐衝撃性および耐液性のうちの１つ以上を収容機器に提供し得る材料から作製される。特定の実施形態において、上側および下側部材は、様々な異なる部品からなり、従って、複数の異なる材料から作製され得る。上側および下側部材を作製し得る好適な材料は、一緒に作製して筐体に耐衝撃性および／または耐液性を提供し得る剛性、半剛性および可撓性の材料を含む。そのような材料には、プラスチック、金属、ポリカーボネート、ナイロン、液晶ポリマー、および／または、ゴム、熱可塑性ウレタン、ポリエチレン、および／または、プリプロピレン、これらの混合物等が含まれ得るが、これらに限定はされない。
【００７９】
図１Ａおよび１Ｂを参照すれば分かるように、筐体１の上側部材２は、周囲部２０に囲まれた前面２５ａおよび後面２５ｂを含む。周囲部２０は、近位端部２１および遠位端部２２、ならびに対向する側面部２３および２４によって規定される。周囲部２０は、「オン」および「オフ」スイッチ１６、ヘッドホンポートシール部材５３、スイッチ要素９０およびボタン特徴部９９ａおよび９９ｂを保護するように構成されたボタン保護要素１２ａおよびｂ、ならびに、音入口／出口孔１１ａおよび１１ｂの間に配置され得るラッチドア７１のような複数のさらなる特徴部を含んでいてもよい。上側部材の前面および後面は、同じ材料または異なる材料（これらの材料は、周囲部の材料と同じであっても異なっていてもよい）からなり得る。特定の実施形態において、筐体１の前面２５ａおよび後面２５ｂは、少なくとも１つの膜で構成される。
【００８０】
さらに、筐体１の下側部材３は、周囲部３０に囲まれた前面３５および後面３６を含む。周囲部３０は、近位および遠位端部３１および３２、ならびに対向する側面部３３および３４によってそれぞれ規定される。下側部材の前面および後面は、同じ材料または異なる材料（これらの材料は、周囲部の材料と同じであっても異なっていてもよい）からなり得る。特定の実施形態において、筐体１の前面３５および後面３６は、少なくとも１つの膜で構成される。他の事例において、筐体１の前面３５ａおよび後面３５ｂは、収容機器から発せられる音特性を増幅するように振動し得るプリプロピレンのような半剛性材料で形成される。図示したように、下側部材３の前面３５ａはスタンドオフ１６を含む。これらのスタンドオフは、下側部材の前面３５ａ上の任意の場所に配置されてもよいし、または、音の透過および／または増幅を増加させるように音声チャネルを形成するように、例えば、前下側表面３５ａおよび格納機器の後面１３５の間に空隙を形成するように配置されてもよい。このような空隙は、音を筐体１から離れる方向に導く事ができると共に、この２つの表面で反射する事により音をさらに増幅し得る。
【００８１】
図１Ｃは、嵌入する電子機器１００を覆って嵌入する前の上側部材２および下側部材３を含む筐体１である。図示したように、上側部材２および下側部材３は、機器を覆って嵌入（フィットして収まり入れて）してカチッと嵌める前に、筐体１内に収納する機器１００に対して位置合わせされる。機器１００を覆って互いに連結された後の上側部材２および下側部材３も図示する。図１Ｄは、図１Ｃの筐体１を今度は背面視で示す斜視図である。
【００８２】
上側表面２５および下側表面３５を、筐体１の周囲部２０および３０と共に図示する。上側表面２５または下側表面３５は、音響膜特徴部４４および／またはボタン特徴部４０のような１つ以上の特徴部を含んでいてもよい。１つ以上の外側周囲部２０および／または３０もまた特徴部を含んでいてもよい。例えば、外側周囲部、例えば、２０または３０は、スライダースイッチ９０、１つ以上のボタン特徴部９９ａ、ｂ、および／または、ラッチ特徴部７１を含んでいてもよい。図示したように、スライダースイッチ９０およびボタン特徴部９９ａ、ｂが上側部材２上の配置され、ラッチ特徴部７１は下側部材３から上側部材２に亘って延びている。他の実施形態において、これらの配置の１つ以上が逆になっていてもよい。
【００８３】
図１Ｄは、筐体１の下側後面３６および周囲部２０および３０の斜視図である。下側後面３６はカメラ部８０のような１つ以上の特徴部を含んでいてもよく、カメラ部８０は、光学スカート８２、カメラレンズ８４、および／またはフラッシュレンズまたはオリフィス８６などの複数のサブ部材を含んでいてもよい。
【００８４】
図２Ａは、中に収容する機器が無い状態における、組み立てられた筐体１の斜視図である。上側部材２の上側前面および後面２５ａ、ｂおよび外側周囲部２０、ならびに、下側部材３の下側前面３５および周囲部３０を図示する。この実施形態において、上側前面および後面２５は、単一の半透明膜からなる。従って、下側部材３の下側前面３５は、上側部材２の半透明膜２５を通して見える。半透明膜２５の一部は、視覚的に半透明な領域を取り囲むような１つ以上の不透明な領域を膜の周囲付近などに含むように構成されていてもよい。不透明な領域は全体が不透明であってもよいし、光学透過性サブ領域を含んでいてもよい。
【００８５】
図示したように、上側膜２５は複数の特徴部を含む。例えば、上側膜２５は、ボタン特徴部４０、例えば収容機器のビデオカメラ部および近接センサ部にそれぞれ対応する光学的に無色な領域４７および４８、および、音を伝達する孔４６を含む音響膜部４４を含む。孔４６は、音を通すが液体は通さない防水パッキン４５の存在によって液体がその中を通過しないようになっている。そのようなパッキンは、ＧｏｒｅＴｅｘ（登録商標）などのようないくつかの異なる疎水性材料で構成され得る。図示したように、外側周囲部は、複数のスピーカー音伝達部６０、および、充電ポートを覆うラッチカバー７１を含むラッチ特徴部７０を含む複数の特徴部をも含む。例えば、衝撃吸収性を高め、音伝達性を向上するべく収容機器および下側部材間を分離させるために下側前面３５に含まれ得るスタンドオフ１６も図示する。
【００８６】
図２Ｂは、図２Ａの筐体１の前上側部の拡大図である。上側前面２５は、不透明周囲部を含む透明膜を備えている。この実施形態において例示するように、上部前面膜２５は、例えば、音響ベント４５を通して音を伝達するための孔４６と、装着機器のビデオカメラと連携して使用されるように構成された光学的に無色な領域４７と、装着機器の近接センサと連携して使用されるように構成された別の光学的に無色な領域４８とを含む音響膜部４４を含む。なお、必要に応じて、光学的に無色な領域４７は、装着機器のカメラレンズと位置合わせされ得るレンズ８０を含むように構成されていてもよい。
【００８７】
図２Ｃは、図２Ａの筐体１の前下側部の拡大図である。前面２５の下側部は、ボタン特徴部４０を含む膜を備えている。膜２５は透明であるが、光学透過性部および非光学透過性の不透明周囲部を含む。この実施形態においては共に筐体１の近位端２１、３１に配置される、音伝達部６０ａおよびｂおよび周囲ラッチ特徴部７０も図示する。
【００８８】
筐体の上側および／または下側部材の前面および／または後面は周囲部を含む。特定の実施形態において、上側および／または下側部材の周囲部は複数のサブ部材を含んでいてもよい。例えば、上側部材２の周囲部は、上側部材膜２５の異なる部分と相互作用するように構成された内側周囲部２０ａおよび外側周囲部２０ｂを含んでいてもよい。特定の実施形態において、下側部材３の周囲部は、内側周囲部３０ａおよび外側周囲部３０ｂを含んでいてもよい。特定の事例において、内側部３０ａおよび外側部３０ｂの一方あるいは両方は、一緒にチャネル１０を形成し得る内側境界部材および外側境界部材を形成していてもよい。図示したように、チャネル１０は下側部材３上に配置されるが、この構成は上側部材２上に含まれていてもよく、逆であってもよい。
【００８９】
上側および下側部材の周囲部またはそのサブ部材は、あらゆる好適な材料から作製され得る。周囲部は、上部および／または下部表面部材と同じ材料から作製されてもよいし、または、上部および／または下部表面部材とは異なる１つ以上の材料から作製されてもよい。例えば、上側部材上などに内部および外側周囲部があるような様々な事例において、内側周囲部は、筐体に構造的な一体性を提供するように剛性プラスチック、ポリカーボネート等のような剛性材料から作製してもよく、外側周囲部は、筐体の周囲に衝撃吸収および保護の手段を提供するようにポリエチレンまたはプリプロピレン材料等のようなより可撓性のある、例えば、半剛性または可撓性の材料から作製してもよい。
【００９０】
ここで、特定の事例において、図２Ｄに図示するように、上側部材は、より可撓性のある外側周囲部２０ｂに連結されたより剛性な内側周囲部２０ａを含む。剛性内側周囲部２０ａは、筐体の上側部材に構造を提供し、筐体の可撓性外側周囲部２０ｂは衝撃吸収性を提供する。図示したように、内側周囲部２０ａおよび外側周囲部２０ｂは、製造プロセスなどにおいて一体形成されるが、他の実施形態においては、製造プロセス後に互いに取り付けられ得る２つの別々の要素であってもよい。従って、いくつかの実施形態において、上側部材２は、ポリカーボネート枠のような剛性骨格枠２０ａを含む周囲部２０を含んでいてもよく、この枠は、ポリエチレン等のようなゴムまたはウレタン材料のようなより可撓性のある材料に連接され（例えば、オーバーモールドされ）、それにより、外側周囲部２０ｂを形成する。
【００９１】
また、特定の事例において、上側または下側部材の周囲部は、内側および外側境界部材を含んでいてもよい。例えば、図２Ｄに図示するように、下側部材３は、内側境界部材３０ａおよび外側境界部材３０ｂをさらに含む周囲部３０を含む。内側および外側境界部材は、筐体の下側部材の内側および外側境界部材の間に配置されるチャネルに構造的な一体性を提供するように、剛性プラスチック等のような剛性材料、または、プリプロピレン材料のような半剛性材料のような同じまたは異なる材料で作製され得る。内側境界部材３０ａおよび外側境界部材３０ｂは、その間にチャネル１０を形成するように構成され得る。
【００９２】
よって、ある実施形態において、上側および下側部材の一方または両方は、上側および／または下側部材の周囲部の少なくとも一部に沿って延びるチャネルのようなチャネルを含んでいてもよい。なお、この事例に関しては、上側および下側部材は、脱着可能に互いに連結されるように構成された別々の部材であってもよいし、単一の部材またはヒンジ要素で接合される複数の部材であってもよい。チャネルは、チャネルの境界を少なくとも部分的に規定し得る内側境界部材および外側境界部材を備えていてもよい。チャネルは、チャネル内に配置されたＯリングのようなパッキンをさらに備えていてもよい。
【００９３】
特定の事例において、内側および外側境界部材は、筐体の上側および／または下側部材の一部または全周囲に亘って延びていてもよい。図２Ｄに図示するように、チャネル１０を形成する内側境界部材３０ａおよび外側境界部材３０ｂは、下側部材３の周囲部３０の全体を取り囲む。内側または外側境界部材の一方または両方は、これも上側および／または下側部材の一部または全周囲に亘って延びるクラスプ機構を含んでいてもよい。この事例において、外側境界部材３０ｂは、筐体１の下側部材３の全周囲に亘って延びる。外側境界部材３０ｂは、これも下側部材の一部または全周囲に亘って延びるクラスプ機構３７を含む。なお、例えば下側部材のチャネルの内側または外側境界部材がクラスプ機構を含む場合、筐体の対向部材、例えば、上側部材２もまた、下側部材３の内側または外側境界部材上でクラスプ機構３７と相互作用するように構成されたクラスプ機構２７を含んでいてもよい。
【００９４】
筐体の上側部材を筐体の下側部材に取り付けるように相互作用する事が可能であれば、上側および下側部材のクラスプ機構はいかなる好適な構成を有していてもよい。特定の事例において、この取り付けは、筐体の上側および下側部材の間に防液シールを提供するように行われる。
【００９５】
従って、図２Ｄを参照すれば分かるように、筐体１の上側部材２および下側部材３は、上側および下側部材の周囲部に沿って延びるそれぞれ対応するクラスプ機構２７、３７を含んでいてもよく、これらのクラスプ機構は、筐体の上側部材２および下側部材３を互いに連結して筐体をシールするように相互作用するように構成されていてもよい。
【００９６】
クラスプ機構は、筐体部材の全周囲に亘って、またはその一部に亘って延び得る。例えば、上側および下側部材が好適なヒンジ要素で接合される場合などにおいて、クラスプ機構は、周囲の約９９％以上、約９５％、約９０％、約８５％、約８０％、約７５％、約７０％、約６５％、約６０％、約５５％、約５０％、約４０％、約３０％、約２５％、約２０％、約１０％、あるいはそれ以下に亘って延び得る。例えば、上側または下側部材が内部または外側周囲部および／または内側または外側境界部材によって境界が規定されたチャネルを含む場合、内部および／または外側周囲部は、その一部がクラスプ機構を形成するように構成されていてもよい。
【００９７】
特定の実施形態において、クラスプ機構は、当該分野において既知の従前のラッチ機構を用いて筐体の２つの部材を取り付ける時に典型的に生じるズレを低減および／または除去するように構成されていてもよい。例えば、当該分野において既知の典型的なラッチ機構、例えば、周囲部の一点において留まる機構を用いる場合、対向面の不連続な箇所においてのみ係止力を発揮するラッチ機構である結果として、しばしばズレが生じる。そのようなラッチ機構では、様々な張力点の間に大きな間隙が残る。このような構成では、間隙間のこれらの張力点は対向力がまとまって最大化する場所であるので、筐体の２つの部品が当たる際にズレを生じる。
【００９８】
特定の事例において、本願の筐体およびその特徴部は、これらの対向力を抑え込むように構成されている。例えば、筐体の上側または下側部材は、筐体の長さに沿ってこれらの対向力を分散する事により筐体の２つの部材のシールによって生じ得るズレを最小化するように構成された対向するクラスプ機構を含んでいてもよい。特定の事例において、上側または下側部材の一方または両方は、パッキンを包含するチャネルのようなチャネルを含み、そのチャネルの一部はチャネルを通して対向力を分散するように構成されたクラスプ機構を含んでいてもよい。
【００９９】
例えば、図２Ｄに図示するように、チャネル１０は、筐体の一部材、例えば、下側部材３の中に含まれていてもよく、このチャネル１０は、チャネル１０内で筐体の部材２および３を留める事により生じる対向力を抑え込むように構成されている。このような事例においては、対向力を、チャネルの小さな空間に抑え込み、さらに、上側および下側部材２７および３７の各クラスプ機構をきつく連結する事で最小化する事ができる。このことは、Ｏリングのようなパッキン１５がチャネル１０内に含まれる場合、パッキンをさらに圧縮する事により液密シールを形成でき、特に有用である。
【０１００】
筐体の液密シール形成を容易にするために異なる大きさのパッキンを含めてもよい。チャネル１０内など、水密シールが有用である場所であればどこにでもパッキンを配置し得る。しかし、そのようなパッキンを含めると、筐体の２つの部材を互いに連結する事により生じる圧縮にパッキンが抗う事でさらなる対向力が生じる。従って、クラスプ機構は、これらの対向力をより良く分散するために、周囲のほぼ全周に沿って実質的に連続するように構成され得る。そのような連続的で全周的なクラスプシステムは、機器の全周の全体またはほぼ全部を取り囲み、過渡的な間隙を最小化し、張力点間の間隙にたまる対向力を分散するようにしてもよい。
【０１０１】
図２Ｄを参照してここに図示する周囲部クラスプ機構のユニークな特徴は、それらが筐体１に完全に内包されている事である。「筐体に完全に内包されている」とは、対応するクラスプ機構２７および３７が完全に筐体１の境界の内側にあるという意味であり、上側部材２を下側部材３に取り付けた時に（図１Ｂ参照）対応するクラスプ機構２７および３７が筐体の外部ではなく内部に収納される、例えば、クラスプ機構が筐体１の周囲の内側に沿って配置され得るという事である。液密シールが提供される事をさらに確実にするために、外部ラッチ機構のようなさらなるラッチ要素を、例えば、筐体の外側周囲に沿ってさらに含んでいてもよい。さらなる内部ラッチ機構を設けてもよい。
【０１０２】
従って、本願のクラスプシステムは、以下の問題を解決する小さな断面を提供する：いかにして筐体を閉じ／組み立て、そして接合状態を保つか、いかにして筐体を作るのに必要な材料を最小化するか（バンド屈曲に抗うためにより厚い材料が必要となる事がないように）、そして、２つのケース筐体間でパッキン、例えば、Ｏリングが好適に圧縮され、それにより、防液でシームレスなシールが形成されるようにする事。
【０１０３】
上記のように、複数のクラスプ機構（共に内側および／または外側）が、筐体の一部として含まれていてもよい。例えば、筐体は、１つまたは複数の内包型クラスプ機構、および／または、１つまたは複数の外部型クラスプ機構を含んでいてもよい。以下で説明するように、クラスプ機構は、様々な異なる構成を有していてもよい。例えば、上側および下側部材はそれぞれ、対向する留め具またはフック、および／または、延長部および溝として構成された内包型クラスプ機構を含み、これらのクラスプ機構は、上側および下側部材の周囲の内側部を取り囲む。対向する留め具機構に代えて、あるいはこれに加えて、上側および下側部材は、歯および穴などの雄雌対部材として構成された内包型クラスプ機構を含んでいてもよい。さらに、あるいはこれに代えて、筐体は、クリップまたはペグおよびスロット構成のようなあらゆる好適な構成を有していてもよい外部型クラスプ機構を含んでいてもよい。以下、これらの構成の１つ以上をさらに具体的に説明する。
【０１０４】
特定の事例において、筐体の周囲部は、イヤホンポートのような１つ以上の追加的特徴部を含んでいてもよい。このような事例において、クラスプ機構が連接した内部周囲部のような周囲部が、追加的な周囲特徴部が占める空間を補うように変形構成を有している事が有益であり得る。
【０１０５】
例えば、図２Ｄを参照すれば分かるように、特定の実施形態において、下側部材３の周囲部３０は、内側境界部材３０ａおよび外側境界部材３０ｂによって規定されるチャネル１０を含む。チャネル１０は、Ｏリングのようなパッキン１５の少なくとも一部、ならびに、例えば、外部（または内部）境界部材３０ｂに連接したクラスプ機構３７を内蔵し得る。このような事例において、上側部材２０の外部（または内部）周囲部２０ｂは、下側部材３の外側境界部材３０ｂに連接したクラスプ機構３７に取り付けられるように構成された各クラスプ機構２７を含んでいてもよい。下側部材３の周囲部３０に沿ってポート特徴部５０のような追加的特徴部がさらに含まれている場合、下側部材３の周囲部３０およびクラスプ機構３７は、追加的特徴部（例えば、ポート５０）を収容するように適合化した隆起部のような構成を有していてもよい。
【０１０６】
例えば、周囲部は、角部領域のような周囲部の一部に沿って延びる伸長領域、例えば、上側リップリッジ領域を含んでいてもよい。この上側リッジリップ領域は傾斜部として構成されていてもよい。パッキンを内蔵したチャネルと共に傾斜部が含まれる場合、傾斜部はチャネルに嵌入された（フィットして収まり入れた）パッキンの高さを超えるように延びる。このような特徴部により段差構成の移行部となり、それにより、追加的な周囲特徴部、例えば、イヤホンポートが筐体のシールと干渉する事なく密封シールを形成するのに十分な状態で上側および下側部材を接合させる事ができる。
【０１０７】
具体的には、クラスプ機構が追加的な周囲特徴部と当たらないようにするために上側リップリッジ特徴部を含めてもよい。このような段差は、避けなければならない特徴部がある周囲部に沿ってどこに配置されてもよいが、筐体の角部付近において特に有用であり得る。よって、様々な実施形態において、例えば、追加的な周囲特徴部／パッキンの相互作用を補うために筐体部材の幅または厚さに対して大幅な付加材料を追加しなくても、上側および下側部材を安定的に取り付ける（連結する）、例えば、カチッと嵌める事ができるように、上側リップリッジ特徴部が含まれてもよい。
【０１０８】
さらに、追加的特徴部が設けられているかどうかにかかわらず、より良好なシールができるように、筐体の周囲部の角部に沿って上側リッジリップ特徴部が含まれていてもよい。従って、このような上側リッジリップ特徴部によって、閉じた状態に間隙が無く、よってシールが連続的になるように筐体を閉じる事が可能になる。この実施形態において、シールが連続的なシールであるので、筐体の周囲全体に亘ってカチッと嵌める事ができる。
【０１０９】
図３Ａを参照すれば分かるように、筐体１の上側部材２および下側部材３の前面２５および後面３５は、それぞれ、周囲部２０および３０を含む。図示したように、上側部材２は周囲部２０を含む。周囲部２０は、内側周囲部２０ａおよび外側周囲部２０ｂを含む。内側周囲部２０ａは、ポリカーボネート材料のような剛性材料からなり、筐体１内に機器を固定し、筐体の外側から筐体の内側への衝撃の伝達を緩衝するように、封入機器と連接するように構成される。外側周囲部２０ｂは、ＴＰＥなどの可撓性材料からなり、内側周囲部２０ａの上側および横側に配置される。外側周囲部２０ｂは、衝突による衝撃を吸収するように機能し得る。
【０１１０】
内側周囲部２０ａおよび外側周囲部２０ｂは、オーバーモールド処理などにより一緒に作製してもよいし、別々に作製して互いに接合してもよい。例えば、特定の実施形態において、外側周囲部２０ｂは、内側周囲部２０ａから脱着可能であってもよい。他の事例において、内側周囲部２０ａおよび外側周囲部２０ｂは、内側周囲部２０ａが膜の下側面に連接し、外側周囲部２０ｂが膜の上側面に連接するように、前面膜２５（含まれる場合）と一緒に作製される。このようにして、膜２５を、上側部材２の周囲部２０と一体的に連接させることができる。
【０１１１】
このオーバーモールド処理の利点は、上側部材２の周囲部２０および／または膜２５を取り囲む、例えば可撓性ＴＰＥ周囲部２０ｂからなる可撓性の保護リムができる事である。ただし、このようなリムは、このようなオーバーモールド処理を行わない他の方法で作製して上側部材２の周囲部２０ａに連接させてもよい。さらに、他の事例において、前面膜２５は、感熱または感圧接着剤などの接着剤を塗布して、上側部材２の内側周囲部２０ａに接合してもよい。このような事例において、膜２５は、周囲部２０ａの上側表面またはその下側表面に接合してもよい。その場合、可撓性外側周囲部２０ｂは、一体的に固定して追加されてもよいし、脱着可能に追加されてもよい。さらに、様々な実施形態において、内側境界部材２０ａはクラスプ機構２７を含む。
【０１１２】
下側部材３は周囲部３０を含む。周囲部３０は、内側周囲部３０ａおよび外側周囲部３０ｂをも含む。この事例において、内側周囲部は内側境界部材３０ａを形成し、外側周囲部は外側境界部材３０ｂを形成する。内側および外側境界部材３０ａ、ｂは共にチャネル１０の境界を規定する。外側境界部材３０ｂはクラスプ機構３７を含む。
【０１１３】
いずれかのクラスプ機構が対応クラスプ機構と相互作用可能である限り、クラスプ機構２７および３７はいかなる構成を有していてもよい。この事例において、上側部材２上のクラスプ機構２７は下側部材３上の対応クラスプ機構３７と相互作用し、それにより、液密シールのようなシールを提供する。よって、上側部材２のクラスプ機構２７は、下側部材３の対応クラスプ機構３７と相互作用するように構成され、これらのクラスプ機構は、上側および下側部材を防液シール状態で互いに連結するように構成されている。
【０１１４】
図示したように、クラスプ機構３７は下側部材３の外側境界部材３０ｂと連接し、クラスプ機構２７は上側部材２の内側周囲部２０ａと連接している。ただし、クラスプ機構３７は下側部材３の内側境界部材３０ａに連接していてもよく、クラスプ機構２７は上側部材２の外側周囲部２０ｂに連接していてもよい。チャネル１０は、Ｏリングパッキンのようなパッキン１５をさらに含む。この実施形態においてはクラスプ機構２７および３７は対応する留め具として構成されているが、伸長凸部材および溝の構成を有するリブなど他の構成を有していてもよい。なお、この実施形態において、クラスプ機構２７および３７は完全内包型クラスプ機構である。「完全内包型クラスプ機構」とは、上側および下側部材を互いに連結して（取り付けて）筐体を形成した時に、クラスプ機構が筐体の外側境界に完全に内包されている（例えば、筐体内の内部空洞内に収納されるなど、筐体に内包されている）ように、クラスプ機構が互いに連結されるように構成されているという意味である。このような内包型クラスプ機構は、筐体に内包されており、外部周囲部を見ても見る事はできない。
【０１１５】
なお、下側部材周囲部３０は境界部材３０ａおよび３０ｂを有するように図示され、上側部材周囲部２０は内側および外側周囲部２０ａおよび２０ｂを有するように図示されているが、特定の事例においては、上側部材周囲部２０がチャネル１０の境界を規定する境界部材、例えば、２０ａおよび２０ｂを有し、下側部材周囲部３０が、チャネルの境界を規定しない内側および外側周囲部、例えば、３０ａおよび３０ｂを有していてもよい。
【０１１６】
下側部材３上の複数のスペーサー要素も図示されている。これらの１つ以上のスペーサー要素は筐体内に音響空間を形成し、音を増幅し、さらに、衝撃吸収を増大する機能も果たす。さらに、このような構造は、格納する電子機器が筐体１内に挿入された時の前面膜２５上の張力を増大させるように用いられ得る張力要素として構成されていてもよい。例えば、機器が筐体１内に挿入された際に、機器が張力要素に食い込み、周囲部２０が外向きに押されて、周囲部２０に接合された前面膜２５上の張力を増大させ、結果的に、スクリーンを平坦化してユーザーインターフェースの反応を向上するように張力要素を適合化させてもよい。
【０１１７】
図３Ｂは、図３Ａの上側部材２および下側部材３のキャッチクラスプ機構の断面図を示す。上側部材２は内側周囲部２０ａおよび外側周囲部２０ｂを含む。この実施形態において、内側周囲部２０は、剛性プラスチックまたはポリカーボネートのような剛性材料から作製され、上側クラスプ機構２７を含む。剛性プラスチックは、筐体１の構造を提供する。内側周囲部２０ａの剛性プラスチック材料は、ゴム、ＴＰＥ等のより可撓性のある、例えば、半剛性材料で覆われており、この材料は外側周囲部２０ｂを形成し、この材料は筐体への衝撃に対する保護を提供するように含まれていてもよい。
【０１１８】
上記のように、上側部材２の内側周囲部２０ａの上側クラスプ機構２７および外側周囲部、例えば、境界部材３０ｂの下側クラスプ機構は、いかなる好適な構成を有していてもよい。しかし、この事例において、上側および下側クラスプ機構２７および３７は、対応留め具として構成されている。従って、クラスプ機構は留め具またはリップ領域を含む。
【０１１９】
留め具領域２７は、交差面２９と交差する傾斜面２８を含む。傾斜面２８および交差面２９は共に、上側部材２のキャッチクラスプ機構２７を備えた側縁またはリップを形成する。傾斜面２８および交差面２９はある角度をなす。さらに、留め具領域３７は、交差面３９と交差する傾斜面３８を含む。傾斜面３８および交差面３９は共に、下側部材３のキャッチクラスプ機構３７を備えた側縁またはリップを形成する。傾斜面３８および交差面３９はある角度をなす。例えば、傾斜面の交差面に対する傾斜度の範囲は、０から約９０度、例えば、約５または約１０度から約８０または８５度、例えば、約１５または２０度から約７０または７５度、例えば、約３０または４０度から約５０または６０度（約４５度を含む）。
【０１２０】
従って、上側部材２のキャッチクラスプ機構２７は、下側部材３の対応するキャッチクラスプ機構３７に係合するように構成されている。対応クラスプ機構は、対応する表面、例えば、リップまたは側縁領域を有していてもよいし、異なるが相補的な表面を有していてもよい。この事例において、上側部材２は、交差面３９が交差する傾斜面３８を備えたリップまたは側縁領域を含むキャッチクラスプ機構２７を有する周囲部２０を有する。下側部材３は、これも、交差面３９が交差する傾斜面３８を備えたリップまたは側縁領域を含むキャッチクラスプ機構３７を有する周囲部３０を有する。この実施形態において、対応するリップまたは側縁領域は互いに連結されるように構成されている。なお、クラスプ機構２７、３７の特定の構成を、例えば、対応するキャッチクラスプ機構として図示したが、他の構成が適している場合もあり得る。例えば、傾斜面２８が真っ直ぐまたはほぼ真っ直ぐである場合等は、例えば、ある実施形態において、上側または下側部材の一方が上記のように、例えば、リップ側縁領域を有するように構成されたクラスプ部材を有しており、これに対応する部材が、対向部材の対応リップ側縁を受けるように適合化した溝、例えば、全周に延びる溝のような受け要素として構成されたクラスプ部材を有していてもよい。
【０１２１】
しかし、この事例において、傾斜面３８および交差面３９は、上側部材２のクラスプ機構２７の対応する表面に係合するように構成されている下側部材３のクラスプ機構３７を備えている。上側および下側クラスプ機構２７および３７は共に、互いに連結された時に、例えば、カチッと嵌められた時に、筐体を例えば防液シール状態でシールするように、互いに相互作用するように構成された対向するスナップ閉塞具をそれぞれ形成する。なお、この実施形態において、クラスプ機構２７および３７は、筐体の全周囲を取り囲む完全内包型クラスプ機構である。ここで、上側および下側クラスプ機構は、例えば、完全に内側で全周囲部を取り囲むある特定の構成に関して記載したが、クラスプ機構が上側および下側部材を互いに連結して筐体をシールするのに十分な状態で接合できる限りにおいて、この構成が非限定的な例であって様々な改変が可能である事は言うまでもない。
【０１２２】
図３Ｃは、上側および下側部材の代表的なクラスプ機構の別の実施形態を示す。上側部材２は周囲部２０を含む。周囲部２０は内側周囲部２０ａおよび外側周囲部２０ｂを含む。図示したように、上側部材２の内側周囲部２０ａは、クラスプ機構２７を含む。なお、内側周囲部２０ａはクラスプ機構２７を含むが、特定の実施形態において、外側周囲部２０ｂはクラスプ機構２７を含んでいてもよい。
【０１２３】
上側部材クラスプ機構２７は、傾斜して図示する表面２８を含む。なお、この表面は傾斜して図示するが、特定の実施形態においては、異なる構成、例えば、ほぼ真っ直ぐであってもよい。また、上側表面クラスプ機構２７は交差面を含み、この事例において、交差面はインターフェース面２９である。インターフェース面２９は、表面２８に交差する水平面として図示している。しかし、好適なクラスプ機構が形成される限りにおいて、この構成を改変してもよい。このようにして、対応クラスプ機構、例えば、下側部材のリップ側縁または溝部材に当接して上側および下側部材を互いに連結してシールするように構成されたリップまたは側縁が形成される。
【０１２４】
また、下側部材３は周囲部３０を含む。周囲部３０は、チャネル１０の境界を規定する内側境界部材３０ａおよび外側境界部材３０ｂを含む。図示したように、下側部材３の外側境界部材３０ｂはクラスプ機構３７を含む。しかし、他の事例において、下側部材３の内側境界部材３０ａはクラスプ機構３７を含んでいてもよい。
【０１２５】
下側部材クラスプ機構３７は、傾斜して図示する表面３８を含む。なお、この表面は傾斜して図示するが、特定の実施形態においては、異なる構成、例えば、ほぼ真っ直ぐであってもよい。また、下側表面クラスプ機構３７は交差面を含み、この事例において、交差面はインターフェース面３９である。インターフェース面３９は、表面３８に交差する水平面として図示している。上側表面２上の対応クラスプ機構に当接するクラスプ機構を形成し得る限りにおいて、これらの表面の構成が図示したものとは異なっていてもよい事は言うまでもない。このようにすれば、上側部材の対応側縁に当接して上側および下側部材を互いに連結してシールするように構成されたリップまたは側縁が形成される。なお、外側境界部材３０ｂはクラスプ機構３７を含むが、特定の実施形態においては、内側境界部材３０ｂはクラスプ機構３７を含んでいてもよい。なお、上側または下側クラスプ機構の一方が、上記のリップ側縁構成ではなく、溝のような受け部材としての構成を有していてもよい。
【０１２６】
チャネル１０も図示されている。チャネル１０は、部分的には、内側および外側境界部材３０ａ、ｂならびに下側部材３の周囲部３０の下側後面３６によって形成されている。なお、図示したように、チャネル１０は下側部材３の一部として含まれているが、特定の実施形態においては、チャネルは、上側および下側部材の構造に対応する変更を行った上で、上側部材２の一部として含まれていてもよい。チャネル１０は、少なくとも部分的にチャネル１０を埋めるＯリングのようなパッキン１５を含む。
【０１２７】
上側部材２のクラスプ機構２７を有する内側周囲部２０ａは、チャネル１０内に挿入されるように構成され、パッキン１５に係合するようにさらに構成されていてもよく、また、上側および下側部材を互いに例えば防液シール状態で連結するように下側部材３の外側境界部材３０ｂのクラスプ機構３７に係合するようにさらに構成されていてもよい。従って、この実施形態において、内側周囲部２０ａは、パッキンを圧縮してそれにより防液シールを形成するようにパッキンに当接するように構成されたパッキンインターフェース部を含む。
【０１２８】
なお、特定の実施形態において、パッキンは、チャネル内に存在しなくてもよい。また、特定の実施形態において、内側および／または外側境界部材は異なる構成でもよく、全く含まれていなくてもよい。ここに図示したクラスプ機構はそのような外部型クラスプ機構よりもいくつか利点を有するが、異なるクラスプ機構、例えば、上側および下側部材の周囲部に対して外部または別個の別体クラスプ機構が含まれていてもよい。それでも、クランプまたは他の形態の外部型クラスプ機構のような外部型クラスプ機構が設けられてもよい。そのような外部型クラスプ機構は、ここに記載の内包型クラスプ機構に加えて、または、その代わりに含まれていてもよい。
【０１２９】
例えば、図３Ｄは、本願の好適なクラスプ機構のさらなる実施形態を図示する。この実施形態において、クラスプ機構は、以下により具体的に記載するコインスロット特徴部と連携して図示されている。上側部材２の周囲部２０は、内側周囲部２０ａおよび外側周囲部２０ｂを含む。ある実施形態において、内側周囲部２０ａは、上側部材２の周囲部２０に安定性および構造を提供するように、プラスチック、ポリカーボネート、金属等のような剛性材料から作製される。ある実施形態において、外側周囲部２０ｂは、上側部材の周囲部に可撓性および／または衝撃吸収を提供するように、ゴムのようなエラストマー材料、ＴＰＥ、ポリエチレン、プリプロピレン等のような可鍛性材料から作製される。
【０１３０】
下側部材３の周囲部３０は、下側後面部材３６と共にチャネル１０を形成する内側境界部材３０ａおよび外側境界部材３０ｂを有する周囲部３０を含む。ある実施形態において、内側境界部材３０ａは、可撓性を維持しながら下側部材３０の周囲部３０に安定性および構造を提供するように、プラスチックまたはプリプロピレン材料等のような半剛性材料から作製する。さらに、外側境界部材３０ｂは、プラスチックまたはプリプロピレン材料等のような内側境界部材を作るのと同じまたは異なる半剛性材料から作製してもよい。しかし、特定の事例において、外側境界部材３０ｂは、可撓性または半可撓性材料、例えば、ゴムまたはポリエチレン材料のようなより可撓性のある材料で作製または覆われていてもよい。
【０１３１】
下側後面３６もまた、プリプロピレンのような内側および／または外側境界部材を作るのと同じ剛性材料から作製してもよい。内側および外側境界部材３０ａ，ｂは、下側後面３６と共にチャネル１０を形成する。チャネル１０は、上側部材のパッキンインターフェース領域、例えば、上側部材の内側周囲部と接した時に圧縮し得る圧縮性パッキン１５を含む。
【０１３２】
図３Ｄに図示するように、上側および下側部材２、３は、互いに連結された時にコインスロット特徴部１８が形成されるように構成されている。コインスロット特徴部は切欠１８として形成される。上側部材２の外側周囲部２０ｂの一部は、コインスロット特徴部１８の上側境界部材１７を形成する。また、下側部材３の下側周囲部３０ｂの延長部は、コインスロット特徴部１８の下側境界部材１９を含む。
【０１３３】
従って、筐体の周囲部は、上側境界部材１７、例えば、周囲部のオーバーハング部、および、下側境界部材１９、例えば、周囲部の延長部からなるコインスロット特徴部１８を含んでいてもよい。コインスロット特徴部１８は、特定の実施形態においては、上側または下側部材の単一の周囲部内に含まれており、他の実施形態においては、上側および下側部材を接合する事によって形成される。様々な実施形態において、コインスロット特徴部は、上側および下側部材の一方または両方の周囲部における切欠である。コインスロット特徴部は、そこに道具を挿入して、その道具を使って、上側および下側部材を互いから取り外し、それにより、上側および下側部材を脱着および脱シールするように構成されている。
【０１３４】
上記のものに加えて、または、上記のものに代えて、筐体の上側および下側部材を互いに接合する事に関して、他のクラスプ機構を用いてもよい。例えば、図３Ｅを参照すれば分かるように、本願の筐体１は、上側部材２および下側部材３を含んでいてもよい。筐体１は、外部ラッチ特徴部５をさらに含んでいてもよい。外部ラッチ特徴部５は、上記のクラスプ機構に追加して含まれていてもよいし、その代わりに含まれていてもよい。
【０１３５】
外部ラッチ特徴部は、１つ以上のクランプまたはクランプ領域のような全体外部ラッチ特徴部であってもよい。１つ以上のクランプは、筐体の外側に配置され、上側および下側部材を狭持して、上側および下側部材上に結合力を発揮し、それにより、２つの部材を互いに連結して筐体をシールするように構成されていてもよい。あるいは、外部ラッチ特徴部は、図３Ｅに図示するようなハイブリッド外部／内包型ラッチ特徴部であってもよい。
【０１３６】
図３Ｅに図示するように、外部ラッチ特徴部５は、筐体１の１つ以上の側面、例えば、２つまたは４つの対向側面上に含まれていてもよい。従って、複数のラッチ特徴部５が、筐体１の周囲部の周りに含まれて配置されていてもよい。例えば、側面２３、３３および２４、３４が、それぞれ、１つまたは２つまたは３つ以上のラッチ特徴部５を含んでいてもよい。ラッチ特徴部５は、周囲部全体またはその１つ以上の部分に沿って延びていてもよい。
【０１３７】
ラッチ特徴部５が２つのインターフェース領域６および８を含んでいる事が分かる。図示したように、上側部材２はラッチ領域６を含み、下側部材３はラッチ領域８を含む。しかし、上側部材２がラッチ領域８を含み、下側部材３がラッチ領域６を含んでいてもよい。ラッチ領域６は１つ以上のペグ７を含み、ラッチ領域８は１つ以上の対応するペグ受け部材９を含む。具体的には、上側部材２のラッチ領域６は、下側部材３のラッチ領域８のペグ受け部材９内に受けられるように構成された１つ以上のペグ７を含む。図示したように、ラッチ領域６は、ラッチ領域８の複数のペグ受け部材９内に受けられるように構成された複数のペグ７を含む。従って、上側部材２を下側部材３に取り付けると、ペグ７はペグ受け部材９内に受けられて、それにより、筐体１をシールする、および／または、筐体１にさらなるシールを追加する。
【０１３８】
上記のように、上側部材２の周囲部２０は、内側周囲部２０ａおよび外側周囲部２０ｂを含んでいてもよい。従って、ラッチ領域６は、上側部材２の内側および外側周囲部２０ａおよび２０ｂの一方または両方から形成されていてもよい。例えば、外側周囲部２０ｂおよび内側周囲部２０ａの一部は共に、ラッチ領域６を構成してもよい。例えば、ラッチ領域６の一部を構成する外側周囲部２０ｂは、内側周囲部２０ａを露出する凹または切欠領域を含んでいてもよい。ラッチ領域６の一部を構成する露出した内側周囲部２０ａは、ペグ７を含んでいてもよい。
【０１３９】
従って、ラッチ領域６は、外側周囲部２０ｂの切欠領域である凹部を含んでいてもよい。例えば、上側部材２の外側周囲部２０ｂが上側部材２の内側周囲部２０ａを備えた剛性枠組を覆う可撓性材料からなる場合、外側周囲部２０ｂの凹領域は、周囲部２０ｂの可撓性材料における切欠領域であってもよい。切欠領域は、１つ以上のペグ７を含み得る内側周囲部２０ａを露出してもよい。例えば、上側部材２の内側周囲部２０ａが剛性材料からなる場合、剛性材料は、周囲部２０ｂにおける切欠領域によって露出される１つ以上のペグ７も含んでいてもよい。ペグ７は、筐体１を形成する際に上側部材２および下側部材３を互いに連結する際の一助となるように下側部材３のラッチ領域８内に配置された１つ以上の相補的ペグ受け部材９に受けられるように構成されていてもよい。
【０１４０】
ペグ７およびペグ受け部材９は、ペグ７がペグ受け部材９内に受けられた時に、周囲部２０および３０のラッチ領域６および８が周囲部２０および３０の残りの部分に対して面一になるように構成されていてもよい。特定の事例において、ペグ７および／またはペグ受け部材９は、ラッチ領域６および８が周囲部２０および３０の残りの部分に対して面一にならずに、はみ出たり凹んだりするような大きさであってもよい。例えば、特定の事例において、上側部材２上のペグ７は、外側周囲部２０ｂ上に配置あるいは内側周囲部２０ａ上に配置され、周囲部２０ａおよび２０ｂから離れて外側方向に延びるようなサイズであってもよい。従って、下側部材３上の対応するラッチ領域８は、延長ペグ受け部材９を含んでいてもよい。これは、例えば、特別に強固なシールを形成するようにより太くより長いペグを用いる際に有用であり得る。
【０１４１】
よって、上側部材２のラッチ領域６は、部分的に、内側周囲部２０ａを露出する外側周囲部２０ｂの切欠領域から形成されていてもよい。ラッチ領域６のペグ７は、内側周囲部２０ａの一部として形成されていてもよく、硬いプラスチック、ポリカーボネート、金属等のような剛性材料から作製されていてもよい。ペグ７は、内側周囲部と一体に、例えば、内側周囲部と同じ材料で形成されていてもよい。さらに、ラッチ領域８は、下側部材３の外側境界部材３０ｂの横延長領域として形成されていてもよい。横延長領域８は、ペグ受け部材９を含んでいてもよい。図３Ｅを参照すれば分かるように、横延長領域８は、周囲部２０および３０がその長さに沿って面一になるように切欠領域６に嵌入する（フィットして収まり入る）ように構成されていてもよい。上記のように、ラッチ領域５および８のうち１つ以上は、周囲部がその長さに沿って面一にならないように構成されていてもよい。
【０１４２】
上側部材２のラッチ領域６の切欠領域および下側部材３のラッチ領域８の横延長領域は、上側部材２が下側部材３に取り付けられた際に、横延長領域８が切欠領域６に嵌入し、ペグ７がペグ受け孔９に嵌入し、ラッチ領域６がラッチ領域８に取り付けられる事によって筐体がさらにシールされるように構成されている。ラッチ特徴部５（例えば、追加的ラッチ特徴部）を図３Ｅに示す特定の実施形態に関して説明してきたが、上側部材を下側部材と掛け留めて、それにより、筐体をシールする他の構成を本願の本質から逸脱する事なく採用する事ができる事は言うまでもない。
【０１４３】
下側部材３の前面３５は、格納機器および下側部材３の間に空気通路を形成するような大きさおよび配置のスタンドオフ１６を含んでいてもよい。空気通路は、筐体を通じて１つ以上の音ポート６０ａおよびｂまたは筐体の前面または後面などの他の音伝達面（後述するように）から外部へと音を通して伝達し、それにより、筐体１を通した装着機器からの音伝達の質およびクリアさを向上するように適合化している。
【０１４４】
特定の事例において、筐体１は、装着機器の音伝達の音質を向上するように構成されていてもよい。例えば、筐体１の上側前面膜２５は、筐体１、例えば、膜２５と格納された放音機器との間に配置され得る空隙１２を含むように構成されていてもよい。空隙１２は、上側部材の周囲部に沿って配置されていてもよく、周囲部の全体または一部を取り囲んでいてもよく、筐体１の１つ以上の音ポート６０と連通するように適合化していてもよい。
【０１４５】
音伝達をさらに向上するために、筐体１の下側部材３を、収容機器が発生した音に共鳴しそれによりその音を増幅し得るプリプロピレンのような剛性または半剛性材料から作製してもよい。図示したように、下側部材３は、下側部材前面３５および下側部材後面３６を有する下側表面を含む。
【０１４６】
図３Ｆは、筐体１の上側部材２および下側部材３の斜視図である。図３Ｆを参照すれば分かるように、上側部材２は周囲部２０および前面膜２５を含む。前面膜２５は、光学的に不透明な領域および光学的に無色な領域を含む。下側部材３の上側表面およびその上に配置されたスタンドオフ１６は、光学的に無色な領域を通して見える。
【０１４７】
図３Ｇおよび３Ｈは、筐体１の上側部材２および下側部材３の斜視図である。図３Ｇおよび３Ｈを参照すれば分かるように、上側部材２は、周囲部２０を含む。周囲部２０は、内側周囲部２０ａおよび外側周囲部２０ｂを含む。下側部材３は周囲部３０を含む。周囲部３０は、内側周囲部３０ａおよび外側周囲部３０ｂをも含み、内側および外側周囲部はチャネル１０の境界を規定する。従って、下側部材３の内側周囲部は内側境界部材３０ａを備え、下側部材３の外側周囲部は外側境界部材３０ｂを備え、境界部材３０ａおよび３０ｂはチャネル１０の境界を規定する。
【０１４８】
図３Ｇおよび３Ｈを参照すれば分かるように、筐体１は、内包型クラスプ機構２７および３７をさらに含む。図示したように、内包型クラスプ機構２７および３７は完全内包型クラスプ機構である。この事例において、完全内包型クラスプ機構２７および３７は筐体１の周囲部の内側全周を取り囲むが、他の事例においては、クラスプ機構２７および３７は、上側部材２および下側部材３の周囲部全体を取り囲んでいる必要はない。これらの完全内包型クラスプ機構２７および３７は、シールが筐体に内包されるように筐体を効果的にシールする。図示したように、完全内包型クラスプ機構は、留め具−溝型クラスプ機構として構成され、例えば、上側部材２のクラスプ機構２７は、上側部材のフック要素を受けて２つの筐体部材をロックして筐体１を形成するように適合化した全周に延びる溝として構成された下側部材３のクラスプ機構３７に嵌入する全周に延びるフックまたは留め具要素として構成される。
【０１４９】
具体的には、この実施形態において、上側部材２は内包型クラスプ機構の留め具またはフック２７を含み、下側部材は対応する内包型クラスプ機構溝３７を含む。上側留め具２７および下側溝３７は、互いに連結されて筐体部材２および３を互いに対してシールするように構成されている。なお、ここでは特定の実施形態において完全内包型クラスプ機構２７を記載したが、本願の本質から逸脱する事なく、完全内包型クラスプ機構２７および３７の他の変形例が可能である。例えば、特定の事例において、クラスプ機構は、上側および／または下側部材の全周囲部を取り囲む必要はなく、完全に内側でなくてもよく、ここに記載する留め具−溝型の構成とは異なる構成であってもよい。
【０１５０】
上記のクラスプ機構の１つ以上、例えば、クラスプ機構２７および３７に加えて、または、それに代えて、筐体は、上記のフック−溝型のクラスプ機構とは異なる構成を有する完全内包型クラスプ特徴部を含んでいてもよい。例えば、図３Ｆを参照して図示したように、筐体１は、歯−レセプタクル型のクラスプ機構１３を含んでいてもよい。図示したように、歯−レセプタクル型のクラスプ機構１３は、フック−溝型のクラスプ機構２７および３７に追加されていてもよいし、他の事例においては、その代わりであってもよい。
【０１５１】
図３Ｇおよび３Ｈの完全内包型歯およびレセプタクルクラスプ特徴部１３は、１つ以上の歯１３ａの１つ以上の部分を含んでいてもよい。また、完全内包型クラスプ特徴部１３は、１つ以上の歯受け部材１３ｂの１つ以上の部分を含んでいてもよい。１つあるいは複数の歯１３ａは、歯１３ａが歯受け部材１３ｂに取り付けられる際に上側部材２および下側部材３が互いに連結されて筐体１を形成するように、歯受け部材１３ｂに当接するように構成されていてもよい。
【０１５２】
例えば、特定の実施形態において、歯１３ａは上側部材２および下側部材３の周囲部に沿って配置されていてもよく、対応する上側または下側部材は対応する歯受け部材１３ｂを有する。この事例において、歯１３ａは上側部材２の周囲部２０ａに沿って配置され、歯受け部材１３ｂは下側部材３の周囲部３０ａに沿って配置される。しかし、他の事例において、歯１３ａは下側部材３の周囲部３０に沿って配置されていてもよく、歯受け部材１３ｂは上側部材２の周囲部２０に沿って配置されていてもよい。
【０１５３】
図３Ｆおよび３Ｇを参照して図示したように、上側部材２の周囲部２０ａに沿って３つの歯領域が配置されている。各歯領域は、１つまたは複数の歯を含んでいてもよい。この事例において、各歯領域１３ａは複数の歯を含む。歯１３ａは、上側部材２の内側周囲部材２０ａの縦の長さから遠ざかるように、横方向に内側方向に筐体の内部空洞へと延びる。歯１３ａは、対応する下側部材３の歯受け部材１３ｂ内に受けられるように構成される。
【０１５４】
結果的に、図示したように、下側部材３の内側周囲、例えば、内側境界部材３０ａに沿って配置される３つの歯受け領域１３ａがある。図示したように、歯受け部材１３ｂは、歯１３ｂが嵌入し得る（フィットして収まり入り得る）孔として構成されている。従って、上側部材２を下側部材３に取り付ける際に、３つの歯領域の歯１３ａは、下側部材３の３つの歯受け部材領域の対応する歯受け部材１３ｂに当接し、係合する。従って、結果的に、筐体１は、上側部材２を下側部材３に取り付ける事によって形成され、クラスプ機構２７および３７ならびにクラスプ機構１３ａおよび１４３ｂを互いに接合する事によってシールされる。なお、様々な実施形態において、図３Ｇおよび３Ｈに図示するように、クラスプ機構２７および３７または１３ａおよび１３ｂのいずれかは、個々にまたは組み合わせて提供され得る。さらに、ここでは、クラスプ機構１３ａおよびｂを３つの異なる領域において周囲部の周りに配置されているとして記載したが、それによって防液および耐衝撃シールが得られる限りにおいて、３つよりも多いまたは少ない領域に配置されていてもよい。
【０１５５】
従って、なお、歯および歯受け部材は、互いに相互作用して筐体の上側および下側部材を互いに連結する事ができる限りにおいて、どのような好適な構成を有していてもよい。よって、歯および／または対応する歯受け部材の数、サイズおよび位置は異なり得る。例えば、１つの長い歯または幾つかの短い歯が含まれていてもよい。歯は、周囲部全体または任意の数のそのサブ部材に沿って配置されていてもよい。図示したように、上側部材の３つの側面に沿って配置された３つの歯領域がある。しかし、歯は上側部材ではなく下側部材上に配置されていてもよく、および／または、必要に応じて、上側または下側部材の１つ、２つ、３つまたはそれ以上の側面に沿って１つ、２つ、３つまたはそれ以上の歯領域が含まれていてもよい。
【０１５６】
同様に、１つの長歯受け部材または幾つかの短歯受け部材が含まれていてもよい。歯受け部材は、周囲部全体または任意の数のそのサブ部材に沿って配置されていてもよい。図示したように、下側部材の３つの側面に沿って配置された３つの歯受け部材領域がある。歯受け部材は、歯部材に対応し、相互作用して、上側および下側部材が互いに連結された時に筐体を固定およびシールするように構成されている。なお、歯および／または歯受け部材は、上側または下側部材の一方または両方の上に、また、必要に応じて内側または外側周囲部上に配置されてもよい。
【０１５７】
図３Ｉおよび３Ｊは、本願の筐体１の別の実施形態を示すが、この事例において、上側部材２は前面膜２５を含まない。代わりに、周囲部２０の界面および格納機器１００の前面１２５の間に追加的パッキン１５ｂが設けられる。この追加的パッキン１５ｂは、筐体が格納機器の前面スクリーン１２５に当接する上側筐体部材を通して液体が侵入するのを防ぐ機能を果たす。
【０１５８】
具体的には、筐体は、上記のように互いに連結されて筐体１を形成するように構成された上側部材２および下側部材３を含む。しかし、ここに記載するように、上側および下側部材クラスプ機構によって生じる狭持力は、上側部材−機器界面において防液シールを形成するのに十分であり、上側表面膜２５が必要でない事が分かった。追加的パッキン、あるいは接着材でさえ、上側部材−機器界面に設ければ、防水防汚シールを形成するのには十分である。
【０１５９】
従って、図３Ｉおよび３Ｊに図示するように、上側部材２の上側表面は、上側部材２の上側周囲部を少なくとも部分的に取り囲む上面周囲部２０ｃを含む。上面周囲部２０ｃは、ポリカーボネートのような剛性または半剛性プラスチックのようなあらゆる好適な材料から作製できる。これは、上側部材の上側表面のより大きいまたはより小さい部分を覆い得るが、典型的には、上側表面全体は覆わない。代わりに、ユーザーが装着機器のタッチスクリーンに直接アクセスできるように窓無し窓領域を設ける。
【０１６０】
図３Ｉおよび３Ｊを参照すれば分かるように、パッキンは、周囲部２０ｃのほとんどの部分、例えば、全部を取り囲み、それにより、周囲部２０ｃおよび格納機器の前面スクリーンの間に全周に延びるシールを提供する。例えば、上側部材２が下側部材３に取り付けられる際、把持力は、周囲部２０ｃおよび格納された電子機器の前面スクリーンの間でパッキン１５ｂを圧縮して、それにより、その間に防液防汚シールを形成するのに十分である。パッキン１５ｂは、接着剤の追加などの十分な機構によって、上側部材２、例えば、上面周囲部２０ｃに接合されてもよい。
【０１６１】
なお、この実施形態において、上面周囲部２０ｃは格納された電子機器の周囲部のほぼ全体を覆い、これにより、典型的な格納機器の非静電容量性のインタラクティブな前面スクリーン部を覆う。これらの格納機器の非静電容量性のインタラクティブな部分は、典型的には、ボタン特徴部１４０、音出口特徴部１４４、ビデオレンズ特徴部１４７、および近接センサ１４８のような追加的特徴部を含む。従って、これら覆われた格納機器の機能性がその後も利用できるように、上面周囲部２０ｃは、ここに記載するような対応特徴部要素を含むように構成されていてもよい。例えば、上面周囲部は、ここに記載するようなボタン特徴部４０、音出口特徴部４４、ビデオレンズ特徴部４７、および近接センサ４８のような１つ以上の追加的特徴部を含んでいてもよい。例えば、ボタン特徴部４０に関して、ボタン要素４０は、上面周囲部における切欠領域およびその切欠領域によって形成される孔を埋めるように形成されるパッキン部１５ｂとして構成されていてもよい。上面周囲部２０ｃは、光学的に無色、光学的に不透明、これら２つの混合物、および／または、１つ以上のデカールを含むようにスクリーン印刷されていてもよい。また、図示したように、パッキン部材１５ｂは、上面周囲部２０ｃ全体を取り囲むが、特定の事例においては、周囲部全体を取り囲む必要はない。
【０１６２】
図３Ｋ−３Ｌは、本願の筐体の別の実施形態を示す。この実施形態において、格納機器に個別にまたは組み合わせて適用可能な３つの異なる筐体要素があり、これらはそれぞれ異なる階層の保護を加える。例えば、図３Ｋを参照すれば分かるように、特定の実施形態において、本願の筐体１は、単に、この事例において膜からなる上側部材２からなるものでもよい。膜２は、電子機器１００に接合され、電子機器１００を覆って折り畳まれ、それにより、装着機器、例えば、その前面または後面に多少の耐衝撃性および傷耐性を与え、また防水保護をも与えるように設計された、幾つかの部分を含む。
【０１６３】
図示したように、筐体１は、最終実施形態においてはあってもなくてもよい特徴部を幾つか含んでいる。例えば、特定の事例において、膜２は、電子機器１００の前面スクリーン部１２５に接合されるように構成されたフェース形状フィット部２５を含んでいてもよい。また複数の内部または側縁周囲部２０ａを含んでいてもよく、この内部周囲部２０ａは、装着機器１００の側縁に接合されるように構成されている。複数の外部周囲または後部２０ｂをさらに含んでいてもよく、この外部周囲部２０ｂは格納機器の後部１３５を包み込んで覆うように構成されている。
【０１６４】
膜２は、ここに記載する複数の追加的特徴部要素を含んでいてもよい。例えば、膜２の内部周囲側縁部２０ａは、ゴムまたはＴＰＥ材料のような可撓性材料からなる部分のようなバンパー部を含んでいてもよい。また、側縁部２０ａは、形成されたボタン９９ａおよびｂまたはスイッチ特徴部を含んでいてもよく、これらの特徴部は、膜２または側面バンパー部（設けられる場合）内に形成されてもよい。膜２５の前面は、ボタン特徴部４０、音伝達部４４、近接センサ部４８、および／または、ビデオまたはカメラ部４７の１つ以上を含んでいてもよい。これらの部分は、上記のようにして膜２５内に形成されてもよい。特定の事例において、例えば、ホームボタン要素４０は、単に、前面膜２５上に形成された凹み領域であってもよいし、ゴムまたはＴＰＥで形成されたボタンのような追加された特徴部であってもよい。膜２はさらに、上部折畳領域２２および／または下部折畳領域２１を含んでいてもよく、これらの領域は、それぞれ上部または下部側縁部２２および２１を覆って折り畳まれるように構成されていてもよい。
【０１６５】
なお、膜２はサイドウィング部２０ａおよび２０ｂならびに上部および下部折畳部を有するように図示されているが、様々な実施形態においては、これらの部分の１つ以上は省略または異なる構成としてもよい。例えば、特定の事例において、上部折畳部２２および下部折畳部２１および／またはサイドウィング部２０ａおよびｂが含まれていなくてもよい。他の実施形態においては、サイドウィングおよび／または上部および／または下部折畳部は設けられるが、前面膜部２５は省略される。設けられる場合、上部および下部折畳部２２および２１は、ヘッドホン１５０または充電ポート１７０特徴部のような装着機器１００の様々な特徴部を覆うように構成されていてもよく、または、それらに合致する開口部を含んでいてもよく、よって、ポート特徴部に嵌入して膜２と相互作用し、それにより、上記のようなポート特徴部の防液および／または防汚シールを提供するように設計された１つ以上のプラグまたはカバー要素（ここに記載のもののような）と相互作用するように構成される。
【０１６６】
膜２は、格納する電子機器に直接接合するように構成されていてもよいし、あるいは、１つ以上の他の構造的要素と組み合わせて用いられてもよい。例えば、様々な事例において、膜２は、格納する電子機器１００に、例えば接着剤または静圧等によって直接密着してもよいし、あるいは、膜２を枠組３に適用する前に電子機器１００に取り付けられる図３Ｌに示すような外部枠組３に接合してもよい。このような事例において、筐体１は、上側部材膜２が接合されて筐体１を形成する下側部材枠組３からなる。
【０１６７】
図３Ｌを参照すれば分かるように、特定の実施形態において、本願の筐体１は、単に、この事例において、ポリカーボネート、プリプロピレン、ＴＰＥおよびゴム等のような剛性または半可撓性材料からなる周囲枠組部材３からなるものでもよい。枠組３は、電子機器１００に取り付けられるように、および／または、電子機器１００を覆って折り畳まれ、それにより、装着機器の側縁などに多少の耐衝撃性および傷耐性を与え、また多少の防水保護をも与え得るように設計された幾つかの部分を含む。
【０１６８】
図示したように、筐体１は、最終実施形態にはあってもなくてもよい幾つかの特徴部を含む。例えば、特定の事例において、枠組３は、形状フィット性の上側および下側部材３２および３１を含んでいてもよく、これらの部材は、装着電子機器１００の遠位部および近位部を覆って嵌装されるように構成されている。近位キャップ部材３１および遠位キャップ部材３２は剛性または半剛性または可撓性材料からなるものでもよく、それにより、格納する電子機器の近位部および遠位部に形状フィットする。近位キャップ部材３１および遠位キャップ部材３２は、装着機器１００の対応特徴部を収容する１つ以上の特徴部をさらに含んでいてもよい。例えば、近位端部３１または遠位端部３２は、１つ以上のアクセサリ（例えば、ヘッドホン）挿入ポート５０、音伝達ポート６０、充電ポート７０等を含んでいてもよい。これらの特徴部は、ここに記載したようにして、筐体部材内に形成する事ができる。
【０１６９】
様々な事例において、枠組部材３は後側部材３５をさらに含んでいてもよく、この後側部材は、枠組部材が可撓性または半可撓性材料からなる場合などは、端部キャップ部材３１および３２と一体であってもよく、あるいは、枠組部材がポリカーボネートのような剛性材料からなる場合などには他の方法で取り付け可能であればよい。図示したように、後側枠組部材３５は、格納機器１００の後部または側部全体を覆わない。しかし、様々な実施形態において、枠組部材３は、後部の全体またはほぼ全部を覆う後側部材３５を含んでいてもよいし、および／または、周囲部、例えば、側縁部をも含んでいてもよい。図示したように、後側部材３５は、窓部をさらに含み、カメラおよびフラッシュレンズが内蔵されたレンズ部８０をさらに含む。
【０１７０】
枠組部材３は、格納する機器１００に直接接合してそれ自体を筐体１として使用するように構成されていてもよいし、あるいは、１つ以上の膜（例えば、前面膜）部２および／または図３Ｍに示すようなオーバー枠組部４と連携するなど、１つ以上の他の筐体要素と連携して使用するように構成されていてもよい。
【０１７１】
図３Ｍは、筐体１として単体であるいはここに記載したような膜２および内部枠組部３と組み合わせて用いる事ができる外部枠組特徴部４を示す。図示したように、外部枠組部４は後側部材（不図示）を含み、この後側部材は、格納する電子機器１００のクレードルとなり、および／または、同目的のために膜２および内部枠組３と相互作用するように構成されている。後側部材は複数のクリップ部を含み、これらのクリップ部は、中に格納する機器１００の各側縁を覆うように構成されている。この事例において、遠位クリップ部４ａ、近位クリップ部４ｂおよび４ｃ、ならびに側面クリップ部４ｄおよび４ｅの５つのクリップ部がある。ここでは５つのクリップ部が設けられているが、他の事例においては、１つ、２つ、３つ、４つ、６つ、あるいはそれ以上のクリップ部が設けられていてもよい。外部枠組部４は、剛性、半剛性、または可撓性材料までをも含むあらゆる好適な材料から作製され得る。しかし、この事例において、外部枠組部材４は半剛性材料からなり、この半剛性材料は、クリップ部が機器１００の側縁にカチッと嵌りその中に保持するように曲がる事ができる。後側部材は、ベルトクリップ部材、自転車クリップ部材およびアームバンド部材等のような１つ以上の他の特徴部と連接するように構成されていてもよい。装着機器のレンズ部またはスピーカーまたはマイク部を収容する切欠部も含まれていてもよい。
【０１７２】
上記のように、膜２、内部枠組部材３および外部枠組部４は、例えば機器１００に直接接合するなど、別々に用いられるように構成されていてもよいし、あるいは、他の一方または両方と組み合わせて用いられてもよい。従って、ここに開示する１つ以上の筐体は、別々にパッケージ化されてもよいし、一緒に、例えば、キットとしてパッケージ化されてもよい。
【０１７３】
図４は、本願の筐体の幾つかの異なる変形例を示す。図４Ａは、クラスプ機構２７を有する上側部材２、および、クラスプ機構３７を有する下側部材３を示す。この実施形態においては、上側部材２および下側部材３は周囲部から構成されるが、周囲部２および３に加えて前面膜２５および／または後面膜３５のような筐体の前面および／または後面も設けられていてもよい。パッキン１５も含まれていてもよい。上側部材２および下側部材３および／またはパッキン１５は、電子機器を取り囲んでいてもよい。パッキン１５および格納された電子機器１００の前面スクリーン１２５と共に、上側部材２および下側部材３を互いに接合するために接着剤２６が設けられてもよい。
【０１７４】
図４Ｂは、本願のラッチ機構の拡大図を示す。上側部材２および下側部材３が設けられる。上側部材２は、内側周囲部２０ａおよび外側周囲部２０ｂを含む。内側および外側周囲部は、同じまたは異なる材料からなる。例えば、内側周囲部は、ポリカーボネートのような硬いプラスチックからなるものでもよく、外側周囲部２０ｂは、ＴＰＥのようなより可撓性のある材料からなるものでもよい。上側部材２はさらにクラスプ機構２７を含む。クラスプ機構２７は、ポリカーボネートのような硬い要素を含んでいてもよい。下側部材３は、内側および外側部材をも含んでいてもよい。図示したように、周囲部３０が設けられる。周囲部３０はクラスプ機構３７ｃを含み、クラスプ機構３７ｃは、上側部材のクラスプ機構２７を受けるように適合化した１つ以上の孔または溝として構成されていてもよく、クラスプ機構２７は、リッジ部材または１つ以上の歯部材として構成されていてもよい。上側部材２のクラスプ機構２７は、外側周囲部２０ｂの可撓性材料によって与えられる弾力によってクラスプ機構３７内に保持され得る。上側部材２または下側部材３の周囲部は、平坦であっても、または、実質的に曲がっていてもよい。
【０１７５】
図４Ｃは、図４Ｂの周囲部クラスプ機構３７ｃの２つの異なる実施形態の拡大前面図および側面図を示す。図４Ｃを参照すれば分かるように、クラスプ機構３７ｃは、対応する上側部材の歯状クラスプ機構２７のためのようなレセプタクルとして構成されていてもよいし、あるいは、１つ以上の溝要素を含むように構成されていてもよい。前面図および側面図を示す。
【０１７６】
図４Ｄは、本願の筐体の好適なクラスプ機構の別の実施形態を示す。筐体は、折り畳み可能であってもよいクラスプ機構２７を有する上側部材２と、折り畳み可能であってもよいクラスプ機構３７を有する下側部材３とを含む。さらなる周囲部４が含まれていてもよく、周囲部４は複数のクラスプ機構４ａおよびｂを含んでいてもよい。周囲部４およびクラスプ機構４ａおよびｂは、それぞれ、上側部材２および下側部材３のクラスプ機構２７および３７を受けるように設計されていてもよい。周囲部４および格納機器の周囲の間に圧縮性パッキン１５も設けて、これにより、上側および下側部材を周囲部４に取り付けた際に、例えば、カチッと嵌めた際に、パッキンが圧縮されて、クラスプ機構に対して張力を発揮し、それによりこれらの部材を定位置にロックするようにしてもよい。さらなる安全性のために、上側、下側および周囲部材に追加的クラスプ部材６をさらに取り付けていてもよい。さらに、さらなる安全性およびより強固な接合のために、１つ以上の接着剤部材２５が設けられていてもよい。このようにして、筐体を組み立てる事により、水密シールが提供される。
【０１７７】
図４Ｅは、本願の筐体１の別の実施形態を示す。筐体１は、上側部材２、下側部材３および周囲部材４を含む。上側および下側部材は半可撓性または可撓性材料から構成されていてもよく、周囲部は剛性部材からなるものでもよい。上側部材２は、周囲部材４上のクラスプ機構４ａに対応するクラスプ機構２７を含んでいてもよい。下側部材３は、周囲部材４上のクラスプ機構４ｂに対応するクラスプ機構３７を含んでいてもよい。また、１つ以上のパッキン１５が設けられていてもよい。様々な実施形態において、上側および／または下側部材は、剛性または半剛性プラスチックまたはプレスまたは形成された金属のような金属から作製してもよい。周囲部は、ポリカーボネートなどの剛性プラスチックまたはＴＰＥなどのより可撓性のある材料のようなプラスチックからなるものでもよい。この実施形態において、前面および／または後面膜は含まれていなくてもよい。
【０１７８】
図４Ｆは、図４Ｅの筐体１を、携帯電話のような電子機器１００を覆って組み立てた状態の側面図を示す。筐体１は、上側部材２、下側部材３および周囲部材４を含む。上側、下側および周囲部を組み立てて、クラスプ機構２７、３７、４ａおよび４ｂを互いに連結して、それにより、機器１００を覆って筐体１を防水シール状態でシールした状態におけるクラスプ機構２７ｃを示している。
【０１７９】
図４Ｇは、図４Ｅの実施形態に類似した別の実施形態を示す。この実施形態において、上側部材２および下側部材３は共に雄または雌いずれかのロック要素を有する凹凸クラスプ機構２７および３７を含み、周囲部材４は対応する雌および／または雄ロック要素４ａおよび４ｂを含み、これにより、上側部材２および下側部材３が互いに連結された際、例えば、カチッと嵌められた際、雄および雌ロック要素が互いに接合して、筐体１が機器１００を覆って水密シール状態でシールされる。
【０１８０】
図４Ｈは、今度は、上側部材２および下側部材３間に介在する周囲部材４がない、改変された構成を有する図４Ｅの別の実施形態を示す。この実施形態において、上側部材２および下側部材３は、互いに連結されて機器１００を覆って筐体１を形成およびシールするように構成された対応クラスプ機構２７および３７を含む。この実施形態において、上側および下側部材は幾つかの追加的スタンドオフ（例えば１６ａ、ｂ、ｃ、ｄ、等）をさらに含んでいてもよく、１つ以上のパッキン１５がさらに含まれていてもよい。上側部材２および／または下側部材３は、１つ以上の硬質プラスチック（例えば、ポリカーボネート）の外側部８ａ間に挿入されたＴＰＥ角部バンパー部のような１つ以上のバンパー部８ｂをさらに含んでいてもよい。
【０１８１】
図４Ｉは、本願の筐体の別の実施形態を示す。筐体は、クラスプレセプタクル２７ａを有する上側部材２およびクラスプレセプタクル３７ｂを有する下側部材３を含む。上側部材２および下側部材３は、追加的クラスプ機構２７ｃを追加する事によって互いに連結されてシールされ、追加的クラスプ機構２７ｃは、クラスプレセプタクル２７ａおよび３７ａ内に挿入され、接合されるように構成された複数の端部を含んでいてもよい。クラスプ機構２７ｃは、可撓性のある（例えば、バネ）クリップ部材として構成されていてもよく、このクリップ部材が上側部材２および下側部材３に連接した時に筐体１が形成され防液シール状態でシールされる。上側部材２および下側部材３は、さらなるロック機構をさらに含んでいてもよい。例えば、上側部材２および下側部材３は、互いに連結されて、それにより、筐体１の部材をシールするように構成されたさらなる対応雄および雌クラスプ機構２７ｂおよび３７ｂを含んでいてもよい。様々な実施形態において、上側および下側部材は、それらが接合された時にパッキン１５を挿入可能なチャネル１０を形成するように構成されている。シールを実現するために筐体−機器界面において防水接着剤を用いてもよい。この実施形態においては、電子機器１００の前面スクリーン１２５に対して上側部材２をシールするのに接着剤を使用してもよいので、前面膜は含まれていなくてもよい。
【０１８２】
図４Ｊは、図４Ｈの別の実施形態を示すが、この実施形態においては、上側部材２および下側部材３が互いに連結された時に、筐体１の下側表面上ではなく、筐体１の上側表面上にチャネル１５が形成される。なお、この実施形態において、上側部材２および下側部材３は、互いに連結されて筐体を水密シール状態でシールするように構成された対応クラスプ機構２７および３７を含む。この実施形態において、外部クリップ機構２７ｃは設けられないが、必要に応じて、図４Ｉの実施例に示したような追加的クラスプ機構の構成を含むように上側および下側部材を構成してもよい。
【０１８３】
図４Ｋは、上側部材２および下側部材３がそれぞれ延長クリップ受け要素２７ａおよび３７ａを含んでいる図４Ｈの別の実施形態を示す。外部クリップ機構２７ｃも設けられている。この実施形態において、上側部材２および下側部材３は、筐体１が形成された際にクリップ受け要素２７ａおよび３７ａが互いに位置合わせされるように互いに連結されるように構成されている。そのように位置合わせされた時、クリップ機構２７ｃは、対応クリップ受け要素上をスライドして、上側および下側部材を互いにロックして、筐体１に液密シールを提供し得る。なお、クリップ受け要素およびクリップ機構は、筐体部材が互いにカチッと嵌る事をより確実にするように、対応する雄および雌要素をさらに含んでいてもよい。
【０１８４】
図４Ｌは、本願の筐体の別の実施形態を示す。筐体１は、対応クラスプ機構２７および３７を接合する事により互いに連結されるように構成された上側部材２および下側部材３を含む。筐体１および格納機器１００間が確実に防水係合するように、パッキンと接着剤２６の組み合わせをさらに設けていてもよい。この実施形態においては、筐体をさらに安定させるために、上記のような結束クリップ２７ｃをさらに設けている。クリップ要素２７ｃは、上側および下側部材を覆ってフィットするのに十分な可撓性を有し、且つ、これら２つの部材を防液シール状態でシールするのに十分に剛性なクランプ部材であってもよい。
【０１８５】
図４Ｍは、本願の筐体の代替的な実施形態を示す。筐体１は、クラスプ機構２７を有する上側部材２およびクラスプ機構３７を有する下側部材３を含む。クリップ要素４も設けられている。この実施形態において、クリップ要素４は、それぞれ対応クラスプ機構２７および３７に取り付けられるように構成されたロック要素を含む。また、この実施形態において、クリップ要素４は、内部部材４ｂおよび外部部材４ａを含む。様々な事例において、内部クリップ部材４ａおよび外部クリップ部材４ｂは共に、ネジ部材のような固定部材２７ｃを接合して筐体の部材をさらにロックし得る１つ以上の孔を含んでいてもよい。固定部材２７ｃは、垂直または水平挿入点からクリップ要素に接合されるように構成されていてもよい。
【０１８６】
図４Ｎは、ネジ要素２７ｃが筐体１の周囲部に沿った定位置にロックされた状態で機器１００を格納する図４Ｍの筐体の前面図および後面図を示す。
【０１８７】
図５Ａは、本願の上側部材２の上側表面２５の斜視図である。上側表面２５は膜を備えている。膜はあらゆる好適な材料から作製され得る。膜は典型的には透明であるが、１つ以上の光学的に不透明な領域を含んでいてもよい。不透明な領域は、全体が不透明であってもよいし、１つ以上の光学透過性領域を含んでいてもよい。従って、図５Ａに図示するように、膜２５は、光学透過性領域および不透明な領域を含み、この不透明な領域は、光学的に無色な領域（例えば近接センサ特徴部４８）およびボタン特徴部４０の２つの特徴部を含む。
【０１８８】
図５Ｂは、筐体１の上側部材、例えば、膜２５内に含まれ得る幾つかの他の特徴部およびその部品を示す。これらの特徴部は、ボタン特徴部４０（またはホーム孔）、音響孔特徴部４４、カメラレンズ部４７、および、近接センサ部４８を含む。
【０１８９】
この実施形態において、ボタン特徴部４０は、複数のサブ特徴部を含む。例えば、ボタン特徴部４０は、ボタン特徴部ピボット４２と相互作用するボタン特徴部の第１の移行部４１を有するボタン特徴部膜を含んでいてもよく、ボタンが押下された時にボタン特徴部ピボットが変形する。また、ボタン特徴部４０は、好適な接着剤でボタン特徴部膜の裏面など、ボタン特徴部膜に取り付けられるスタンドオフまたはアクチュエータを含んでいてもよい。ボタン特徴部のスタンドオフは、ボタン特徴部が押下された時にスタンドオフが装着機器のボタンに当接し、このボタンを効果的に操作できるように構成されていてもよい。ホームボタン４０はあらゆる好適な方法で作製でき、例えば、ここに記載したように部品パーツを組み立てる事で作製されてもよいし、前面膜２５と一緒に熱成形などの方法で成型されてもよい。従って、この実施形態においては、ボタン特徴部４０は幾つかの異なる要素からなるが、様々な他の実施形態においては、ボタン特徴部は、リッジ領域で取り囲まれた前面膜２５の単なる凹部（例えば、熱成形された凹部）であってもよい。ここでは示していないが、特定の実施形態においては、ホームボタンの内向面は、ホームボタン４０が装着機器のホームボタン１４０により良く係合するよう機能し得る接着剤スペーサー要素のようなスタンドオフを含んでいてもよい。
【０１９０】
様々な実施形態において、音響孔特徴部４４は、水不透過性パッキン、例えば、音響膜またはベント材料４５で覆われた音響出口孔４９から構成され、この膜材料は、音響孔４９を覆い、それにより、音は伝達させながら同時に水の侵入を防ぐ。図５Ｂを参照して、この実施形態において、音響孔特徴部４４は、複数のサブ要素を含む。例えば、音響孔特徴部４４は音響膜材料４５ａを含み、音響膜材料４５ａは音響出口孔４９を含む。音響膜材料４５ａは、膜２５とはオフセットして接着剤リング４６で接合され、さらに、音透過性且つ液体不透過性の音響ベント材料４５ｂと連接する。音響ベント材料４５ｂは、音響出口孔４６を覆って、それにより、音は伝達させながら同時に水の侵入を防ぐように音響膜材料４５ａと連接していてもよい。
【０１９１】
膜２５は、また、装着機器のビデオカメラおよび近接センサと相互作用するように構成され得るビデオカメラ領域４７および近接センサ４８を含んでいてもよい。この実施形態において、ビデオカメラ領域および近接センサ領域は光学的に無色な領域である。他の様々な実施形態において、カメラ領域は、格納機器のカメラレンズと位置合わせされるように構成されるレンズを含んでいてもよい。
【０１９２】
特定の事例において、装着電子機器１００の近接センサ１４８が設けられる場合、近接センサ１４８は典型的には機器（例えば、タッチスクリーン機器）に内蔵され、機器がユーザーの顔あるいはポケットや他の格納要素の境界付近に位置する時に、タッチスクリーン１２５のタッチ機能を無効化し、それにより、顔、耳あるいは他の物によってタッチインターフェースが誤動作するのを防ぐ。図５Ｃを参照すれば分かるように、このような近接センサ１４８は、典型的には、赤外線送信機１４８ａと、近接状態にある顔またはポケットのような対象物からの赤外線送信機からの反射を検出する赤外線受信機１４８ｂとから構成される。
【０１９３】
図５Ｃに図示するような特定の事例において、機器１００を筐体１内に格納すると、筐体１のスクリーンまたは膜２５と近接センサ１４８を有する電子機器１００のスクリーン表面１２５との間に空隙が出来る場合があり、それにより、近接センサ１４８が自身のビームの反射を検出して近接センサが誤って作動し、結果的に、タッチスクリーンインターフェース１２５を意図に反して無効化してしまう。
【０１９４】
特定の実施形態において、本願の筐体１は、図５Ｃに図示するように様々な方法でこれらの問題を克服し得る。例えば、意図しない空隙は、以下に示す１つ以上の方法で、防止および／または低減でき、それにより、近接センサ１４８の誤作動を抑える事ができる。定められた厚さの光学的に透明な部材４８ａ、例えば、スペーサーを成型または他の方法により膜２５に密着させて空隙を埋めてもよい。接着剤は、特定の事例においては、糊、接着剤テープ、熱溶着、成形、静電吸着、表面張力、等のようなあらゆる好適な接着剤であってよい。また、物理的変形４８ｂを膜２５に加えて、膜２５の近接センサ部４８の光学的に無色な領域を形成して空隙を低減してもよい。このような凹部形成は、コールドプレスまたは膜を熱成形する事によって行われてもよい。さらに、そこに継続的な正の張力を与えるために、膜２５をオーバーフォームしてもよい。また、光学的に無色な接着剤が両面に付いた予め定められた厚さの部材を膜２５に付して、その膜２５を電子機器１００のスクリーンに密着させて、完全に空隙を無くしてもよい。接着剤は、表面張力、静電吸着、粘性流体、接着剤、等によって形成され得る。
【０１９５】
図５Ｄは、図５Ａの膜２５の断面図である。図５Ｄに図示するように、上側表面膜２５は、上側部材２の一方の側面２３から上側部材の他方の側面２４まで延びている。膜２５は、膜２５を取り囲む隆起したリッジ部４３を含んでいてもよい。隆起したリッジ部は、後掲の図６に示すように上側部材２の周囲部２０に当接するように構成されていてもよい。特定の実施形態において、膜２５はその全面に亘って平坦であり、よって、膜２５の周囲部４３は隆起したリッジ部ではない。
【０１９６】
しかし、図５Ｄに示すように、特定の事例において、膜２５は、例えば筐体１の周囲部、例えば、上側部材に当接し得る部分のような内側部および外側周囲部４３を含んでいてもよい。上記のように、上側部材２の周囲部２０は、内側膜当接部材を含む第１のサブ部材または内側周囲部２０ａおよび外側膜当接部材を含む第２のサブ部材または外側周囲部２０ｂのような複数のサブ部材を含んでいてもよい。従って、膜２５は、膜２５の後面が内側周囲部２０ａの内側膜当接部材の少なくとも一部と連接し、膜２５の前面が外側周囲部２０ｂの外側膜当接部材の少なくとも一部と連接するように、周囲の一方の側面２３から他方２４まで延びるように構成されていてもよい。例えば、以下の図６を参照。
【０１９７】
図６は、図５Ｄの膜２５をどのように上側部材２の周囲部２０に連接させればよいかに関する例示的な実施形態を図示する。図６Ａを参照すれば分かるように、膜２５は、上側部材２に亘って延びる内側部と、上側部材２の周囲部２０に当接する周囲部２６とを含む。上側部材２の周囲部２０は、内側膜当接部材を含む内側周囲部２０ａと、外側膜当接部材を含む外側周囲部２０ｂとを含む。
【０１９８】
膜２５は、上側部材の一方の側面２３から上側部材２の他方の側面２４まで延びるように構成されている。膜は前面２５ａおよび後面２５ｂを有する。膜２５ｂの後面は、上側部材２の内側周囲部２０ａの内側膜当接部材の少なくとも一部と連接し、膜２５ａの前面は、上側部材２の外側周囲部２０ｂの外側膜当接部材の少なくとも一部と連接する。
【０１９９】
この実施形態において、内側周囲部２０ａは、第１の成形処理で作製された剛性材料、例えば、剛性プラスチック、金属、ポリカーボネート等のようなアンダーモールドされた材料を備え、その後膜２５が追加および接合され、そして、外側周囲部２０ｂは、第２の成形処理で、例えば、剛性内側周囲部２０ａが作製され膜２５が接合された後に作製された、ゴムのような半可撓性材料、ＴＰＥ、ポリエチレン等のようなオーバーモールドされた材料を備えている。よって、剛性の第１の周囲部２０ａを作製した後、膜２５を、接着剤層などにより周囲の一方の側面２３から他方２４まで付与および接合する。その後、例えばオーバーモールド処理で、半可撓性または可撓性外側周囲部２０ｂを、内側周囲部２０ａに、また、膜２５の周囲部４３を覆って作製および付与してもよい。
【０２００】
このような事例において、上側部材２の内側周囲部２０ａは、膜２５ｂの後面に直接または中間接着剤層を介して連接する内側または後面膜当接領域を含み、外側周囲部２０ｂは、膜２５ａの上側表面に直接または中間接着剤層を介して連接する外側または上側表面膜当接領域を含む。このアンダーモールド／オーバーモールド処理において、膜２５は防液シール状態で周囲部に固定される。なお、図示したように、膜２５は、外側周囲リッジ特徴部２６を含むが、特定の実施形態において、このリッジ特徴部は含まれていなくてもよい。
【０２０１】
図６Ｂは、本願の機器の側面部の断面図を示す。筐体１のそれぞれ上側および下側部材２、３の側面２３および３３が図示されている。上側部材２の上側側面部材２３に関して、側面部材２３は上側部材２の周囲部２０を備えている。周囲部２０は、この実施形態において、内側周囲部２０ａおよび外側周囲部２０ｂを含む。内側周囲部２０ａは、剛性または半剛性材料から作製される。膜２５は、上側部材２の一方の側面２３から他方の側面２４まで延びている（不図示）。膜２５は、前側または上側表面２５ａおよび後側または下側表面２５ｂを含む。膜２５ｂの後側または下側表面は、内側周囲部２０ａに成形または他の方法で接合されている。
【０２０２】
例えば、膜２５は、好適な接着剤を介して、または製造過程において直接的に、例えば成形処理で、内側周囲部２０ａに接合され得る。外側周囲部２０ｂは、可撓性または半可撓性材料から作製される。外側周囲部２０ｂは、成形（例えば、オーバーモールド処理）などの当該分野において既知の様々な手段によって、内側周囲部２０ａと連接させる事ができる。膜２５ａの前側または上側表面は、外側周囲部２０ｂに成形または他の方法で接合されている。例えば、膜２５は、好適な接着剤を介して、または成形処理において直接的に、外側周囲部２０ｂに接合され得る。このようにして、膜２５を周囲部２０に接合して、確実な密封シールを形成する。なお、特定の実施形態を図示してきたが、この構成の様々な局面は、図示した実施形態から逸脱する事なく変更する事ができる。例えば、特定の事例において、可撓性外側周囲部２０ｂをオーバーモールドせずに、脱着可能なように適合化した状態で、膜２５を上側部材２の周囲部２０の剛性枠２０ａに直接接合してもよい。全周に延びるパッキンのようなパッキンを設けてもよいし、設けなくてもよい。
【０２０３】
図６Ｃは、膜２５をどのように上側側面部２３に連接させればよいのかに関する実施形態を示す。上側側面部２３は、第１の処理で作製できる剛性枠組体を備えた内側周囲部２０ａを含む。そして、膜２５は、作製プロセス、例えば、成形処理において直接的に接合されてもよいし、または、１つ以上の介在接着剤層、例えば２５ｃおよびｄを追加する事によって間接的に接合されてもよい。特定の実施形態において、１つ以上の接着剤層は含まれていなくてもよい。
【０２０４】
ある実施形態において、剛性内部枠組２０ａを作製して膜２５を接合した後、第２のより可撓性の周囲部２０ｂを作製して、内側周囲部２０ａおよび膜２５に重ねる、あるいは他の方法でそれを覆うように成形してもよい。特定の事例において、膜２５は、１つ以上の接着剤２５ｃおよび／またはｄを介して周囲部２０ａおよび／またはｂに接合されてもよい。このようにして、膜２５および周囲部２０間に液密シールを形成し、内側周囲部２０ａは膜２５の下側表面２５ｂ（例えば、接着剤２５ｃを介して）に当接し、外側周囲部２０ｂは、上側部材２に対して、膜２５の上側表面２５ａ（例えば、接着剤２５ｄを介して）に当接するように構成されている。
【０２０５】
図６Ｄは、図６Ｃのオーバーモールドされた上側部材２のさらなる実施形態を図示する。剛性内部部材２０ａは、硬質ポリカーボネート材料などから作製され、例えば、介在接着剤の塗布により膜２５が連接する。あらゆる好適な接着剤または分子結合材料を用いる事ができる。膜２５を剛性体２０ａに接合した後、第２のより可撓性のある部材２０ｂ、例えば、ＴＰＥのような半可撓性または可撓性材料を、周囲を取り囲むように、作製し、剛性体２０ａおよび膜２５の周囲部２６の両方を覆って成形してもよい。このようにして、内部剛性体２０ａは上側部材２に強い内部枠組を与え、可撓性外部体２０ｂは上側部材２に衝撃吸収層を与える。さらに、このようなオーバーモールド処理は、膜２５の周囲部２０の外部および内部体２０ａ、ｂへの結合を高め、それにより、シールの信頼性を高めるとともに、シールが防液である事を確実にする。
【０２０６】
図６Ｄを参照すれば分かるように、上側部材２の剛性内側周囲部２０ａは、下側部材３の外側周囲部の対応クラスプ機構３７、例えば、境界部材３０ｂに液密シール状態で連接するように設計されるクラスプ機構２７を含む。液密シールは、下側部材３のチャネル１０内のパッキン１５の存在によってさらに保証される。例えば、上側部材２の内側周囲部２０ａのクラスプ部材２７が、外側境界部材３０ｂの対応クラスプ部材３７と連接するように下側部材３のチャネル１０内にスライドすると、上側部材２の内側周囲部２０ａの一部がパッキン１５に接触してこれを押下し、これにより、パッキンを圧縮して、液密シールをさらに保証する。この実施形態において、外側周囲部３０ｂのクラスプ部材３７は、チャネル１０の少なくとも一部を取り囲むように全周に延びる溝として形成される。よって、上側部材２の内側周囲部２０ａのクラスプ機構２７は、溝２７内に少なくとも部分的に受けられて、取り付けられ、それにより、上側部材２が下側部材３に取り付けられた時にチャネル１０を少なくとも部分的に取り囲むように構成されている。
【０２０７】
音響孔４９を覆って、それにより、音は伝達させながら同時に水の侵入を防ぐ、水不透過性パッキン、例えば、音響膜４５が被せられた音響出口孔４９を含む音響ベント特徴部４４を含む上側表面膜２５も図示されている。この事例において、音響膜材料４５は膜２５からオフセットして、接着剤リング４６で接合される。下側部材３の後面部材３５上に配置されたレンズ特徴部８０もさらに図示している。下側表面部材３５の上側表面３５ａはスタンドオフ１６も含む。図示したように、スタンドオフは凸部１６として図示されているが、特定の事例においては、下側部材３の中央部のような下側部材３の内側部３５ａに沿った任意の場所に配置され得る細長い隆起したライン部材であてもよい。例えば、下側部材３は、下側部材３の中央部に複数の平行な隆起スタンドオフ部材を含んでいてもよい。このような位置は、歪みの増大を招く事なく音の共鳴を最大化するのに最適であり得る。
【０２０８】
図６Ｅは、上記のようなオーバーモールド処理を示す。この製造プロセスは、筐体の部材を作製ために用いる事ができる。第１に、剛性内部構造２０ａをポリカーボネートのような剛性材料から作製する。第２に、ＩＭＤ−ＰＥＴフィルムのような膜２５を設けてもよい。特定の事例において、このフィルムまたは膜は、１つ以上のグラフィックを含んでいてもよく、そのような実施形態の場合、その３Ｄグラフィックのようなグラフィックはフィルム上に印刷されていてもよい。そして、膜をサイズ通りにカットして作製ツールに搭載する。そして、膜（例えば、フィルム）は、剛性ポリカーボネート構造２０ａに連接する（例えば、オーバーモールドされる）。膜２５は、硬質コートが上向きになるように配置され得る硬質または半硬質コーティングを含んでいてもよい。この表面は、結合しにくいものであり得る。このコーティングは、上向きになるように膜２５ａの上側表面上に配置されてもよい。そして、剛性材料の周囲構造２０ａ、および特定の実施形態においては膜２５は、ＴＰＥのようなより可撓性のある材料にオーバーモールドされ、それにより、より可撓性のある外側周囲部２０ｂを形成する。例えば、ＴＰＥのようなさらなる半剛性または半可撓性材料２０ｂを剛性材料２０ａおよび膜２５の周囲２６を覆って追加してもよい。このように、強固なシールを形成するように、膜２５を筐体１の剛性内部構造２０ａに接合し、より可撓性のある第２の構造２０ｂをその上を覆うように成形してもよい。
【０２０９】
従って、図６Ａ−Ｅを参照すれば分かるように、筐体１の上側部材２の周囲部２０は、複数のサブ部材を含んでいてもよく、その第１のサブ部材は、膜当接領域（例えば、前面膜２５ｂの下部の周囲部２６に当接する領域）を有する内側周囲構造部２０ａであり、その第２のサブ部材は、さらなる膜当接領域（例えば、膜２５ａの上部の周囲部２６に当接する領域）を有する外側周囲可撓性部２０ｂである。よって、膜２５は、膜の後面２５ｂが膜当接領域において内側周囲部２０ａと連接し、膜２５の前面２５ａが膜当接領域において外側周囲部２０ｂと連接するように、周囲の一方の側面２３から他方２４に延びるように構成されている。膜は、ここに記載するような１つ以上の表面特徴部をさらに備えていてもよい。
【０２１０】
例えば、特定の実施形態において、上側または下側部材は、前面および／または後面を含んでいてもよく、上部および／または後面は膜を備え、この膜は、単一の膜であってもよいし、互いに連接した複数の膜であってもよい。膜は、格納する装着機器の特定の特徴部を筐体が収容する事を可能にするような１つ以上の特徴部を含んでいてもよい。そのような特徴部には、音響膜特徴部、ボタン特徴部、近接センサ孔、ビデオカメラ孔および／またはレンズ特徴部、等が含まれ得る。
【０２１１】
従って、図６Ｆ−６Ｈを参照すれば分かるように、膜２５は、音響膜特徴部４４、レンズ特徴部４７、および近接センサ特徴部４８のような複数の特徴部を含んでいてもよい。図６Ｆは、筐体１の切断図を示す。音響膜特徴部４４は、第２の膜４５、例えば、音響膜がオフセット状態で取り付けられ得る膜２５内の音響出口孔４９を含んでいてもよい。しかし、この実施形態においては、音響膜４５は接合されない。代わりに、音響孔４９は空いたままになっている。レンズ特徴部４７は、以下に下側部材３を参照して説明するようにビデオカメラレンズのようなレンズを含んでいてもよく、あるいは、光学的に透明な領域を含んでいてもよい。この実施形態においては、レンズ特徴部は単に光学的に無色な領域である。近接センサ特徴部４８は、光学的に透明な領域を含んでいてもよいし、および／または、近接センサパッキン１７を含んでいてもよい。この実施形態においては、近接センサパッキン１７は含まれていない。
【０２１２】
さらに、ここには図示しないが、長い１片の接着剤テープのようなスペーサー要素を上側膜２５の後面２５ｂに付与してもよい。このスペーサーは、１つ以上の側面に沿って延びていてもよく、そのほぼ全長またはそれよりも短い一部に亘って延びていてもよい。そのようなスペーサー要素は、前面膜２５の後面２５ｂおよび電子機器１００のスクリーンの前面１２５の間に若干の間隙を形成するのに有用であり得る。この間隙は、格納機器１００の前面膜２５および前面スクリーン１２５間で音がより自由に共鳴できるようにする事などによる向上した音伝達、および／または、格納された電子機器の前面に前面膜２５がくっつく事により生じ得る光の内部反射によって「レインボー」またはニュートンリングが生じる事を防ぐなど、複数の理由で有用である。スペーサー要素は接着剤片であるとして記載しているが、前面膜２５または周囲部２０に接合可能であり、前面膜２５および格納機器のスクリーン間にニュートンリング（例えば、反射によるレインボー環）が生じるのを防ぐ事ができる限りにおいてどのような構成であってもよい。
【０２１３】
図６Ｇは、図６Ｆに図示した筐体１の上側部材２の後面膜２５ｂを図示し、防液音響ベント膜４５が音響ベント部４４に接合され、スペーサーパッキン１７が近接センサ部４８に接合されている。ここから分かるように、上側部材２は膜２５を備えている。膜２５は、複数の領域を含む。第１の領域、例えば、中央領域は、それを通してタッチスクリーン電子機器のタッチスクリーンインターフェースに相互作用可能な光学的に無色な領域を含み、第２の領域、例えば、周囲領域は、不透明になるようにマスキングされている。この実施形態において、不透明な領域は全体が不透明ではなく、ビデオカメラ光学孔４７および近接センサ４８のような複数の光学的に無色な領域を含む。また、不透明な領域は水不透過性パッキン４５に覆われた音響孔４９を有する音響ベント特徴部４４を含む。
【０２１４】
この実施形態において、水不透過性音響膜４５は膜２５に接合され、それにより、音を通すが水を通さない防液シール状態で孔４９を閉じる。このようにして、装着機器１００のスピーカー部１４４からの音は孔４９を通して伝達し得るが、液体は通さない。近接センサ特徴部４８は光学的に透明な領域を含むだけでなく、近接センサパッキン１７をさらに含む。近接センサパッキン１７は、膜２５からの光の反射が装着機器の近接センサ１４８に戻って、図５Ｃを参照して説明したように、近接センサを作動させてしまう事を低減もしくは完全に無くすように機能する。パッキン１７はいかなる好適な構成であってもよいが、様々な事例において、近接センサ領域４８を取り囲むように構成されていてもよく、パッキンを横断するように一方の周囲から他方へと移動する横断要素をさらに含んでいてもよい。この横断領域は、膜２５が装着機器１００の近接センサ１４８を作動させてしまう事を防ぐようにさらに機能し得る。
【０２１５】
図６Ｈは、図６Ｆの音響膜特徴部４４の切断拡大図を示す。図６Ｈを参照すれば分かるように、膜２５が図示されている。膜２５は、音が筐体１の上側部材２から出射できるように構成された孔４９を含む。孔４９は、音響膜４５のような二次膜で覆われている。第２の膜４５は、第１の膜２５からオフセットされて、接着剤リム４６で接合されている。第２の膜４５は音は通すが、水などの液体は通さない。
【０２１６】
例えば、図６Ｈを参照すれば分かるように、接着剤リムは、例えば、周囲に沿って音響膜４５に密着して、それにより、音響膜４５を膜２５に対してオフセットさせるスペーサー４６としてさらに構成されていてもよい。従って、特定の事例においては、スペーサーが含まれて、接着剤で音響膜４５および膜２５に接着していてもよい。他の事例において、スペーサーは含まれていなくてもよく、代わりに、接着剤の存在のみによって音響膜４５が膜２５からオフセットされていてもよい。
【０２１７】
第２の膜４５は、音および／または気体を通すが液体または固体は通さない音響膜であってもよい。例えば、音響膜４５は、ＧｏｒｅＴｅｘ（登録商標）のような半透過性膜であってもよい。接着剤は、あらゆる好適な接着剤であってもよく、第２の、例えば、音響膜４５に塗布されて、それにより音響膜４５を第１の膜２５に接合する。そのようなものとして、音響膜４５は、音が膜２５の音響出口孔４６を通る事を許容しながら、同時に、液体、例えば、水および汚れは通さない。図示したように、音響膜４５は、２つの部分４５ａおよび４５ｂを含む。第１の部分４５ａには開口部があり、開口部が位置合わせされるように前面膜２５の裏面２５ｂに直接接合されている。接着剤スペーサー４６は膜４５ａの上に配置され、さらに追加的水不透過性膜４５ｂに接合されており、この膜４５ｂは、膜４５ａおよび２５の開口部を覆って延びている。音響膜４５ｂは音響ベント孔４９を覆っており、それにより、筐体１からの音の出射を許容しながら水などの液体の侵入を防いでいる。
【０２１８】
携帯電話のような電子機器に共通の特徴部の１つは、ユーザーが操作する事により装着機器のプログラムに収められた様々なメニューの選択操作を行う事を可能にするナビゲーションボタン、例えば、ホームボタンである。従って、本願の筐体１は、ボタン特徴部４０のような対応ナビゲーションインターフェース特徴部を有する前面２５を含んでいてもよい。図７Ａ（ａ）−（ｆ）を参照すれば分かるように、特定の実施形態において、上側部材２の前面は、ボタン特徴部４０を有する膜２５であってもよい。
【０２１９】
図７Ａは、本願の筐体１に用いる事ができるボタン特徴部４０の３つの様々な実施形態を示す。ボタン特徴部４０は、上側部材２の膜２５が、効果的に（例えば、膜２５が大きく変形する事なく）収容機器１００の覆われたボタン特徴部１４０と相互作用する事を許容するようなあらゆる好適な構成であり得る。
【０２２０】
例えば、ボタン特徴部４０は、単に、膜材料２５と一体の特別に設計された凹みであってもよいし、あるいは、ボタン領域として、膜２５に対して成形、接着または他の方法で接合された硬いまたは可撓性材料の層を含む特徴部のような、膜に追加される追加的特徴部であってもよい。ボタン特徴部４０が前面膜２５に追加される追加的特徴部である場合、ボタン特徴部は、膜２５の厚さを増大させて筐体１の機能性および美観を低下させないように構成されていてもよい。
【０２２１】
図７Ａ（ａ）を参照すれば分かるように、筐体２の上側表面２５、例えば、ＰＥＴ膜のような膜は、少なくとも第１の移行部４１と連接し得る隆起したリッジまたはピボット領域４２によって少なくとも部分的に囲まれた凹み領域４０を含む。凹状ボタン特徴部４０、第１の移行部４１およびピボット軸領域４２は、ボタン特徴部４０が押下された際に、リッジ状ピボット領域４２が変形し、それにより、ボタン領域の外側で膜２５を大きく伸張する事なく凹状部分が移動できるようにするように構成されている。特定の実施形態において、ピボット軸領域４２は、より大きなピボット半径を有する支点を形成するように適合化できるリッジ状全周部を備えている。
【０２２２】
従って、このようにすれば、ボタン特徴部４０は、装着機器１００のナビゲーション領域１４０に当接して、それにより、ユーザーが収容機器の様々なメニューの選択操作を容易に行う事を可能にするように操作する事ができる。図７Ａ（ａ）および（ｂ）を参照すれば分かるように、ボタン特徴部４０の三次元形状は、筐体１の上側表面２５（例えば、膜）内に存在していてもよい。例えば、膜２５は、第１のおよび／または第２の移行部４１および４２をそれぞれ有するリッジ状全周部によって囲まれていても、囲まれていなくてもよい、凹み領域を含んでいてもよい。
【０２２３】
例えば、リッジ状全周部が含まれる場合、リッジ状全周部は第１の移行部４１を有していてもよく、リッジ状全周部がボタン特徴部４０の平坦または凹状ボタン表面を囲むような第２の移行部４２をさらに有していてもよい。ボタン表面を押下すると、少なくともリッジ状領域の第１の移行部４１が変形し、それにより、ボタン領域４０の外側で膜２５を大きく伸張する事なく凹状部分が移動できるようになる。
【０２２４】
さらに、リッジ状全周部は、より大きなピボット半径を有する支点４２を形成するように適合化できる。図７Ａ（ｂ）参照。ボタン表面を押下すると、リッジ状領域の第１の移行部４１が第２の移行部４２を支点としてピボット変形し、これにより、膜２５を大きく伸張する事なく凹状部分が移動する事をさらに許容する。
【０２２５】
さらなる実施形態において、図７Ａ（ｃ）および（ｄ）を参照すれば分かるように、ボタン特徴部４０は、ほぼ平坦な表面または若干の凹みがある表面であって、膜２５ｂの後面と連接する成形または接合されたニップルを有する表面として構成されていてもよい。ニップルは、ボタン特徴部の直接的中心に配置されていてもよいし、例えば、ホームボタンの異なる特徴部および／またはその別の構成を収容するように、直接的中心からオフセットしていてもよい。この実施形態においては、凹み領域および／またはリッジ状全周部４２は含まれない。代わりに、第１の移行部４１は直線的でシャープであり、それにより、シャープなピボットインターフェースを形成する。また、図７（ｃ）および（ｄ）を参照すれば分かるように、ボタン特徴部４０は全面に亘ってほぼ平坦であるが、ボタン特徴部が押下された時に、装着機器のボタンに押し込まれ得る、膜２５の裏面上のナブまたはニップルを含む。ボタン特徴部４０、第１の移行部４１およびニップルは、ボタン特徴部４０を押下した際に、膜２５がシャープなピボット４１に沿って曲がり、ニップルが装着機器１００のナビゲーションボタン１４０と当接して、それにより、ユーザーが収容機器の様々なメニューの選択操作を行う事を可能にする。
【０２２６】
さらなる実施形態において、図７Ａ（ｅ）および（ｆ）を参照すれば分かるように、ボタン特徴部４０は、膜２５ｂの後面に連接したノブを有する隆起した膜部材４０として構成されていてもよい。ノブ特徴部は、ボタン特徴部の直接的中心に配置されていてもよいし、直接的中心からオフセットされていてもよい。この実施形態においては、リッジ状全周部は含まれない。代わりに、第１の移行部４１は隆起しており、膜２５はノブを覆って伸張されている。ボタン特徴部４０、隆起した第１の移行部４１およびノブは、ボタン特徴部４０を押下した際に、隆起した膜部が下がり、ノブが装着機器１００のナビゲーションボタン１４０に当接し、それにより、ユーザーが収容機器の様々なメニューの選択操作を行う事を可能にする。よって、ボタン特徴部４０は、伸張した膜２５材料に覆われた、隆起した押下変形可能なノブ部を含んでいてもよい。ノブ部は、ボタン特徴部が装着機器１００のボタン１４０と相互作用する事を許容するように配置されていてもよい。
【０２２７】
図７Ｂは、本願の筐体１の側面切断断面図であり、図７Ａ（ａ）の凹状ボタン特徴部４０を示している。筐体１は、上側部材２および下側部材３を含む。上側部材２は、この実施形態において可撓性膜２５からなる前面を含む。前面膜は、ピボット側縁４１および隆起したピボットリッジ４２を含むボタン特徴部４０を含む。ボタン特徴部４０は、収容機器の「ホーム」または「メニュー」ボタンに当接するように凹んで構成されている。ピボットリッジ部４２は、ボタン４０が押下された際の移動を可能にするように、隆起し、且つ、ボタン特徴部４０を少なくとも部分的に取り囲んでいる。例えば、ボタン４０を押下すると、ピボット側縁４１がつぶれ、ピボットリッジ４２が下方向に延びる。
【０２２８】
上側部材２は、さらに、その近位端２１において充電ポート特徴部７０を含む。充電ポート特徴部７０は、充電ポートラッチカバーまたはドア７１ｂによって覆われた充電ポート開口部７１ａを含む。充電ポート開口部７１ａは境界部材によって境界が規定されている。境界部材は、あらゆる好適な材料から形成されていてもよく、あらゆる好適な形状であってよい。
【０２２９】
例えば、充電ポート境界部材は、内側および／または外側周囲部２０ａおよび／またはｂを作製するのと同じ材料からなるものでもよい。よって、充電ポート境界部材は、内側周囲部２０ｂと一体形成されていてもよいし、および／または、外側周囲部２０ｂに対してさらに形成されていてもよい。特定の実施形態において、充電ポート境界部材は、充電ポート開口部７１ａを形成するように上側部材２の硬いおよび／または剛性の内側周囲部２０ａと一体形成されていてもよい。その場合、第２の可撓性周囲部２０ｂが剛性の内側周囲部２０ａを覆ってもよく、内側周囲部２０ａの充電ポート開口部７１ａの境界を少なくとも部分的に規定するように、可撓性周囲部２０ｂ内に充電ポート切欠を切ってもよい。
【０２３０】
しかし、特定の事例においては、図７Ｂに図示するように、充電ポート境界部材は、充電ポート開口部７１ａを構成する複数の材料を含んでいてもよい。例えば、充電ポート開口部７１ａは、硬さの異なる複数の材料によって境界が規定されていてもよい。例えば、第１の境界材料は、充電ポート開口部７１ａに構造を与えるために設けられる硬い材料７２であってもよい。充電ポートドアパッキン７８の一部を受けるように構成された第２のより可撓性のある材料７３を含んでいてもよい。
【０２３１】
充電ポート特徴部７０は、充電ポートドアパッキン７８を含み得る充電器ポートドア７１ｂをさらに含んでいてもよい。充電ポートドア７１ｂおよびパッキン７８は共に、充電ポートオリフィス７１ａの防水シールを提供するように機能する。例えば、この実施形態において、充電ポート境界部材は充電ポートドアラッチ傾斜部受け部材７６を含み、充電ポートドア７１ｂは対応する充電ポートドアラッチ傾斜部７７を含む。充電ポートドアラッチ傾斜部７７は、充電ポートドアラッチ傾斜部受け部材７６内に受けられて、それにより、充電ポートドア７１ｂを境界部材にラッチするように構成されている。よって、充電ポートドア７１ｂを閉じた時に、パッキン７８が充電ポート開口部７１ａを覆い、それにより、開口部７１ａを効果的にシールし、液体の侵入を防ぐ。パッキンは、必要に応じて、パッキン７８により高い弾性を与えるようにより可撓性の低いゴム材料でさらに覆われ得るあらゆる好適な圧縮性材料からなり得る。
【０２３２】
充電ポートドア７１ｂは、充電ポート開口部７１ａへのアクセスを許可および／または防止するように開閉できるように構成されている。よって、充電ポート特徴部７０は、充電ポート軸７４をさらに含んでいてもよい。従って、充電ポートドア７１ｂは、軸７４が嵌入する軸受けオリフィス７５を含むように構成されていてもよい。このようにして、充電ポートドア７１ｂは軸７４を中心にして開位置から閉位置へと回転させて、それにより、開位置にある時には充電ポート開口部７１ａへのアクセスを許可し、あるいは、充電ポートドア７１ｂが閉位置にある時には防水シールを提供してアクセスを防止する事ができる。
【０２３３】
下側部材３も図示されている。下側部材３は、チャネル１０を有する周囲部３０を含んでいてもよい。チャネル１０は、内側周囲部３０ａおよび外側周囲部３０ｂによって境界が規定されていてもよい。下側部材３は、対応するラッチ機構２７および３７を介するなどして上側部材２に接続され、それにより、筐体１の防水シールを形成するように構成されている。具体的には、上側部材２は、内包型クラスプ機構２７をさらに含む内側周囲部２０ａを含んでいてもよい。下側部材３の外側周囲部３０ｂは、クラスプ機構３７を含んでいてもよい。クラスプ機構２７および３７は、上側部材２および下側部材３を互いに把持して、それにより、筐体１を形成するように、互いに連結されるように構成されていてもよい。
【０２３４】
防水シールをさらに保証するために、チャネル１０を筐体１の周囲部に沿って設けてもよい。チャネル１０は、その中に配置されたパッキン１５を含んでいてもよい。従って、上側部材２の内側周囲部２０ａが下側部材３の外側周囲部３０ｂに対して位置合わせされ、対応クラスプ機構２７および３７が互いに連結されると、上側部材２の内側周囲部２０ａが下側部材３のチャネル１０内においてパッキン１５を圧縮し、それにより、筐体１の防水シールを形成する。
【０２３５】
下側部材３の前面３５ａ上にスタンドオフ１６も図示されている。特定の実施形態において、下側または上側部材は、１つ以上のスタンドオフ１６を含んでいてもよい。例えば、衝撃保護および／または音伝達を向上させるなどした特定の実施形態において、上側および／または下側部材は、上側部材２または下側部材３の内側面上などに１つ以上の予成形されたスタンドオフ１６を含んでいてもよい。上記のように、スタンドオフ１６は、筐体１全体に亘って音の伝達を高めるようなサイズ、形状および構成で構成され得る。
【０２３６】
図７Ｃは、ボタン特徴部４０の別の実施形態の拡大図である。図７Ｃを参照すれば分かるように、様々な実施形態において、上側部材２および／または下側部材３は、パッキン１５を含み得るチャネル１０を含んでいてもよい。例えば、この実施形態において、上側部材２は内側周囲部２０ａを含み、内側周囲部２０ａは、内側チャネル境界部材２０ａ１および外側チャネル境界部材２０ａ２を含むようにさらに構成されている。この事例において、外側チャネル境界部材２０ａ２はクラスプ機構２７を含み、下側部材３の外側周囲境界部材３０ｂは対応クラスプ機構３７を含む。しかし、様々な事例において、この構成を逆にしてもよい。従って、設けられる場合、筐体１のチャネル１０は、上側部材２または下側部材３のいずれかに含まれてもよいし、上側および下側部材２および３の両方にそれぞれ含まれてもよい。
【０２３７】
特定の実施形態において、下側部材はさらに１つ以上の特徴部を含み得る。例えば、上側または下側部材はレンズ特徴部を含んでいてもよいが、特定の事例においては、下側部材３はレンズ特徴部８０を含む。例えば、図８Ａは、下側部材３の後面３５ｂの斜視図である。下側部材３は、遠位および近位端部３１および３２の両方、ならびに、下側側面部３３および３４を含む。カメラ部８０も設けられる。カメラ部８０は、光学スカート８２を囲む１つ以上の隆起したリップ部８１を含んでいてもよい。光学スカート８２は、少なくともカメラレンズを内蔵するカメラレンズ領域８３を格納するように構成されており、フラッシュレンズを内蔵するフラッシュレンズ領域８５をさらに含んでいてもよい。いずれのレンズも、光学透過性領域で置き換える事もできる。
【０２３８】
従って、特定の実施形態において、上部および／または下側部材２、３は、それぞれカメラおよび／またはフラッシュ特徴部８３および／または８５のようなレンズ特徴部を有するカメラ部８０を含んでいてもよい。典型的な例において、レンズおよび／またはフラッシュ特徴部は設けられない。代わりに、単に光学透過性領域が設けられる。このような領域は、格納機器のカメラおよび／またはフラッシュで撮る写真のクリアさを損ない得るので問題となり得る。例えば、フラッシュがある場合、保護されていない光学的に無色な領域では、装着機器のカメラレンズへの入射光の透過を許容し、それにより、撮った写真が色飛びしてしまう。他の事例において、カメラ部は、単に、それを通して写真を撮る事ができるケースの切欠部を備えている。しかし、これは、ケースを耐水にする事ができないかもしれず、理想的ではない。本願の筐体内にカメラおよび／またはレンズを設ける場合、筐体から一段高くなるように設ければよい。しかし、これは、拭き取り難く、傷が付き易く、保護し難いので、理想的ではない。
【０２３９】
従って、図８Ａを参照すれば分かるように、特定の実施形態においては、レンズ特徴部８０が設けられ、カメラ８３および／またはフラッシュ８５レンズのような１つ以上のレンズが、筐体１の上側部材２および下側部材３内に、一体になるように、且つ、実質的に一段高くならないように配置される。レンズ特徴部は、カメラ用レンズ８３および／またはフラッシュ用の別のレンズ８５を含んでいてもよく、また、光が間違って透過される事がないように、例えば、内部反射を低減してフレアを低減するように、１つ以上のレンズを囲む光学スカート８２をさらに含んでいてもよい。
【０２４０】
レンズ特徴部を作製する際、１つ以上のレンズを、筐体材料に対して面一となるように上側または下側部材に押し込んでもよい。ゴムやそのような他の材料を用いる典型的な成形処理は、ガラスに関しては、熱膨張および収縮に差があり難しいので、上記のような作製方法の方が成形よりも優れている。また、そのようなシールは水密にし難い。
【０２４１】
従って、ある実施形態において、１つ以上のレンズを内蔵したレンズ要素を収容する筐体が提供される。これらのレンズは、装着機器に内蔵されたレンズよりも小さい、等しい、あるいは大きい直径で設計してもよい。レンズ要素を有する筐体部材を作製する際、筐体部材を例えば成型により作製し、好適なレンズを別途設けてもよい。そして、マンドレルやそのような他の道具を使って、レンズ特徴部を筐体部材内に押し込めばよい。そうすれば、レンズ特徴部には、綺麗で、筐体部材の周辺材料と良好にフィットしたインターフェースが与えられる。レンズ特徴部は、レンズ特徴部と筐体材料との間において移行部が平坦で空洞がないように構成するべきである。
【０２４２】
特定の事例において、カメラ特徴部８０は、その中に１つ以上のレンズを押し込み得るエラストマー材料を含んでいてもよい。エラストマーは、カメラレンズをフラッシュレンズから分離するように１つのレンズを他のレンズから分離する光学的な仕切りを形成するように構成されていてもよい。そのような光学的な仕切りは、フラッシュレンズ８５のような１つのレンズからの出射光がカメラレンズ８３のような他のレンズに入射するのを防ぐのに有用であり得る。そして、エラストマーレンズ包含材料は、下側部材３に直接加えてもよいし、光学的に無色なプラスチック材料のような別の材料に加えて、そのプラスチック材料を、例えば接着剤で、下側部材３に接合してもよい。例えば、下側部材３をプリプロピレン材料などから作製して、下側部材３がレンズ特徴部オリフィスを含んでいてもよい。その場合、レンズ包含弾性材料は上記のように作製すればよい。プラスチックベース部材を作製して、その後、レンズ包含弾性材料を中に挿入すればよい。その後、プラスチック材料を、レンズ特徴部オリフィスを覆うように、例えば接着剤で、プリプロピレン下側部材３に接合してもよい。なお、エラストマースカートは、レンズ、例えば、カメラレンズ８３またはフラッシュレンズ８５を完全に取り囲んでいてもよいし、トングのような構成などで、レンズを部分的に取り囲んでいてもよい。
【０２４３】
図８Ａには、上記のラッチドア７１、ならびに、ここで以下により詳しく説明する音入口および出口６０ａおよびｂも図示されている。
【０２４４】
図８Ｂは、レンズ特徴部８０、例えば、図８Ａのカメラ特徴部の切断断面図である。この実施形態においては、レンズ特徴部８０は筐体１の下側部材３上に設けられるが、様々な他の実施形態においては、レンズ特徴部８０は上側部材２上に設けられてもよい。カメラ特徴部８０は、光学スカート８２を囲む隆起したリップ部８１を含む。光学スカート８２は、カメラレンズ８３を含むカメラレンズオリフィス８４と、フラッシュレンズ８５を含むフラッシュレンズオリフィス８６とを含む。
【０２４５】
図８Ｃは、図８Ｂのレンズ特徴部の拡大図である。カメラ特徴部８０は、光学スカート８２を囲む隆起したリップ部８１を含む。この構成は、下側筐体３およびカメラ特徴部８０の間に防液インターフェースを提供する。光学スカート８２は、カメラレンズ８３を含むカメラレンズオリフィス８４と、フラッシュレンズ８５を含むフラッシュレンズオリフィス８６とを含み、光学スカートは、一方のレンズから他方のレンズに光が伝達するのを防ぐように構成されている。
【０２４６】
図８Ｄは、図８Ｃのレンズ特徴部８０の上視図であり、下側筐体部材３の内部を示している。レンズ特徴部８０は、光学スカート８２を含む。光学スカート８２は、カメラレンズ８３を含むカメラレンズオリフィス８４と、フラッシュレンズ８５を含むフラッシュレンズオリフィス８６とを含む。なお、この実施形態においては、フラッシュレンズ８５を設けるが、他の実施形態においては、フラッシュレンズが無くてもよい。代わりに、単純な光学的に無色な透過領域を設けてもよい。光学スカート８２は、フラッシュからカメラレンズへの光の伝達を防ぐように構成されていてもよい。
【０２４７】
図８Ｅは、図８Ｄの光学スカート８２の切断図であり、カメラレンズ領域８４およびフラッシュレンズ領域８６を示している。
【０２４８】
図８Ｆは、図８Ｅの光学スカート８２の切断断面図であり、カメラレンズ８３があるカメラレンズオリフィス領域８４と、フラッシュレンズ８５があるフラッシュレンズ領域８６とを示している。
【０２４９】
図８Ｇは、図８Ｆの光学スカート８２の断面図であり、下側筐体部材３の内部を示している。光学スカート８２は、カメラレンズ８３を含むカメラレンズオリフィス８４と、フラッシュレンズ８５を含むフラッシュレンズオリフィス８６とを含む。
【０２５０】
図８Ｈは、筐体３のレンズ８３およびレンズスカート８２インターフェースを示している。レンズスカート８２は、レンズ８３により良好な視野を提供する同心円状のバフル詳細部を含む。好適なカメラレンズ８３およびフラッシュレンズ８５も示している。
【０２５１】
図８Ｉは、光学スカート８２のカメラレンズ孔８４に嵌入するカメラレンズ８３を示している。
【０２５２】
図８Ｊは、光学スカート８２のフラッシュレンズ孔８４に嵌入するフラッシュレンズ８５を示している。
【０２５３】
上記のように、特定の実施形態において、筐体は、電気的インターフェースポート、例えば、充電ポートのようなポート開口部を含んでいてもよい。装着機器を汚れ、液体、雪、衝撃等から保護するように、装着機器のさらなる保護を保証するために、筐体は、ポート開口部をカバーおよびシールするために開閉可能なポートカバーラッチをさらに含んでいてもよい。ポートおよび／またはラッチカバーは、例えば、筐体の近位または遠位端、あるいは、側面のような、筐体の周囲部に配置されていてもよい。特定の事例において、ポートおよびポートカバーラッチは、耐衝撃および耐水のラッチポートカバーである。ポートおよびラッチカバーは筐体の上部または下部周囲部材上に配置されていてもよく、また、開口部の一方の側面から他方の側面に亘って延びるように構成されていてもよい。
【０２５４】
例えば、図９Ａを参照すれば分かるように、特定の事例において、ラッチ特徴部７０を、筐体１の近位端に配置してもよい。ラッチ特徴部７０は、ポート開口部を有するポートまたはラッチ開口部境界部材７１ａを含み、ラッチカバー７１ｂをさらに含んでいてもよい。ポート開口部境界部材７１ａは開口部を取り囲み、この開口部は、装着電子機器を充電するための充電部材を受けるように構成されていてもよい。ラッチ特徴部７０は、ラッチ開口部境界部材７１ａを覆うように構成されたラッチカバー７１ｂを含んでいてもよい。この実施形態において、ラッチ開口部境界部材７１ａは、ポート開口部を形成する上側部材２の内側周囲部２０ｂと一体形成されている。
【０２５５】
ラッチ特徴部７０およびポート開口部境界部材７１ａは、あらゆる好適な構成を有し得る。ある実施形態において、ラッチ特徴部７０は、上側２または下側３筐体部材の一方内に完全に配置されている。結果的に、ラッチ特徴部の部品の全ては、その筐体部材上に完全に配置されることになる。代替的な実施形態においては、図９Ａに図示するように、ラッチ特徴部７０は、一方の筐体部材（例えば２）から他方の筐体部材（例えば３）に亘って延びるように構成される。よって、対向する筐体部材２および３は、ラッチカバー７１ｂに係合して、それにより、７１ａによって境界が規定されたポート開口部をシールするように構成された、対応するラッチ特徴部インターフェースを有することになる。いずれの事例においても、ポート開口部境界部材７１ａは開口部を含み、ポートカバー７１ｂ、例えば、ラッチカバーは、開位置から閉位置へと動いてポート開口部を覆うように構成されている。
【０２５６】
図９Ａを参照すれば分かるように、ラッチ特徴部７０は、一方の筐体部材２から他方の筐体部材３に亘って延びるよう構成されている。従って、筐体部材２、３のそれぞれは、対応するラッチインターフェースを含むことになる。例えば、ラッチ特徴部境界部材７１ａは上側部材２の近位端部２１内に配置され、ラッチ特徴部カバー７１は下側部材３の近位端部３１上に配置される。ラッチ特徴部７０は、ラッチカバー７１ｂを下側部材３に接続するラッチカバーコネクター７４のような複数のラッチカバーインターフェースをも含む。
【０２５７】
ラッチカバーコネクター７４は、ラッチカバー７１ｂに当接して、ラッチカバー７１ｂを上側部材２および下側部材３に接続し、開位置から閉位置へと移動のようなラッチカバー７１の移動を助ける事ができる限りにおいて、あらゆる好適な構成を有し得る。この事例において、ラッチカバーコネクター７４は、下側部材３の近位端部３１上に配置されるラッチ軸として構成されている。ラッチカバーコネクター７４は、上側部材２内に収納されるラッチ特徴部境界部材７１ａの下に配置されている。ラッチカバーコネクター７４は、ラッチコネクターオリフィス７５を介してラッチカバー７１ｂに係合し、それにより、ラッチカバー７１ｂが開位置から閉位置へと移動するのを助けるように構成されており、閉位置において、ラッチカバー７１ｂは、ラッチカバー境界部材７１ａによって境界が規定された開口部に亘って延びている。よって、ラッチカバー７１ｂが開位置から閉位置へと移動する結果、ラッチカバー境界部材７１ａによって境界が規定される開口部をカバーおよび／またはシールする事になる。この事例において、ラッチカバー７１ｂは、ラッチカバーコネクター７４を中心に回転するように構成されている。
【０２５８】
ラッチカバー境界部材７１ａの上には、ラッチカバー７１ｂに係合して、それにより、ラッチカバー７１ｂを閉位置に固定するように構成された別のラッチカバーインターフェースがある。この事例において、ラッチカバー境界部材７１ａの上にあるラッチカバーインターフェースは、ラッチカバーが閉位置にある時にラッチカバー７１ｂの対応ラッチ傾斜部インターフェース部７７に係合して、それにより、ラッチカバー７１ｂを閉位置に固定するように構成されたラッチ傾斜部受け部材７４である。図示したように、ラッチ傾斜部受け部材７４は、ラッチポート開口部境界部材７１ａの上にある上側部材２上に配置されている。
【０２５９】
特定の実施形態において、ラッチカバー７１ｂを閉じると、ポート開口部が液密シール状態で閉じられる。確実に液密シールとなるように、ラッチ特徴部７０は１つ以上の追加的特徴部を有していてもよい。例えば、ラッチ特徴部７０は、Ｏリングまたは他の押下変形可能なパッキンのようなパッキン７８を含んでいてもよい。例えば、図９Ａに図示するように、ラッチカバー７１ｂはパッキン７８を含み、このパッキンは、ラッチカバー７１ｂが開位置から閉位置へと移動する際に、パッキン７８がポート開口部に嵌入し、それにより、ポートをシールするように、ラッチ開口部境界部材７１ａの開口部に嵌入するような寸法になっている。他の実施形態において、パッキン７８は、ラッチポート開口部に完全に嵌入するのではなく（フィットして収まり入れるのではなく）、ラッチポート開口部を取り囲むように構成されている。
【０２６０】
図９Ｂに図示するように、ラッチ開口部境界部材７１ａはパッキンインターフェース面７３を含み、パッキンインターフェース面７３は、パッキン７８ａと相互作用して、それにより、ラッチカバー７１ｂが閉構成にある時、例えば、ラッチ傾斜部インターフェース７７がラッチ傾斜部７６に取り付けられている時に、水密シールを提供するように配置されている。パッキン座７３およびパッキン７８ａのうちの１つ以上は、ラッチカバー境界部材７１ａ上に配置されてもよいし、あるいは、ラッチカバー７１ｂ上に配置されてもよいし、その両方であってもよい。特定の実施形態において、ラッチ特徴部７０をよりしっかりとシールするように、パッキン７８ａは、ゴム、ラミネート材料、またはエラストマーまたは成形エラストマー材料のような、より圧縮性が低く、より多孔性が低い材料であり得るオーバーパッキン７８ｂをさらに含んでいてもよい。
【０２６１】
この相互作用を助けるために、特定の実施形態において、ポート開口部境界部材７１ａを内蔵する筐体部材、例えば、筐体部材２が、ポート開口部境界部材７１ａにより高い構造的な一体性を与え、それにより、ポート開口部にさらなる支持を与えるように配置され得る追加的剛性構造的特徴部７２を含んでいると有益であり得る。例えば、特定の事例において、筐体１の上側部材２にポート開口部境界部材７１ａがある場合、ポート開口部は、これを直に覆っている材料を弱くする傾向がある場合がある。従って、剛性支持材料７２は、ポート開口部を囲む領域を支持するようにこの材料に連接していてもよい。
【０２６２】
剛性支持材料を設けない場合、開口部を囲む上側および下側部が引き離されて、それにより、開口部を水密状態でシールする機能が損なわれる可能性がある。このような事例において、剛性補強材料を追加して、それにより、ポート開口部の一体性を保証してもよい。特定の事例において、この補強はこのように行われてもよいが、結果的に、筐体全体をより厚く、より広く、および／または、より長くし得るので、筐体部材の材料の厚さを増す事なく行われる。
【０２６３】
従って、図９Ｂに示すような代替的な実施形態において、ポート開口部７１ａを内蔵する上側部材２に、剛性要素７２を追加する。例えば、ステンレス鋼、マグネシウム、剛性プラスチック部品、ポリカーボネート等のような射出成形補強材を上側部材２内に設けて、これをポート開口部７１ａを囲む材料に連接させ、それにより、その剛性を高め、ポート開口部の物理的な一体性を維持して、曲がりを防ぐようにしてもよい。上側部材２内に配置されたポート開口部に関して説明を行ったが、他のラッチ特徴部に必要な変更を行った上で、ポート開口部を下側部材３内に配置してもよい事は言うまでもない。
【０２６４】
従って、図９Ｂは、本願の筐体のラッチ特徴部７０を有する筐体１の近位端の切断図である。ラッチ特徴部７０は、ラッチカバー７１ｂを有するポート開口部境界部材７１ａを含む。図示したように、上側部材２は、連接したラッチ傾斜部受け部材７６を有するポート開口部境界部材７１ａを含む。ラッチ開口部境界部材７１ａは、上側部材２内に開口部、例えば、ポート開口部の境界を規定する。下側部材３は、ラッチ軸、例えば、ピボット軸７４を含む。ラッチカバー７１ｂは、軸レセプタクル７５を介して下側部材３上のピボット軸７４に当接する。ラッチカバー７１ｂは、上側部材２のポート開口部境界部材７１ａのラッチ傾斜部受け部材７６に当接するラッチ傾斜部インターフェース部７７をさらに含む。従って、ラッチカバー７１ｂが閉位置にある時、ラッチ傾斜部インターフェース部７７はラッチ傾斜部７６に取り付けられ、それにより、ポート開口部を閉じる、および／または、シールする。なお、この実施形態において、上側および下側部材２および３は共に、対応するチャネル部材１０を含む。
【０２６５】
図９Ｃは、本願のラッチ特徴部７０の断面を示す。ラッチ特徴部７０は閉位置にある。後面３５ｂ、近位端３１および周囲部３０を有する下側部材３を示している。下側部材３は、境界部材３０ａおよびｂによって境界が規定されるチャネル１０を含む。チャネル１０は、パッキン１５を含む。下側部材３はまた、ピボット軸７４を含む。
【０２６６】
ラッチカバー７１ｂも設けられている。ラッチカバー７１ｂは、ピボット軸インターフェース７５を介して下側部材３上のピボット軸７４に当接する。従って、ラッチカバー７１ｂは、例えば、軸オリフィス７５として構成されたピボット軸インターフェースを含む。軸オリフィス７５は、その中にあるピボット軸７４を受けるように構成されている。ピボット軸７４およびピボットオリフィス７５の相互作用により、カバー７１ｂは軸７４を中心に回転して、開位置から閉位置へと移動する事ができる。さらに、ラッチカバー７１ｂは、上側部材２のラッチ開口部境界部材７１ａのラッチ傾斜部受け部材７６に当接して、それにより、ラッチカバー７１ｂを閉位置に固定するラッチ傾斜部インターフェース部７７を含む。
【０２６７】
従って、上側表面膜２５を有する上側部材２も図示されている。上側部材２は、近位端部２１を含む。近位端部２１は、半可撓性材料から構成された外側周囲部２０ｂと、剛性材料から構成された内側周囲部２０ａとを含む。
【０２６８】
上側部材２の近位端部２１は、ポート開口部も含む。ポート開口部は、ポート開口部境界部材７１ａによって境界が規定されている。この事例において、外側周囲部２０ｂは、ポート開口部境界部材７１ａを収容する切欠部を含む。従って、ポート開口部境界部材７１ａは、内側周囲部２０ａを備えた剛性材料と接している（例えば、その剛性材料によって形成されている）か、あるいは、それに追加されてもよい。
【０２６９】
例えば、図示したように、上側部材２は、ポート開口部境界部材７１ａと連接し得る剛性補強部材７２を含んでいてもよい。例えば、特定の実施形態において、開口部を囲む筐体２の近位端部２１の寸法的一体性を増大するために、剛性部材７２をポート開口部の周りに設けてもよい。ポート開口部境界部材７１ａは、ラッチカバー７１ｂと連接したパッキン７８（例えば、ポート開口部に嵌入または嵌装し（ｆｉｔｔｉｎｇ  ｗｉｔｈｉｎ  ｏｒ  ｏｖｅｒ  ｔｈｅ  ｐｏｒｔ  ｏｐｅｎｉｎｇ）、ラッチカバー７１ｂが閉位置にある時にポート開口部をシールするような寸法のパッキン）のようなパッキンに当接するように構成されたパッキンインターフェース７３をも含んでいてもよい。
【０２７０】
上側部材２のポート開口部境界部材７１ａおよび／または剛性補強材７２は、上側部材２の内側周囲部２０ａから形成されていてもよいし、それに追加される１つ以上の別の要素であってもよい。ポート開口部境界部材および／または剛性補強材７２が、上側部材２の近位端２１に追加される別の要素である場合、ポート開口部境界部材７１ａおよび／または補強材７２は、さらに、下側部材３のクラスプ機構３７の部品と係合するように構成されていてもよい。従って、ポート開口部境界部材７１ａおよび／または補強材７２は、下側部材３のクラスプ部材３７に当接するように構成されたクラスプ機構部品を含むように構成されていてもよい。このように、ポート開口部境界部材７１ａおよび／または補強材７２および／またはパッキン座７３の下側部材当接部材は、筐体１の周囲部に沿った安定したシールを維持するように構成されている。
【０２７１】
ポート開口部境界部材７１ｂは、ラッチカバー７１ｂの対応ラッチ傾斜部インターフェース部７７に取り付けられるように構成されたラッチ傾斜部受け部材７６をさらに含む。従って、ラッチカバー７１ｂが閉位置にある時、ラッチ傾斜部インターフェース部７７は、ポート開口部を閉じて、および／または、これをシールするように、ラッチ傾斜部受け部材７６に取り付けられる。ポート開口部境界部材は、ラッチカバー７１ｂのパッキン７８に当接して、それにより、ラッチカバー７１ｂが閉位置にある時に液密シールを提供するように構成された剛性、半剛性、または可撓性部材であり得るパッキン座部材７３をさらに含んでいてもよい。
【０２７２】
図９Ｄは、図９Ａに示す筐体１の断面図である。ポート開口部境界部材７１ａを有する上側部材２が設けられており、ポート開口部境界部材７１ａは、上側部材２の内側周囲部２０ａの一部として一体形成されており、部分的にラッチ特徴部７０を構成するポート開口部を形成している。ラッチ特徴部７０は、下側部材３上に配置されたラッチカバー７１ｂをも含んでいる。ラッチカバー７１ｂは、閉位置にある。ラッチカバー７１ｂは、下側部材３上のピボット軸７４に当接する軸オリフィス７５を含む。さらに、ラッチカバー７１ｂは、上側部材２のラッチ開口部７１ａのラッチ傾斜部受け部材７６に当接し、それにより、ラッチカバー７１ｂを閉位置に固定するラッチ傾斜部インターフェース部７７を含む。
【０２７３】
図９Ｅは、図９Ｄの筐体１の近位端部を別角度から示す図であり、ポート開口部境界部材７１ａ、ラッチカバー７１ｂ、およびピボット軸７４を有するラッチアセンブリ７０を示している。図示したように、ラッチカバー７１ｂは、ラッチアセンブリ７０から取り外され、ピボット軸７４から外されている。ポート開口部境界部材７１ａは、上側部材２の内側周囲部２０ａと一緒に形成されている。ラッチ特徴部７０のスペースを作るために上側部材２の外側周囲部２０ｂが切り取られている事が分かる。しかし、この実施形態において、ポート開口部境界部材７１ａは、図９Ｄのラッチ機構とは若干異なる構成のラッチ機構を含む。この事例において、ラッチ機構は、ラッチカバー７１ｂの対応ラッチ傾斜部受けインターフェース部７７と連接するように適合化された拡張部材として構成されたラッチ傾斜部７６を含む。ラッチカバー７１ｂは、押下変形可能なパッキン７８をさらに含む。
【０２７４】
図９Ｆは、図９Ａに示したラッチアセンブリを有する図９Ｅに示した近位端部の別の断面図である。ラッチアセンブリ７０は、ポート開口部境界部材７１ａおよび軸オリフィス７５を有するラッチカバー７１ｂを含み、ラッチカバー７１ｂはラッチアセンブリ７０から取り外され、軸オリフィス７５はピボット軸７４から外されている。ポート開口部境界部材７１ａは、上側部材２の内側周囲部材２０ａと一緒に形成されている。図示したように、ラッチ特徴部７０のスペースを作るために、上側部材２の外側周囲部２０ｂが切り取られている。従って、剛性パッキン座７３は、ポート開口部境界部材７１ａと同じ材料から構成されている。異なる実施形態において、パッキン座７３が、半剛性または可撓性材料のような、上側部材２の内側周囲部２０ａとは異なる材料で構成されていてもよい事は言うまでもない。ポート開口部境界部材７１ａは、ラッチカバー７１ｂのラッチ傾斜部インターフェース部７７と連接するように構成されたラッチ傾斜部受け部材７６をさらに含む。図示したように、内部音伝達部６０ｂも示されている。
【０２７５】
図９Ｇは、図９Ｂに示した近位端部の側面断面図である。ラッチアセンブリ７０は、ポート開口部境界部材７１ａおよび軸オリフィス７５を有するラッチカバー７１ｂを含む。ラッチカバー７１ｂはラッチアセンブリ７０から取り外され、軸オリフィス７５はピボット軸７４から外されている。ポート開口部フレーム部材７１ａが形成され、その後、剛性補強材部材７２およびパッキン座７３をそれに連接させる。従って、この実施形態において、上側部材２は、ポート開口部フレーム部材７１ａと連接した剛性補強部材７２および半剛性パッキン座７３を共に含む。
【０２７６】
図示したように、剛性補強部材７２および／またはパッキン座７３は、例えば、下側部材３の内側および外側境界部材３０ａおよびｂ間において、パッキン１５を接触および／または圧縮するように、チャネル１０に嵌入するパッキン係合部を含む。ポート開口部フレーム部材７１ａ、剛性補強材７２、および、パッキン座７３のうちの１つは、上側および下側部材を互いに連結して筐体１を形成した時に、上側および下側部材との安定したシールを維持するように下側部材３のクラスプ機構３７に取り付けられるように構成されたクラスプ機構２７を含む。
【０２７７】
ただし、特定の事例において、ポート開口部境界部材７１ａおよび／または補強部材７２および／またはパッキン座７３は、上側部材２の内側周囲部２０ａおよび／または外側周囲部２０ｂに嵌入するように作製されていてもよい。そのような事例においては、ポート開口部境界部材７１および／または剛性補強部材７２および／またはパッキン座７３は、これらのパッキン係合および／またはクラスプ要素を有している必要はない。例えば、内側境界部材７１ａが上側部材２の内側周囲部と一緒に作製される。また、様々な事例において、別々のポート開口部境界部材７１および剛性補強部材７２が設けられなくてもよく、代わりに、様々な事例において、筐体全体としての寸法を必要以上に増大する事なくポート開口部の境界を規定するのに十分な剛性を有する単一のポート境界部材によってそれらの別々の機能を実現してもよい。
【０２７８】
図示したように、パッキンインターフェース７３も設けられている。パッキンインターフェースは、ラッチカバー７１ｂに連接したクローズドセルフォームまたはソリッドパッキン７８のようなパッキンに当接するように適合化されたパッキン座として構成されている。パッキン座部材７３は、ラッチカバー７１ｂのパッキン７８に当接して、それにより、ラッチカバー７１ｂが閉位置にある時に液密シールを提供するように構成されている。様々な事例において、パッキン座部材７３は、ポート開口部境界部材７１ａと同じ要素であってもよいし、および／または、剛性補強材７２と同じ部材であってもよい。
【０２７９】
図９Ｈは、図９Ｆに示す近位端の分解図である。ラッチアセンブリ７０は、ポート開口部境界部材７１ａおよび軸オリフィス７５を有するラッチカバー７１ｂを含み、ラッチカバー７１ｂはラッチアセンブリ７０から取り外されており、軸オリフィス７５はピボット軸７４から外されている。ポート開口部境界部材７１ｂは、剛性補強材７２および剛性パッキン７３と一緒に形成されている。
【０２８０】
ポート開口部境界部材７１ａは、下側部材３の対応クラスプ機構３７に当接するように適合化されたクラスプ機構部２７を含むように構成されている事が分かる。ポート開口部境界部材７１は、パッキン１５およびチャネル１０の内側境界部材２０ａと係合するように構成されており、また、下側部材クラスプ機構３７と係合するようにさらに構成されている。ただし、特定の実施形態において、ポート開口部境界部材７１ａは、上側部材２の内側周囲部２０ａと一緒に（例えば、一体に）形成されていてもよく、従って、特定の事例において、ポート開口部境界部材７１ａは、別の剛性補強材、パッキン座、および／またはクラスプ機構を含んでいない。ポート開口部境界部材７１ａは、ラッチドア７１ｂのラッチ傾斜部インターフェース部７７と連接するように構成されたラッチ傾斜部受け部材７６をさらに含む。音伝達ポート６０ｂも図示されている。
【０２８１】
図９Ｉは、図９Ａの筐体の近位端に配置されたラッチ特徴部７０の側面断面図である。ポート開口部境界部材７１ａは、下側部材３の対応クラスプ機構３７に当接するように適合化されたクラスプ機構部２７を含むように構成されている事が分かる。ポート開口部境界部材７１ａは、パッキン１５および内部チャネル境界部材２０ｂと係合する部分も含んでいる。ポート開口部境界部材７１ａは、ラッチカバー７１のラッチ傾斜部インターフェース部７７と連接するように構成されたラッチ傾斜部受け部材７６をさらに含んでいる。ラッチカバー７１は閉位置にあり、ラッチ傾斜部受け部材７６はラッチ傾斜部インターフェース７７に取り付けられている。パッキン７８ａは、パッキン７８ａにより高い構造的な一体性を与えるように機能するオーバー材料７８ｂにさらに連接している。
【０２８２】
図９Ｊは、ポート開口部境界部材７１ａのラッチ傾斜部シール面７６およびラッチカバー７１ｂのラッチ傾斜部インターフェース７７の側面拡大断面図である。ラッチカバー７１ｂは、パッキン７８とさらに連接している。
【０２８３】
図９Ｋは、ポート開口部境界部材７１ａの側面拡大図であり、剛性補強材７２と剛性パッキン座７３との間の連接状態を示している。剛性補強材７２は、境界部材７１ａの寸法的一体性を維持する事を助け、パッキン座７３およびパッキン７８間に好適なシール圧がかかる事を確実にし、それにより、ラッチカバー７１ｂが閉位置にある時に防液シールを保証するように構成されている。境界部材７１ａは、パッキン１５および内部チャネル境界部材２０ａと係合する部分を含み、それにより、上側および下側部材を連結した（取り付けた）時にしっかりしたシールが形成されるようになる。境界部材７１ｂは、クラスプ機構３７と係合するクラスプ機構２７も含む。図示したように、音伝達ポート６０ｂも示している。
【０２８４】
従って、特定の実施形態において、筐体の周囲部は、筐体を通した音の伝達を高めるように構成された１つ以上の音ポートのような追加的特徴部を含んでいてもよい。そのような音ポートの１つは、筐体内に格納された装着電子機器のマイク部に向かって、またはそのスピーカー部から遠ざかる方向に音を伝達、および／または、誘導するように適合化された音響ベント部として構成されている。
【０２８５】
例えば、遠位または近位端部のような周囲部は、音を伝達する音響ベント特徴部を含んでいてもよい。音響ベント特徴部は、その中に音響ベント材料が配置された音チャネルを含んでいてもよい。音響ベント材料は、前向きまたは後向きに０から１８０度の角度で音チャネルに亘って延びていてもよい。音チャネルは、周囲の外側部から周囲の内側部へと延びていてもよく、音響ベント材料は、例えば、その中心線に対してある角度で音チャネルを横断してもよい。
【０２８６】
図１０Ａを参照すれば分かるように、筐体１の近位端部は、複数の音響ベント（例えば、マイク音響ベント６５ａおよびスピーカー音響ベント６５ｂ）を有する、１つ以上の、例えば複数の、音伝達部６０ａおよびｂを含んでいてもよい。筐体の近位端部は、ポート開口部ラッチカバー７１ｂと、上側部材２を下側部材３から分離する（取り外す）のを助けるように構成されたコインスロット特徴部１８とを有するラッチ特徴部７０をさらに含んでいてもよい。
【０２８７】
図１０Ｂは、図１０Ａの近位端部の内部外向図である。図示したように、音伝達部６０ａおよびｂは、上側部材２上に配置されている。しかし、これらが代わりに下側部材３上に配置されていてもよい事は言うまでもない。上側部材２の近位端部２１は、マイク音響ベント６５ａへと繋がる音チャネル６６ａと、スピーカー音響ベント６５ｂへと繋がる第２の音チャネル６６ｂとを含む複数の音伝達部６０ａおよびｂを含む。
【０２８８】
図１０Ｂを参照すれば分かるように、音伝達部６０は、上側部材２内に配置され、筐体１の外部から上側部材２の外側および内側周囲部２０ａ、ｂを通って筐体１の内部へと横断する。音響チャネル６６ａ、ｂは、音響チャネル６６ａ、ｂを横断する各音響膜６５ａ、ｂを含んでいる。
【０２８９】
音響膜６５ａ、ｂを囲む筐体は、それによってオーバーモールドされるように構成されていてもよい。よって、音チャネル６６ａおよびｂは、膜６５ａ、ｂの周囲部に当接して、それによってオーバーモールドされ、それにより、筐体および音響膜間の液密シールを強固にするように構成されたオーバーモールド部６７ａ、ｂをさらに含んでいてもよい。
【０２９０】
しかし、様々な実施形態において、要素６７ａ、ｂは、単に、その上に音響ベント膜６５ａ、ｂが配置されるパッキン座を形成してもよい。とはいえ、この実施形態においては、図１０Ｂを参照すれば分かるように、音伝達チャネル６０ａは、格納機器のマイク部へと音を通す。このような事例において、音響膜６５ａと装着機器のスピーカー部との間のインターフェースを提供するように音響膜を取り囲むオーバーモールド部（例えば６８ａ）があると有用であり得る。このインターフェースは、装着機器のマイク部に対する干渉を生じ得るスピーカーチャネル６０ｂからマイクチャネル６０ａへの内部の音の伝達を防止するのに有用であり得る。さらに、そのように隆起した、周りを取り囲む要素は、音を装着機器のマイク部に集中的に誘導する事によって、マイクチャネル６６ａに入射する音の劣化を防ぐことも可能である。
【０２９１】
音響膜６５ａ、ｂは、音に対しては透過性であるが、液体に対しては非透過性である。よって、音は、筐体内の音チャネル６６ａおよびｂを通る事ができるが、水などの液体は音響ベント膜６５ａおよびｂを通過できないので、通る事ができない。２つの音伝達部６０ａおよびｂの間において筐体１の近位端上に、ラッチ特徴部７０およびラッチカバー７１ｂも設けられている。
【０２９２】
図１０Ｃは、図１０Ａの筐体１の近位端部の外部内向図である。近位端部は、音響膜６５が横断する音チャネル６６をそれぞれ含んでいてもよい複数の音伝達部（例えば６０ａおよびｂ）を含んでいてもよい。例えば、６０ａのような１つの音伝達部は、装着機器のマイク部へと繋がる音チャネル６６ａを含むマイク伝達部として構成されていてもよい。音チャネル６６ａは、マイク音響ベント６５ａが横断している。６０ｂのような第２の音伝達部は、装着機器のスピーカー部へと繋がる音チャネル６６ｂを含むスピーカー音伝達部として構成されていてもよい。音チャネル６６ｂは、スピーカー音響ベント６５ｂが横断している。これらの位置を逆にしてもよい事は言うまでもない。音チャネル６６ａおよびｂのうちの１つ以上は、音チャネルに構造的な一体性を与え、および／または、音響ベント材料６５ａおよび／またはｂに支持を与えるように機能する成形グリル部６８ａおよび／またはｂをさらに含んでいてもよい。
【０２９３】
図１０Ｃを参照すれば分かるように、音響ベント部６０およびｂは、上側部材２内に配置され、筐体１の外部から筐体の内部へと横断している。しかし、これらは、下側部材３上に配置されていてもよい。音響チャネル６０ａ、ｂは、各音響膜６５ａ、ｂと、音響膜にさらなる支持を与えるように構成されたグリル部６８ａ、ｂとを含んでいる。２つの音伝達部６０の間において筐体１の近位端上に、ラッチ特徴部７０およびラッチカバー７１ｂも設けられている。
【０２９４】
図１０Ｄは、本願の筐体１のマイク音響ベント６０ａ部分の上視内部図である。音響ベント部６０ａは音チャネル６６ａを含み、音チャネル６６ａは、マイク音響ベント材料６５ａに向かってテーパー状になっており、筐体１内に格納された装着電子機器のマイク部へと音を誘導するように構成されている。音響ベント境界部材、例えば、オーバーモールドされたスカート座６７ａも設けられており、音響ベント膜６５ａを取り囲んでいる。例えば、音響ベント材料６５ａの一部は、剛性材料６７ａでオーバーモールドされており、それにより、スピーカーベント部からなどの内部の音の伝達を分離および低減するのを助け、それにより、その干渉を防ぎ、また、筐体と音響膜との間のシールをさらに強くして、音響ベント６０ａの防液性を確保してもよい。上記のように、様々な実施形態において、音響ベント境界部材６７は、単に、例えば、好適な接着剤を介して好適な音響ベント材料６５に取り付けられるように適合化されたパッキン座として構成されていてもよい。さらなる構造的支持、例えば、音響膜６５ａにさらなる構造的な一体性を与えるグリル６８ａも設けられている。
【０２９５】
図１０Ｅは、図１０Ｃのスピーカー音響ベント部６０ｂの内部図である。音響ベント部６０ｂは、音響ベント材料６５ｂに向かってテーパー状になっている音チャネル６６ａを含む。オーバーモールドされた音響ベント境界部材６７ｂも設けられており、境界部材６７ｂは、音響ベント材料６５ｂの周囲を少なくとも部分的に取り囲み、それにより、筐体とベント材料との間のシール接触を高めると共に、装着機器のスピーカー部からスピーカー音チャネル６６ｂを通して音を誘導するさらなる接点を提供する。なお、この実施形態においては、境界部材６７ｂが設けられているが、様々な実施形態において、境界部材６７ｂが設けられていなくてもよい。
【０２９６】
図１０Ｆは、スピーカー音響音伝達アセンブリ６０ｂの断面である。アセンブリは、音響ベント材料６５ｂに向けて音を伝達および誘導する音チャネル６６ｂを含む。音響ベント材料６５ｂは、ＧｏｒｅＴｅｘ（登録商標）膜のような膜であってもよく、この膜は、０から１８０度まで（９０から１８０度までなど）の角度で中央に配置されていてもよい。音響ベント材料６５ｂは、それによってオーバーモールドされ得る、あるいは、音響ベント材料６５ｂを接合する前に作製され得る音響ベント境界部材６７ｂによって境界が規定されている。音響ベントアセンブリ６０ｂは、音響ベントにさらなる構造的な一体性を与えるために音響グリル６８ｂも含んでいてもよい。なお、音伝達部６０は、筐体１の近位端上に配置されているが、本願の本質から逸脱する事なく、これらを筐体の周囲部に沿った任意の場所に配置する事が可能である。
【０２９７】
図１０Ｆは、マイク音響音伝達アセンブリ６０ａの断面である。アセンブリは、音を音響ベント材料６５ａへと伝達および誘導する音チャネル６６ａを含む。音響ベント材料６５ａは、ＧｏｒｅＴｅｘ（登録商標）膜のような膜であってもよく、この膜は、０から１８０度まで（９０から１８０度までなど）の角度で中央に配置されていてもよい。音響ベント材料６５ａは、それによってオーバーモールドされ得る、あるいは、音響ベント材料６５ａを接合する前に作製され得る音響ベント境界部材６７ａによって境界が規定されている。
【０２９８】
この実施形態において、音響ベント境界部材６７ｂは、直線的水平側縁構成を有している。しかし、様々な他の実施形態において、音響ベント境界部材６７ａおよび／または６７ｂの側縁は斜めになっていてもよい。そのような傾斜側縁は、ケースの下部または上部へと音を誘導するのに有用であり、その結果、音の増幅および／または伝達を増大し得る空隙を形成するのに有用であり得る。
【０２９９】
例えば、筐体の前面または後面から出射されるように音を誘導し、それにより、音伝達面を増大するように、１つ以上の空隙が筐体１内に配置されていてもよい。例えば、音チャネル６６ａおよびｂは、音を伝達する能力が限られている。音チャネル周囲部６７ａおよびｂに沿って、例えば、上側または下側表面に沿って、１つ以上の音間隙を配置すると、より大きな上側および／または下側表面に向かって、また、この表面を通して音を通過させて、それにより、音共振器として動作し、音伝達面を増大させる音チャネルとして機能し得る。筐体１の上側部材２および／または下側部材３に沿って、例えば、前面２５または底面３５が周囲部に接する所のような周囲に沿って、さらなる空隙を配置して、それにより、音伝達を増大させてもよい。このようにすれば、格納機器から出射する音エネルギーの少なくとも１０％、例えば、少なくとも１５％、例えば、少なくとも２０％、例えば、少なくとも３０％、例えば、少なくとも４０％、例えば、少なくとも５０％を誘導して、筐体の前面２５または後面３５から出射するようにできる。
【０３００】
音響ベントアセンブリ６０ａは、音響ベントにさらなる構造的な一体性を与えるために音響グリル６８ａをも含んでいてもよい。なお、音伝達部６０は筐体１の近位端上に配置されているが、本願の本質から逸脱する事なく、これらを筐体の周囲部に沿った任意の場所に配置する事が可能である。
【０３０１】
図１０Ｇは、図１０Ｆの音響ベントアセンブリ６０ｂの拡大図である。ベントアセンブリ６０ｂは、音響膜６５ｂへと繋がる整形されたチャネルを含む音響ポート６６ｂを含んでいる。音響膜６５ｂは、音響グリル６８ｂに覆われており、筐体部６７ｂによって境界が規定されている。音響グリル６９ａ／音響膜６７ａインターフェースは、音の伝達を助けるために１つ以上の空隙を含んでいる。ここには示していないが、様々な実施形態において、ベントアセンブリ６０ｂのようなベントアセンブリは、さらなるベントオーバーレイまたはメッシュのスクリムのようなスクリーンを含んでいてもよく、このスクリムは、格納機器のスピーカー部からの歪みのような歪みを低減するように、音響膜（例えば６５ｂ）を覆うように配置（例えば、接合）されていてもよい。そのようなスクリムは、音エネルギーを効率的に伝達する事ができる限りにおいて、音響膜６５ｂに接着接合あるいは音響膜６５ｂ上にその他の方法で搭載され得る薄いプラスチック材料膜のような、あらゆる好適な材料から作製され得る。
【０３０２】
図１０Ｈは、スピーカー音響ベントアセンブリ６０ｂの断面図である。音響ベントアセンブリ６０ｂは、音を受けて伝達するように構成されているが水のような液体に対しては非透過性である膜（例えば、ＧｏｒｅＴｅｘ(登録商標)膜のようなスピーカー音響材料６５ｂに向かって音を誘導するテーパー状のチャネルとして構成されているポート６６ｂを含む。音響膜６５ｂは、境界領域６７ｂによって取り囲まれており、音響グリル６８ｂによってさらに覆われていてもよい。
【０３０３】
図１０Ｉは、図１０Ｈのスピーカー音響ベントアセンブリのさらなる断面図である。音響ベントアセンブリ６０ｂは、音を受けて伝達するように構成された膜のようなスピーカー音響材料６５ｂに向かって音を誘導するテーパー状のチャネルとして構成されているポート６６ｂを含む。音響膜６５ｂは、境界領域６７ｂによって取り囲まれており、音響グリル６８ｂによってさらに覆われていてもよい。グリルと音響膜との間のインターフェースは、その間に様々な空隙を含むように構成されていてもよい。
【０３０４】
図１０Ｊは、音響ベントアセンブリの別の例である。この事例において、音響ベントアセンブリは、図１９に関して示される実施形態において使用され得るマイク音響ベントアセンブリ６０ａおよびスピーカー音響ベントアセンブリ６０ｂの両方を含む単一部材として作製される。図示したように、マイクおよびスピーカーアセンブリ６０ａおよびｂは、より大きな筐体１内に挿入できる端部として適合化されたより大きな枠組部５内に形成されている。枠組部５は、音チャネル６６ａおよびｂを有する複数の音伝達部６０およびｂを含み、ラッチポート部７０をさらに含む。
【０３０５】
さらに、枠組部５は、１つ以上のクラスプ機構、パッキン、パッキン座、および／または、ここに記載したチャネルを含んでいてもよい。例えば、枠組部が筐体１内に挿入されるようになっている場合、枠組部５は、それら２つがシール状態で互いに連結された時に筐体１および枠組部５の間に防水シールを形成するように設計されている、全周に延びるパッキンおよび／またはパッキン座をさらに含み得る全周に延びるクラスプ機構を含んでいてもよい。
【０３０６】
図示したように、音チャネル６６ａおよびｂは、チャネル６６ａおよびｂの横断中心線に対して角度が付けられた音響ベント膜座６７ａおよびｂを含む。よって、音響ベント膜６５ａおよびｂが接合された時、それらは角度が付けられる。音響ベント６５ａ、ｂの角度は、含まれるベント材料の表面積を増大させて、それにより、音チャネル６６ａおよびｂを通した音の伝達を増大させるように構成されている。ここに記載のラッチ特徴部７０、ならびに、枠組部５を筐体１へとさらに固定するために用いられ得る外部ラッチ機構を受けるように適合化された溝も設けられている。例えば、図１９参照。
【０３０７】
図１０Ｋは、図１０Ｊの音響ベントアセンブリを有する端部材枠組部５の断面図である。枠組部５は、対応クラスプ機構２７および３７を介して筐体１に接合されている。枠組部は、パッキン１５を内蔵したチャネル１０をさらに含み、これにより、端部材枠組部５が筐体１に取り付けられた時に液密シールが得られる。枠組部５は、マイク音響ベント部６０ａをさらに含む。マイク音響ベント部は、音響ベント座６７ａによって定位置に保持されるマイク音響ベント材料６５ａへと繋がる音響チャネル６６ａを含む。音響ベント材料６５ａは、ベント材料の断面積を増大して音伝達を改善するようにある角度でチャネル６６ａ内に配置されている。
【０３０８】
図１０Ｌおよび１０Ｍは、チャネル６６ａに対して角度が付けられた音響ベント材料６５ａへと繋がるマイク音声チャネル６６ａを示す、図１０の音響ベントアセンブリ６ａの拡大断面図である。端部材５は、中にパッキン１５を配置できるチャネル１０を含んでいる事が分かる。
【０３０９】
特定の実施形態において、本願の筐体の周囲部は、１つ以上の作製されたスイッチまたはボタン特徴部を含んでいてもよい。例えば、消音スイッチまたはボリューム調節または「オン」／「オフ」ボタンのような収容機器のスイッチまたはボタン機構に係合するスイッチまたはボタン特徴部が設けられていてもよい。図１１Ａを参照すれば分かるように、スイッチ特徴部９０は、両側面部の一方のような、筐体１の一部の上に設けられていてもよい。筐体１の周囲部は、１つ以上のボリューム調節ボタン９９ａ、ｂ、コインスロット特徴部１８、１つ以上の音伝達部６０、ラッチ特徴部７０等の他の特徴部をさらに含んでいてもよい。
【０３１０】
スイッチ９０およびボタン９９特徴部は、筐体１と一緒に作製され、格納機器の対応スイッチおよびボタンに係合するように特に構成されている。よって、スイッチおよびボタンは、覆われる装着機器のスイッチおよびボタンを雛形とし、その機能性と美観の両方が得られるように設計される。
【０３１１】
図１１Ｂは、図１１Ａの拡大図であり、消音スイッチ特徴部９０およびボリュームボタン９９を収納する筐体１の周囲部を示している。筐体１は、周囲部２０を有する上側筐体部材２と、周囲部３０を有する下側筐体部材３とを含む。図示したように、スイッチ特徴部９０およびボリュームボタン９９は上側部材２の周囲部２０に沿って配置されているが、他の実施形態においては、下側部材３上に配置されていてもよい。
【０３１２】
この実施形態において、スイッチ９０およびボタン９９特徴部のスタイルは、装着機器のスイッチおよびボタンのスタイル的特徴および機能性を維持するように設計されている。消音スイッチ９０は、格納機器の各消音スイッチに係合して、それにより、格納機器の音特徴を無音化するように構成されている。ボリューム調節トグルまたはボタン９９ａおよびｂは、装着機器のボリュームを上げたり下げたりするために、格納機器上の対応するボタンに係合するように構成されている。装着機器の構成が異なれば、これらの構成も異なっていてもよい。例えば、ボタンまたはスイッチ部材の機能性を増大させるために、圧縮性プラグ要素のような１つ以上の拡張要素が含まれていてもよい。
【０３１３】
上側部材２の周囲部２０は、ポートシール栓５３が中に挿入されたイヤホンジャック５０をさらに含む。なお、これらの特徴部のうちの１つ以上は、下側部材３の周囲部３０に沿って配置されていてもよい。ビデオカメラレンズまたは光学的に無色な領域４７、近接センサ４８、および上側部材膜２５を通して音を伝達する音伝達孔４９を含む音響ベント部４４を含む上側部材２の上側表面膜２５をさらに示している。下側部材３の下側前面３５ａは、スタンドオフ１６を含む。
【０３１４】
図１１Ｃは、消音スイッチ特徴部９０、ボリュームトグル９９ａ、ｂ、ならびに、図１１Ａに図示するようにポートシール栓５３が中に挿入されたイヤホンジャックポート５０の切断側面図である。消音スイッチ特徴部９０は、剛性材料から作製され得るアクチュエータベース９２を含み、また、ベース９２に沿ってピボットして、それにより、格納機器の消音スイッチと効果的に係合する軸またはロッカー９５を含んでいてもよい。スイッチ特徴部９０がロッカー９５を中心に回転するとスイッチが一方の位置から他方の位置へと並進するように、装着機器のスイッチの両側面に係合するように構成されたスイッチインターフェース９３も図示されている。なお、剛性アクチュエータ９２、ロッカー８５、およびスイッチインターフェース９３は、１つの完全な要素として、または、互いに接合された２つまたは３つの別々の要素として構成されていてもよい。
【０３１５】
ボリューム調節トグル９９ａおよびｂは、ユーザーと係合し得る平坦なユーザー係合面部と、格納機器のボタンと係合するように構成された拡張ボタン係合部とを含む。格納機器のボタンの係合度を増大させるために、１つ以上のさらなるスペーサーを拡張ボタン係合部に追加してもよい。
【０３１６】
ポートシール栓ネジ溝５４ａを有するイヤホンジャックポート５０も図示されている。イヤホンジャックポートネジ溝５４ａに対する対応ネジ溝５４ｂを有するポートシール栓５３も設けられている。ポートシール栓５３は、ポートシール栓５３を取り囲むパッキン５５をさらに含む。なお、パッキン５５はポートシール栓５３に連接しているように図示されているが、他の事例においては、イヤホンジャックポート５０に連接していてもよい。この実施形態において、ポートシール栓５３をイヤホンジャックポート５０内に挿入し、栓ネジ溝５４ｂをポートネジ溝５４ａに位置合わせし、ポートシール栓５３を栓ポート５０内にねじ込む事によりパッキン５５を圧縮し、それにより、水密シールを形成する。
【０３１７】
図１１Ｄは、消音スイッチ特徴部９０の断面図である。スイッチ特徴部は、スイッチ筐体９１、アクチュエータ上側部材９４、剛性アクチュエータスイッチベース９２およびスイッチインターフェース９３を含むスライダースイッチ９０として構成されていてもよい。消音スイッチ特徴部９０は、アクチュエータ上側部材９４およびスイッチインターフェース９３が回転する中心となる軸またはロッカー９５をさらに含む。スイッチインターフェース９３は、スイッチ（例えば、装着機器の消音スイッチ）の両側面を囲む２つの対向する歯部材または空洞部を含んでいてもよい。
【０３１８】
従って、スイッチインターフェース９３は、装着機器の消音スイッチのようなスライダースイッチに取り付けられ、それにより、消音スイッチを（例えば、通常位置から消音位置へと）操作する。例えば、ユーザーは、剛性アクチュエータ上側部材９４上に下向きの力をかけて、それにより、ベース部材９２を軸９５を中心に回転させて、スイッチインターフェース９３の羽根または空洞を上向きに動かすことができる。このようにすれば、アクチュエータ上側部材９４にかかる下向きの力は、スイッチインターフェース９３および装着機器の消音スイッチにかかる上向きの力へと変換されて、それにより、消音スイッチが第１の位置から第２の位置へと（例えば、「オフ」位置から「オン」位置へと）動く。
【０３１９】
なお、図１１Ｄを参照して様々なスイッチ部品を有するものとしてスイッチ特徴部９０を示しているが、スイッチ特徴部が装着機器のスイッチに係合してこれを操作する事が可能である限り、スイッチ特徴部９０の性質から逸脱する事なく、様々なスイッチ部品を設けたり、省略したり、改変したりする事ができる。例えば、特定の事例において、スイッチ特徴部９０は、筐体９１の内部面に連接し、装着機器のスイッチに係合するように構成された１つ以上のスイッチインターフェース部９３を含む可撓性半剛性スイッチ筐体９１を含んでいてもよい。このような事例において、スイッチ筐体９１は、上方向または下方向に押下されるに構成された隆起した部材であってもよく、この押下によって、スイッチインターフェース部９３の１つは、格納機器のスイッチに係合してこれを上向きあるいは下向きに操作する事ができる。必要に応じて、強化ベース部９２も設けられてもよい。
【０３２０】
図１１Ｅは、消音スイッチ特徴部９０の幾つかの異なる図を示す。消音スイッチ特徴部９０は、スライダースイッチ上側部材９４および消音スイッチインターフェース９３を含むよう構成された筐体９１を示す。図示したように、消音スイッチ上側部材９４は剛性アクチュエータベース部材９２および剛性アクチュエータスイッチインターフェース９３に連接しており、これらの要素は、スイッチ特徴部９０を操作してスイッチインターフェース９３を上方向または下方向に動かした際に、ロッカー（例えば軸）部材９５を中心として回転し、結果的に、装着機器の消音スイッチを「オン」または「オフ」に動かす。
【０３２１】
図示したように、消音スイッチ特徴部９０は、スイッチ上側部材９４、軸９５、およびベース部材９３を覆うアクチュエータスイッチ筐体９１を含む。上側部材９４を筐体部材９１内に固定するように、スイッチ特徴部９０は、上側部材９４に適用するような接着剤をさらに含んでいてもよいし、軸部９５に適用するようなかえし特徴部をさらに含んでいてもよい。上側部材９４を操作すると（例えば、上方向または下方向に直線方向に動かすと）、ベース部材９３は軸９５を中心に回転し、それにより、スイッチインターフェース９３が装着機器のスイッチを反対の直線方向に並進させる（例えば、それにより、装着機器を消音モードにする、あるいは、消音モードを解除する）。
【０３２２】
スイッチ特徴部９０の筐体も図示されている。図示したように、上側部材２の内側周囲部２０ａが設けられている。上側部材の内側周囲部２０ａは、スイッチ特徴部９０が上記のように嵌入し得るスイッチ切欠部を含む。従って、スイッチ特徴部９０は、筐体１の内側周囲部から筐体１の外側周囲部に向かって延びる。上側部材２の外側周囲部２０ｂは、外部スイッチ部品を覆うようにスイッチ筐体９１の外側部を形成する。結果的に、好適なスイッチ９０を嵌入できる（例えば、製造後に）周囲部上のスイッチ筐体部９１を形成するように、上側部材２を作製してもよい。
【０３２３】
図１１Ｆは、消音スイッチ機構９０の内部図であり、このスイッチ機構９０は、上側部材２の内側部２０ａからその外側部２０ｂへと延びるスイッチ上側部材９４（図示せず）を含む。上側部材９４は、ユーザーと係合すると、それにより、軸９５を中心として動く。軸９５は、剛性アクチュエータベース９２が軸９５を中心として回転する事もできるように適合化されている。よって、スイッチ特徴部９０は、スイッチ筐体９１内で軸９５を中心にスイッチ上側部材アクチュエータ９４が回転すると、スイッチインターフェース９３によってスイッチが第１の位置から第２の位置へと（「オン」位置から「オフ」位置など）動くように構成されている。
【０３２４】
図１１Ｇは、図１１Ａのスイッチ特徴部の断面図である。なお、この構成は、後に装着機器の設計が変更された場合に、スイッチ特徴部９０が、装着機器の構成に対する細かい変更に対応し、その後もその機能を有効に果たせるべきであるというものである。
【０３２５】
さらに、上側および／または下側部材は、筐体の下側部材から上側部材を取り外すのを助けるスロット領域を含むように構成されていてもよい。例えば、道具をスロットに入れて捻ることにより、筐体の２つの部材を互いに取り外す（例えば、引き開ける）ことができる。この点に関して、もし筐体の材料が全て剛性であったなら安定したシールに加えてこのような相互作用を可能にする事は難しいだろうが、筐体の可撓性材料（例えば、上側部材２のオーバーモールドされた外側周囲部２０ｂ）および下側部材３の半剛性（例えば、プリプロピレン）材料を用いれば、このような相互作用は容易になり得る。
【０３２６】
従って、特定の実施形態において、図１２Ａに図示するように、筐体１の外側周囲部は、筐体の上側部材２を筐体の下側部材３から取り外すのを助けるコインスロット特徴部のようなスロット特徴部１８を含んでいてもよい。スロット特徴部は、周囲の凹状（例えば、切欠）部分１７を含んでいてもよい。切欠部１７は上側部材２内に配置され、それぞれ上側筐体２および下側筐体３におけるオーバーハング（または非切欠）部のような複数の境界部材１９ａ、ｂによってさらに境界が規定される。
【０３２７】
図１２Ｂは、図１２Ａのコインスロット特徴部１８の拡大断面図である。上側部材２は凹構成１７および凸オーバーハングまたは非切欠構成１９ａの両方を含み、下側部材３は凸または非切欠構成１９ｂをも含み、それにより、上側部材２および下側部材３が互いに接合されると、コインスロット特徴部１８が形成され、それにより、ユーザーが、コインなどの道具を凹領域１７に挿入して捻ることにより上側部材２を下側部材３から引き離す事などにより筐体１の両部材を開くのを助ける。
【０３２８】
図１２Ｃは、図１２Ａのコインスロット特徴部１８の断面図である。コインスロット特徴部１８は上側部材２内に形成され、凹領域１７と、凹状の切欠領域１７上にオーバーハングする凸領域１９ａとを含む。下側部材３の角部は、自然に、コインスロット特徴部１８の他方の境界部材１９ｂを形成する。
【０３２９】
図１２Ｄは、図１２Ａのコインスロット特徴部１８の断面図であり、このコインスロット特徴部１８は、複数の凸領域１９ａおよび１９ｂによって境界が規定される凹領域１７を含み、凸領域１９ａは上側部材２上に配置され、凸領域１９ｂは下側部材３内に配置される。
【０３３０】
さらなる実施形態においては、図１３Ａを参照すれば分かるように、筐体１の外側周囲部は、ノイズキャンセル特徴部として構成された音伝達部６０ｃを含んでいてもよい。この構成において、ノイズキャンセル特徴部６０ｃは、収容機器上に設けられたノイズキャンセルマイクに向かって環境騒音を誘導し、それにより、環境騒音を打ち消すのを助ける機能を果たす。ノイズキャンセル特徴部６０ｃは、周囲２０または３０に沿った場所のような、上側部材２または下側部材３上の筐体１の任意の場所に配置されてもよい。図示したように、ノイズキャンセル特徴部６０は上側部材２上に配置され、防液ヘッドホンジャック差込口５０からはオフセットされており、このヘッドホンジャックはポートシール栓５３を含む。なお、例えば、様々な事例において、ノイズキャンセル特徴部は、イヤホンポート５０内、より具体的には、イヤホンポート閉塞具５３内に設けられていてもよい。例えば、ポートシール栓５３は、装着電子機器がアクセサリ（例えば、ヘッドホン）接続口に連接したノイズキャンセル特徴部を有する場所などに、ノイズキャンセル特徴部６０を含み得る。
【０３３１】
図１３Ｂは、図１３Ａのノイズキャンセル特徴部６０ｃの断面図である。ノイズキャンセル特徴部６０ｃは、音誘導チャネル６２内においてこれを横断するように配置された音響膜６３に向けて音を誘導する音誘導チャネル６２と連通する音響入口孔６１を含む。音響入口孔６１は収容機器のノイズキャンセルマイクからオフセットされているが、環境騒音をそこへ誘導するように構成されている。さらに、図１３Ｂのアクセサリ挿入孔５０（例えば、ヘッドホンポート）を参照すれば分かるように、様々な実施形態において、ヘッドホンポート５０は、格納機器１００のイヤホン挿入ポート１５０に接触する、および／または、これを少なくとも部分的に取り囲み、それにより、機器１００の入口ポート１５０が、さもなくば筐体１に入り込む汚れまたは液体にさらされないように保護するように設計された構造的全周囲特徴部を含んでいてもよい。
【０３３２】
またさらに、この実施形態においては、ノイズキャンセル特徴部６０はオフセットされているが、特定の実施形態においては、格納機器のノイズキャンセル特徴部と直接的に直線上に並ぶように構成されていてもよい。例えば、装着機器のノイズキャンセル特徴部が、ヘッドホンジャック受け部内のようなアクセサリ挿入部内に配置されている場合、ノイズキャンセル特徴部６０は、イヤホンジャックポート５０プラグ内に配置されていてもよい。このような事例において、ポートシール栓５３はノイズキャンセル特徴部６０を含むように構成され、ノイズキャンセル特徴部６０は例えば閉塞具上側部材５８上に配置された１つ以上の音響入口孔６１を含み、音響入口孔６１はネジ溝部５４の下に配置された音誘導チャネル６２と連通しており、このチャネル６２は音誘導チャネル６２内にこれを横断するように配置された音響膜６３に向かって音を誘導する。このような事例において、ノイズキャンセル特徴部６０は、格納機器のノイズキャンセル特徴部に対して直接的に直線上にある。
【０３３３】
図示したように、ノイズキャンセル特徴部６０ｃは、上側部材２の周囲部２０上に配置された１つ以上の音入口孔６１、音誘導チャネル６２および音響ベント膜６３を含む。音誘導チャネル６２は、収容された電子機器上に設けられたノイズキャンセルマイクに向かって音を誘導するように構成されている。音響ベント膜６３は、音誘導チャネル６２に交差するように配置されていてもよい。
【０３３４】
また、特定の実施形態において、図１３Ｃを参照すれば分かるように、ノイズキャンセル特徴部６０ｃは、パッキン座６４ａ上に配置され得るエコーキャンセルパッキン６４ｂをさらに含んでいてもよく、このパッキン座６４ｂおよびパッキン６４ａはノイズキャンセル特徴部６０ｃの内側周囲を取り囲んでいる。
【０３３５】
例えば、特定の構成においては、ノイズキャンセルマイクを有する携帯電話のような格納機器が、筐体の境界内に完全に封入されている場合、格納機器から発せられた音がノイズキャンセルマイクへと内部反射して、それにより、エコーを生じる可能性がある。例えば、封入機器が携帯電話で音が発せられる場合、回線の向こうで話している人に自分の言葉のエコーが聞こえてしまう場合があり、これは、自分の話し声の音が内部反射するからである。この雑音反射によって、封入機器によるコミュニケーションがとり難くなる。
【０３３６】
このようなエコーを防ぐために、ノイズキャンセル特徴部６０ｃの内部周囲部を取り囲むように、上側部材２の内部周囲部２０ａ上にパッキン６４ｂを配置してもよい。パッキン６４ｂは、圧縮性発泡材料、弾性材料、ゴム材料、その混合物等のようなあらゆる好適な材料からなるものでよいが、内部反射音が封入機器のノイズキャンセルマイク入口に入ってエコーを生じる事を防止するように、封入機器のノイズキャンセルマイク特徴部入口を囲むように配置するべきである。パッキン６４ｂが封入機器のノイズキャンセルマイク入口周辺に適切に配置された状態において、上記エコーは、低減または完全に防止される。さらなる効果として、ノイズキャンセルパッキン６４ｂはパッキン座６４ａ上に配置されていてもよく、このパッキン座６４ａは、パッキン６４ｂが収容機器によりしっかりと当たるように機能する。図１３Ｃ参照。
【０３３７】
従って、図１３Ｃは、図１３Ａのノイズキャンセル特徴部６０ｃの裏返し図である。音誘導チャネル６２を横断する音響ベント膜６３が図示されている。音誘導チャネル６２はエコーキャンセルパッキン座６４ａに取り囲まれており、このパッキン座６４ａ上にエコーキャンセルパッキン６４ｂが配置されている。音誘導チャネル６２はイヤホンジャックポート５０からオフセットされており、このイヤホンポートはポートシール栓５３に取り付けられている。音誘導チャネルはイヤホンジャックポート５０からオフセットされているが、携帯電話などの収容された電子機器の本体上のノイズキャンセルマイクに音を誘導するように構成されている。
【０３３８】
上記のように、図１３Ｃは、ノイズキャンセルパッキン６４ａが設けられた状態のノイズキャンセル特徴部を示す。図示したように、ノイズキャンセルパッキン６４ａはパッキン座６４ｂ内に位置し、ノイズキャンセル特徴部６０ｃの内部周囲部を取り囲み、それにより、内部反射音が収容機器のノイズキャンセルマイク入口に入ってエコーを生じるのを防ぐ。
【０３３９】
図１３Ｄは、図１３Ａのノイズキャンセル特徴部６０ｃの切断図である。ノイズキャンセル特徴部６０ｃは、音入口孔６１、音誘導チャネル６２、音響ベント膜６３、および、パッキン座６４ｂ上に配置されたノイズキャンセルパッキン６４ａを含む。音響ベントはオフセット位置にあり、それにより、そこを通る音の伝達を助ける。上記と同じようにして、音響膜６３を筐体１にオーバーモールド構成で連接させてもよいし、および／または、膜を筐体に固定するために接着剤が含まれてもよい。
【０３４０】
さらなる実施形態において、図１４Ａを参照すれば分かるように、筐体１の外側周囲部は、例えば、ヘッドホンまたはスピーカーアセンブリのようなアクセサリのジャックのようなジャック、または、閉塞具（例えば、栓）などを受けるポート特徴部孔５０を含んでいてもよい。ヘッドホンポート特徴部は、上側および／または下側部材２、３に含まれていてもよい。上記のようなノイズキャンセル特徴部入口孔６１も図示されている。
【０３４１】
図１４Ｂは、図１４Ａのヘッドホンポート特徴部５０の断面図である。ヘッドホンポート特徴部５０は、上側および下側部材２、３の一方または両方に配置される孔境界部材５１を含んでいてもよい。孔境界部材５１は、孔の境界を規定する。境界部材は、ポート特徴部孔５０内に挿入されるように適合化されたポートシール栓５３上のネジ切り領域５４ｂに対応するように構成されたネジ切り領域５４ａを含む。様々な実施形態において、境界部材は、パッキン座およびＯリングのようなパッキンも含んでいてもよい。しかし、図示したように、孔境界部材５１はパッキン座５２を含むが、パッキン座はイヤホンポート栓５３上に配置されたパッキン５５に当接するように構成されている。
【０３４２】
ネジ切り領域５４ａは、ヘッドホンジャック５７のようなアクセサリまたはイヤホンポートシール栓５３のような閉塞具上に設けられた対応ネジ切り領域５４ｂを受けるように構成されていてもよい。従って、好適なヘッドホンジャック５７またはポートシール栓５３のような閉塞具は対応ネジ特徴部５４ｂを含むことになり、パッキン５５をさらに含んでいてもよい。ヘッドホンジャック５７および／またはポートシール栓５３がパッキンを含む場合、孔境界部材５１はパッキン５２ｂを含んでいる必要はなく、代わりに、単に、パッキン座５２およびネジ切り特徴部５４ａを含むことになる。ヘッドホンジャック５７および／または閉塞具がパッキン５５を含まない場合、孔境界部材５１はパッキン座５２ａ、ならびに、パッキン５２ｂおよびネジ切り特徴部５４ａを含むことになる。ネジ切り領域５４ａは、典型的なネジ特徴部として構成されていてもよく、あるいは、カム特徴部として構成されていてもよい。なお、従って、パッキン５２ｂは、孔境界部材５１の筐体内に設けられていてもよいし、イヤホンポート栓５３またはヘッドホンジャック５７上に設けられていてもよい。
【０３４３】
図１４Ｃは、図１４Ａのヘッドホンポート特徴部５０の断面図である。ヘッドホンポート特徴部５０は、上側部材２内に配置された孔５１を含む。図１４Ｃを参照すれば分かるように、特定の事例において、ヘッドホンポート特徴部５０は、下側部材３のクラスプ機構３７に取り付けられるクラスプ機構インターフェース２７と一致するか、あるいは、それを含むように構成されている。しかし、他の実施形態において、ポート特徴部５０は、上側部材２および下側部材３内に完全に配置された孔５１を含み、ポート特徴部５０は、各クラスプ機構２７または３７の上に配置されている。
【０３４４】
例えば、ポート特徴部５０は完全に上側部材２内に配置されていてもよく、この場合、孔が半剛性外側周囲部２０ｂから、剛性内側周囲部２０ａを通って、ケース内部へと延びる。従って、上側部材２の周囲部２０は、ポート特徴部２０の全体を収容するように構成されている。このような事例において、ポート特徴部５０は上側部材２の内側および外側周囲部２０ａ、ｂに亘って延びているが、内側または外側周囲部２０ａ、ｂのいずれかの上に配置された上側部材２のクラスプ機構２７には干渉していない。このような事例において、切欠がクラスプ機構３７に干渉しない限りにおいて、下側部材３の周囲部は、ポート特徴部５０を収容するようにアーチ型切欠領域を含んでいてもよい。
【０３４５】
孔境界部材５１は、パッキン座５２ａおよびパッキン５２ｂの両方（例えば、対応ポート栓５３および／またはジャック５７内に含まれていない場合）と、ネジ切り領域５４ａとを含んでいてもよく、このネジ切り領域５４ａは、ポートシール栓５３上の対応ネジ切り領域５４ｂおよび／またはイヤホンまたはスピーカージャック５７上の対応ネジ切り領域５８を受けるように構成されている。この構成において、イヤホンポートシール栓５３またはジャック５７をヘッドホンポート特徴部５０に取り付けると、防液防汚シールとなり、このシールは、水のような液体および／または汚れがヘッドホンポート５０を通して筐体１に入るのを防ぐ。
【０３４６】
さらに、図１４Ｄを参照すれば分かるように、特定の実施形態において、上側部材２の周囲２０は、ヘッドホンポート特徴部５０のような筐体および／または装着機器の１つ以上の特徴部があるにも係わらず別々の筐体部材２および３がより密に互いに当接できるように段差構成を有していてもよい。
【０３４７】
例えば、上側部材２の内側周囲部２０ａがクラスプ機構２７を含む場合、内側周囲部２０ａおよびクラスプ機構２７は、より低いｄ１から、筐体の側面に沿って、より高いｄ２へと筐体の角部沿いに移行する移行部を有していてもよい。この移行部は、密封シールを得るために全角部に沿って設けられていてもよいし、および／または、ヘッドホンポート特徴部５０のような周囲特徴部の存在に対応するように任意の好適な場所に設けられていてもよい。
【０３４８】
従って、図１４Ｄは、角部側縁の詳細図であり、内側周囲部２０ａおよびクラスプ部材２７の低位から高位への移行部を示しており、この移行部は、必要なクリアランスを与える事によりヘッドホンポート５０の存在に対応している。なお、他のいかなる周囲特徴部と移行部との関係に言及する事なく、この移行部を設ける事が可能であり、その部品に必要な変更を行った上で、移行部を上側または下側部材内に設けてもよい。
【０３４９】
上記のように、筐体１の要素の１つは、ヘッドホンポート５０のようなポート開口部であってもよく、このポート開口部は、ヘッドホン、スピーカー、または他のジャックを含むアクセサリ機器５７と、装着電子機器１００のジャックポート１５０との間のインターフェースとして機能して、それにより、ヘッドホン５７、スピーカージャック等と装着機器１００との間に防液インターフェースを与えるように構成されている。このような事例において、インターフェースは、防液防汚シールである。
【０３５０】
しかし、特定の事例において、防水ジャックインターフェース５７を有するヘッドホン、スピーカー、または他の機器は、筐体１またはそれに連接した装着機器１００に含まれていなくてもよく、あるいは、それに連接していなくてもよい。このような事例において、以下に記載するような防液ジャック５７が筐体のポートに連接していない時、防液防汚シールを維持するために、ポートシール栓５３が筐体１のポート５０に連接していてもよい。
【０３５１】
従って、図１５Ａを参照すれば分かるように、特定の事例において、筐体１の連接ポート５０をシールするためにポートシール栓５３が設けられる。ポートシール栓５３は、上側部材５８を含んでいてもよく、この上側部材は、グリップ特徴部領域５６をさらに含んでいてもよい。ポートシール栓５３は、パッキン５５を有するパッキン領域、および、ネジ溝５４ｂを有するネジ切り領域も含んでいてもよく、このネジ溝は、ジャックポート５０の対応ネジ溝５４ａに取り付けられて、それにより、両者の間に防液防汚シールを形成するように構成されている。なお、ネジ切り領域は、ネジ特徴部またはカム特徴部として構成されていてもよい。
【０３５２】
図１５Ｂを参照すれば分かるように、図１５Ａに図示するネジ切り領域の代わりに、差込みカム特徴部５４ｃのようなカム特徴部を設けてもよい。カム特徴部５４ｃは、ポート５０が対応防液ジャックインターフェース５７に連接していない時、ジャックポートシール栓５３をジャックポート５０に液密シール状態で取り付けるように構成されている。ポートシール栓５３は、グリップ特徴部５６およびパッキン５５を有する上側部材５８をも含む。
【０３５３】
図１５Ｃは、図１５Ｂのポートシール栓５３の背面斜視図である。ポートシール栓５３は、グリップ特徴部５６を有する上側部材５８を含む。ポートシール栓５３は、パッキン５５を有するパッキン領域と、この事例においては凹み領域５４ｃである差込みカム特徴部とを含む。なお、カム特徴部５４ｃがポートシール栓５３に含まれている時、ポートジャック５０のネジ切り領域５４ａの代わりに、対応凸状カム特徴部を使う。
【０３５４】
図１５Ｄは、図１５Ｂのジャックポート栓の別の実施形態の背面図である。ポートシール栓５３は、グリップ特徴部５６を有する上側部材５８を含む。ポートシール栓５３は、パッキン５５を有するパッキン領域と、今度は拡張領域５４ｃを有する差込みカム特徴部とを含む。なお、この拡張カム特徴部がポートシール栓５３に含まれている時、ポートジャック５０のネジ切り領域５４ａの代わりに、対応凹状カム受け特徴部を使う。図１５Ｅ参照。
【０３５５】
図１５Ｅは、筐体１のジャックポート５０であり、このジャックポート５０は、閉塞具５３の対応差込みネジ溝凸状特徴部５４ｃまたは防水ジャック５７のカム凸状特徴部５８に取り付けられるように構成された差込みネジ溝受け特徴部５４ａを有する。この事例において、対応ロック特徴部は差込みカム特徴部として構成されているが、対応ネジ切り領域として構成されていてもよい。差込みカム特徴部５４ｃまたは５８は、栓５３またはジャック５７およびジャックポート５０の間の入口として機能するように構成されている。ジャックポート５０は、栓５３またはジャック５７およびジャックポート５０の間に液密シールを提供するのを助けるために栓５３のパッキン特徴部５５またはジャック５７上のパッキン特徴部５９と相互作用するように構成されたパッキンシール面をも含む。
【０３５６】
図１５Ｆは、イヤホンポートシール栓５３を取り付けていない状態における、本願の筐体１の図である。
【０３５７】
図１５Ｇは、イヤホンポートシール栓５３を取り付けた状態における、本願の筐体１の図である。
【０３５８】
上記のように、筐体の要素の１つは、ヘッドホン、スピーカー、または、他のジャックを含むアクセサリ機器と、装着電子機器のジャックポートとの間のインターフェースとして機能するように構成されたポートであり得る。従って、特定の事例において、ジャックインターフェースを有するヘッドホン、スピーカー、または他のアクセサリ機器は、筐体のジャックポートインターフェースを通してジャックを装着機器のジャックポートに取り付ける事によって防液シールが形成されるように、筐体および／またはそれに連接した装着機器に含まれてそれに連接する。よって、特定の実施形態において、ジャックインターフェースを有するヘッドホン、スピーカー、または他のそのようなアクセサリ機器のような機器が設けられ、この機器のジャックインターフェースは、ジャックおよび筐体のジャックポートインターフェースの間に防液シールを提供するように構成されており、このインターフェースは、防液シールを形成するようにヘッドホン、スピーカージャック等を受けるように適合化されている。
【０３５９】
従って、図１６Ａに図示するように、プラグ（例えば、ジャックインターフェース５７）を有する機器が設けられる。ジャックは、ジャックインターフェース５７および筐体１のジャック−ポート受け特徴部５０の間に液密シールを提供するように構成されている。ジャックは、Ｏリングのようなパッキン５９、および、ネジ切りまたはカム特徴部５８を含んでいてもよい。なお、ジャックインターフェース５７がネジ切りまたはカム特徴部５８を含む場合、対応ネジ切りまたはカム特徴部５４ａが筐体１のジャックポート特徴部５０に設けられることになる。ジャックプラグは、電子機器インターフェースを備えている。
【０３６０】
ジャック電子機器インターフェースまたは栓５７は、ジャックポート５０を通して、収容された電子機器と連接するとともに、筐体１のジャックポート特徴部５０にも連接し、それにより、液密シールを形成するように構成されている。この事例において、ジャック５７はネジ特徴部ロック機構５８として構成されたネジ特徴部５８を含むが、他の実施形態においては、ネジ特徴部は差込みカムロック機構として構成されている。
【０３６１】
図１６Ａを参照して、ジャックインターフェース５７（例えば、プラグ）を有するアクセサリの電子的インターフェースの斜視図を示す。ジャックインターフェース５７は、ジャック５７と筐体１のジャックポート５０受け特徴部との間に液密シールを提供するように構成されている。ジャック５７は、パッキン５９用のパッキン座とネジ切り特徴部５８とを含んでいる。ジャック５７は、電子機器インターフェースをさらに含んでいる。ジャック５７は、電子機器インターフェースをジャックポート５０に通して、これを収容された電子機器に連接させるとともに、筐体１のジャックポート特徴部５０にも連接させ、それにより、液密シールを形成するように構成されている。この事例において、ジャック５７は、ジャックポート５０の対応ネジ切り領域５４ａに当接するように構成されたネジ切り特徴部ロック機構５８を含む。
【０３６２】
図１６Ｂは、ネジ切り栓５３またはネジ切りジャックインターフェース５７を挿入する事ができるネジ切りジャックポート１６の図である。この事例において、ポートシール栓５３は、上記のように取り付けられている。この実施形態において、ジャックポート５０および栓５３は、それぞれ、対応ネジ特徴部ロック機構５４ａおよびｂを有する。ポートシール栓５３は、液密シールを高めるパッキン５５をさらに含んでいる。なお、図１６Ａのジャックのジャック電子機器インターフェース５７を図１６Ｂの筐体１のジャックポート５０内に挿入するには、ポートシール栓５３をジャックポート５０からねじをゆるめて外し、ジャック５７をそこにねじ込まなければならない。
【０３６３】
図１６Ｃは、ジャックインターフェース５７を有する差込みジャック電子機器を示す。ジャックはパッキン５９（例えば、Ｏリング）およびカム特徴部５８を含む。なお、ジャックインターフェース５７がカム特徴部５８を含む場合、対応カム特徴部５４ａが筐体１のジャックポート特徴部５０内に含まれることになる。従って、図１６Ｃに示したように、ジャックインターフェース５７は、ジャックポート５０を通して、収容された電子機器に連接するように構成されており、また、筐体１のジャックポート特徴部５０の対応カム特徴部５４ａに連接して液密シールを形成するように適合化されたカム特徴部５８をも含む。図１６Ｄ参照。
【０３６４】
図１６Ｄは、筐体１のカム作用ジャックポート５０の拡大図である。ジャックポート５０は、カム作用特徴部５４ａを含む。ジャックポート５０は、ポート栓５３またはジャックインターフェースのいずれかを対応ネジ切り特徴部５４ｂまたは５８で受けるように適合化されている。ポート栓５３またはジャックインターフェース５７をジャックポート５０内に受けると、それにより、液密シールが提供される。この液密シールは、栓５３またはジャックインターフェース５７と共にパッキン（例えば、５５または５９）を設ける事により高められる。
【０３６５】
図１６Ｅは、ポートシール栓５３を取り付けた状態における、図１６Ｂの差込みカムジャックポート５０の内部図である。
【０３６６】
図１６Ｆは、ポートシール栓５３を取り付けた状態における、図１６Ｅの差込みカムジャックポート５０の断面内部図である。
【０３６７】
図１７Ａは、本発明の筐体と一緒に使用される防液アダプタおよびケーブルの図である。アダプタは、挿入されるヘッドホン、スピーカージャック、他のアクセサリ等のような典型的な電子機器ジャックインターフェース（例えば、プラグ）を受けるように構成された受け部材または雌部材８８を含む。アダプタは、本願の筐体１の防液ジャックポート５０に取り付けられて、それにより、ジャック５７およびポート５０の間に防液シールを提供する防液ジャック５７または雄部（例えば、プラグ）をさらに含む。
【０３６８】
このようにして、典型的な電子機器ジャックが、液密シール状態で、防液アダプタに連接し、本願の筐体１と共に用いられる。アダプタおよびケーブルの防液ジャック５７部は、ジャックパッキン５９およびネジ切りジャックインターフェース５８を含む。
【０３６９】
アダプタは、防液ジャック５７および／またはポートシール栓５３の一方または両方を受けるように適合化され得る格納ポート８７をさらに含んでいてもよい。格納ポート８７は複数のカバー８９ａおよびｂも含んでいてもよい。なお、上記の説明はアダプタが防液であるとして行ったが、様々な実施形態において、アダプタは防液でなくてもよい。例えば、パッキン（例えば、Ｏリング）５９、および／または、ロック機構（例えば、ネジ溝）５８が設けられていなくてもよい。このような事例において、アダプタは非防水アダプタであってもよい。
【０３７０】
図１７Ｂは、図１７Ａの防液アダプタの他の例を示す。アダプタは、標準的な電子機器ジャックプラグインターフェースを受けるように構成されたイヤホンジャック受け部材８８を含む。アダプタは、防液ジャック５７をも含む。アダプタは、ポート栓格納受け要素８７内のような、防液ジャック５７の一部および／またはポートシール栓５３の一方または両方を受けるように構成された格納ポート８７をさらに含む。図１７Ｂを参照すれば分かるように、第１の事例において、格納要素８８は、栓５３を中に格納した状態で閉じている。第２の事例において、格納要素８８は、栓５３が取り外された状態で、開いている。第３の事例において、格納要素は、ジャックプラグ５７をその中に受けた状態で、閉じている。従って、アダプタは、防水ジャック５７を格納要素８７内に挿入できるように（より高い収納力のために）アダプタ自身が曲げられるように適合化されており、および／または、アダプタは、防液ジャック５７を介して筐体１の防液ポート５０に取り付けられるように適合化されている。
【０３７１】
結果的に、防液ジャック５７は、イヤホンジャックパッキン（例えば、Ｏリング）５９、ならびに、ネジ溝５８のようなロック機構を含む。このようにして、アクセサリをアダプタの雌部８８内に挿入して、アダプタの雄端部５７をケース内に挿入して、格納機器のジャック挿入ポートに連接して、ロック要素５８によって定位置にロックされた状態とすることができる。よって、筐体内に防水状態などで挿入することができないはずのアクセサリプラグを、アダプタを介する事によって、装着機器に電子的に接続できる。これにより、外形を最小限に抑えたジャック−ポートインターフェースを得ることができる。
【０３７２】
図１７Ｃは、本願の筐体１と組み合わせてジャック５７をロックする様々な異なるロック部材の図である。例えば、１つ以上のロックテザー６９ａおよび／またはｂがジャック５７に連接し得る。１つ以上のロックテザー６９ａおよび／またはｂは、カチッと嵌める（図１７Ｃ、１、２、３、４または５参照）事などにより、または、挿入して捻る事により、筐体上の１つ以上の対応ロック要素６９ｃおよび／またはｄに取り付けられるように構成されていてもよい（図１７Ｃ、５、６および／または７参照）。例えば、ロックテザーは、筐体上の対応受け部材上へとスライドするジャック５７の一部であってもよいし（番号１および２参照）、ジャック５７上の対応溝内へとスライドする筐体上のロックテザーであってもよい（番号３および４参照）。特定の事例において、上記ロックテザーのうちの１つ以上は、ロックネジ溝および／またはパッキン等を含んでいてもよい（番号５参照）。他の事例において、ジャック５７は、ジャック羽根６９ａおよびｂをウィング受け部材６９ｃおよびｄ内に挿入して捻って定位置にロックする事などにより、１つ以上のウィング受け部材６９ｃおよびｄに取り付けられるように構成された１つ以上の羽根６９ａおよびｂを含んでいてもよい。例えば、図１７Ｃの参照符号６、７および８参照。
【０３７３】
図１７Ｄは、筐体１内に固定されていない状態において、ポートシール栓５３を固定する様々な方法である。例えば、ポートシール栓５３を、紐６９によって筐体１に繋いでもよい。ポートシール栓５３を、筐体１に内蔵された栓保持レセプタクル１４内に入れてもよい。あるいは、ポートシール栓５３を、アダプタの一部である栓保持レセプタクル８７ａ内に格納してもよい。
【０３７４】
図示したように、ある実施形態において、栓保持レセプタクル８７ａは、プラグ（例えば５７）を挿入できる（例えば、収納しておく時）プラグ受けレセプタクル８７ｂも含んでいてもよい。例えば、特定の実施形態において、防液アダプタ部材は、標準的な電子機器ジャックインターフェース５７を受けるように構成されたイヤホンジャックアダプタ受け部材８８を含む。例えば、一方の端部において、アダプタは、筐体１の防液ポート５０に防液シール状態で取り付けられるように構成された防液ジャック５７を含む。アダプタ部材の他方の端部は、防液ポートシール栓５３を受けるように構成されたポート８７ａ、および、（例えば、アダプタの）ジャックポートインターフェースを受けるように構成されたポート８７ｂの両方を含む収納レセプタクルを含む。図示したように、ポートシール栓５３はポート栓受け部材８７ａに取り付けられ、ジャックインターフェース５７はジャックポート受け部材８７ｂに取り付けられる。
【０３７５】
図１７Ｅは、連接したポート栓格納要素９６を有する防液アダプタ部材の別の実施形態の斜視図である。アダプタは、雌プラグ受け部材のようなジャック受け部材８８と、ポート栓格納要素を有し、不使用時にポートシール栓５３を受けて格納するように適合化された格納装置９６と、液密ジャック５７とを含む。ジャック５７は、イヤホンジャック５７およびイヤホンジャックポート５０の間に水密シールを形成するように構成されたイヤホンジャックである。従って、水密ジャック５７は、ジャック５７のパッキンスタンド上に配置されたＯリングのようなジャックパッキン５９を含む。筐体１のジャックポート５０の対応ネジ切り領域５２に取り付けられるように構成されたジャックネジ切り領域５８のようなネジ切り領域も設けられる。なお、図示したように、ジャックポート５０は、パッキン５９とその上に配置されたネジ切り領域５８とを有するように構成されているが、特定の事例においては、ジャックポート５０は、パッキン（例えば５５）を格納するように構成されていてもよく、ネジ切り領域の代わりに、ジャックおよびジャックポートは対応カム特徴部を有するように構成されていてもよい。
【０３７６】
図１７Ｆは、図１７Ｅのポート栓格納要素９６を有する防水アダプタ部材の拡大斜視図である。アダプタは、ポート栓受け部材８７を有するイヤホンポート栓格納要素９６と、液密イヤホンジャック５７とを含む。液密ジャック５７は、ジャックのパッキンスタンド上に配置されたジャックパッキン５９を含む。水密ジャック５７は、ジャックポート５０の対応ネジ切り領域５４ａに取り付けられるように構成されたジャックネジ切り領域５８も含む。
【０３７７】
図１７Ｇは、栓格納要素９６がアダプタ部材との連接状態から取り外された状態における、図１７Ｅのポート栓格納要素９６を有する防水アダプタ部材の拡大斜視図である。アダプタは、イヤホンジャックアダプタ８８（不図示）と、ポートシール栓５３を受けて格納する受け部８７を有するポート栓格納要素９６と、液密イヤホンジャック５７とを含む。ポート栓格納要素９６は、ポートシール栓５３を受けるように構成された受け部材８７を含む。格納装置９６は、例えば、クラスプ部材を介するなど、取り付けインターフェースを通して、アダプタと連接するようにさらに構成されている。図示したように、ポート栓格納要素９６はアダプタから取り外されており、ポートシール栓５３は格納要素９６の栓ホルダー８７から外されている。水密ジャック５７は、ジャック５７のパッキンスタンド上に配置されたジャックパッキン５９を含む。水密ジャック５７は、ジャックポート５０の対応ネジ切り領域４４ａに取り付けられるように構成されたジャックネジ切り領域５８をも含む。
【０３７８】
図１７Ｈは、非防水アダプタに接合された栓格納要素９６の斜視図である。栓格納要素９６は、ヘッドホンまたはスピーカー機器のような付属機器のケーブルに取り付けられるように構成されたクラスプ部材を含む栓受け部材８７を含み、ポートシール栓５３を格納するための格納要素９６をさらに含む。イヤホンジャックインターフェースは、この実施形態においては、防水インターフェースではない。
【０３７９】
図１７Ｉは、ジャックポートインターフェース部材５７を筐体１の対応ジャックポート５０に取り付けた状態における、本願の防水ジャックポートアダプタを図示している。この実施形態において、アダプタは、筐体１の防液ポート５０に防液シール状態で取り付けられる防液ジャック５７を含む防液アダプタである。上記のように、ジャック５７は、ロック要素５８ならびにパッキン５９（不図示）の両方を含み、これら両方が、ジャック５７およびポート５０の間の防水シールを高める。アダプタケーブルは、防液ポートシール栓５３を受けるように構成されたポート８７含む格納装置９６をさらに含み、ポートシール栓５３はポート栓受け部材８７に取り付けられる。アダプタのプラグ受け部材８８も図示されている。この実施形態において、一対の防水ヘッドホンのようなアクセサリを、防水接続で格納機器に電気的に接続されるように外部アダプタ部材に取り付ける事も可能である。このアダプタは、ポート５０の境界には嵌入できないプラグ部材を有するアクセサリにも、拡張が望まれる場合にも用いる事が可能である。
【０３８０】
図１８Ａに示すような特定の事例において、キーホルダーとして構成された格納要素９６が提供される。格納要素９６は、少なくともキーホルダーに取り付けられるように構成されたキーホルダーインターフェース９８を含み、ラッチカバーが脱着可能であるように設計されている場合などにおいて、複数の格納要素（例えば、ポートシール栓５３を格納する１つの格納要素８７ａと、ラッチカバー７１を格納するもう１つの格納要素８７ｂ）をさらに含む。特定の実施形態において、キーホルダー格納装置９６は、筐体の対応部材を互いに取り外すための道具９７をさらに含んでいてもよい。例えば、筐体１の周囲部に沿って配置されたスロット領域１８のような、筐体２および３の部材間に挿入するように構成された道具９７が設けられてもよい。道具９７をスロット特徴部１８に挿入して捻ると、上側部材２が下側部材３から取り外される。
【０３８１】
図１８Ｂは、図１８Ａのキーホルダー記憶要素９６の側面図である。格納要素９６はキーホルダーインターフェース９８を含み、ポートシール栓５３を格納する格納要素８７ａと、ラッチカバー７１を格納する別の格納要素８７ｂとをさらに含む。キーホルダー格納装置９６は、筐体の対応部材を互いに取り外す道具９７をさらに含む。図示したように、キーホルダー格納装置は開閉可能に構成されており、この実施形態においては、キーホルダー格納装置が開位置にある。
【０３８２】
図１８Ｃは、キーホルダー格納装置９６が閉位置にある状態における、図１８Ｂのキーホルダー格納装置９６を示している。キーホルダー格納装置９６は、キーホルダーインターフェース９８と、ポートシール栓５３を格納する格納要素８７ａと、ラッチカバー７１を格納するもう１つの格納要素８７ｂと、筐体の対応部材を互いに取り外す道具９７とを含む。
【０３８３】
図１８Ｄは、図１８Ｃのキーホルダー格納装置９６の別の図である。
【０３８４】
図１９Ａ−Ｋは、本願の機器の別の実施形態である。従って、図１９Ａ−Ｃは、筐体１の様々な要素を分解して示す分解図である。本実施形態において、筐体１は、上側筐体部材２および下側部材３を含んでいてもよい。さらに、この実施形態において、筐体は、中間構造部材４をさらに含む。上側部材２は、この実施形態において、上側部材２に接合可能な膜として構成された上側表面２５ａを含む。膜２５ａは、音響膜特徴部４４、ビデオカメラの光学的に無色な領域４７、近接センサ４８、およびボタン特徴部４０を含む。上側部材２は、ジャックポート５０ａを含む外側周囲部と、上記のように様々な特徴部要素を受けるように構成された幾つかの切欠領域と、中間部材４に当接するためのインターフェース領域とをさらに含む。
【０３８５】
中間部材４は、上側部材２および下側部材３の両方に当接するように構成されている。中間部材４は、ジャックポート５０ｂ、スライダースイッチ受け孔、およびカメラ部８０を含む。また、スライダースイッチ９０は、中間４および上側部材２のスライダースイッチ受け孔に嵌入するように提供および構成されている。下側部材３は、中間部材４および／または上側部材２に当接するように構成されている。下側部材３は、スライダースイッチ９０に当接するスライダースイッチインターフェース領域を含む。
【０３８６】
上側部材２、中間部材４および下側部材３は、互いに連結されて、それにより、筐体１を形成するように構成されている。この実施形態において、上側部材２、中間部材４および下側部材３のそれぞれは、互いに連結された時に筐体１の近位端に開口部が形成されるように構成されている。上側、中間および下側部材２、３または４のいずれかが、他者とは別体として構成されていてもよいし、一旦接合してしまったら、筐体を破壊したり、液密シールを形成する能力を損なわない限りは取り外しが出来ないように作製されていてもよい。
【０３８７】
しかし、１つ以上の部品（例えば２、３および４）を１つにして筐体１を形成すると、筐体１の近位端に、携帯電話または他の類似機器のような電子機器を受ける事ができるような開口部が含まれる。従って、筐体１の近位端は、脱着可能な近位端部５に取り付けて、それにより、筐体を防液防汚シール状態にシールするようにさらに構成されている。
【０３８８】
なお、ここでは筐体１が３つの構成部品、即ち、上側部材２、中間部材４および下側部材３、を含むように説明しているが、様々な実施形態においては、これらの構成部品のうちの１つ以上を除外したり、および／または、他の構成部品のうちの１つ以上によってその機能を果たすことも可能である。例えば、特定の実施形態において、筐体１は、例えば、上記のような構成に、以下に説明する脱着可能な近位端部５を追加したような構成で、単に、上側部材２および下側部材３を含んでいてもよい。
【０３８９】
他の実施形態において、筐体１は単一の部材を含む、即ち、上側および下側部材は互いに脱着可能ではなく、例えば、以下に説明するように、単一の材料から作製して、脱着可能な近位端部５に脱着可能に取り付けられるように構成されていてもよい。これらの事例のいずれにおいても、筐体が単一の部材から形成されているのか、複数の部材から形成されているかに係わらず、上記の機能的特徴部、ボタン特徴部、スライダースイッチ、ポート、コインスロット等を任意の形態の筐体に含める事が可能である。
【０３９０】
近位端部５は、筐体１に脱着可能に取り付けて、防液、防汚および／または耐衝撃シールを提供する事が可能な限りにおいて、あらゆる好適な構成であり得る。例えば、筐体１の近位部および近位端部５は、筐体２および３の周囲部に対して、上記のように、対応クラスプ機構を有していてもよい。従って、筐体１の近位部および近位端部５のいずれが、上記のような内側および外側周囲部、境界部、チャネルおよび対応クラスプ機構を有していてもよい。なお、また、ここに詳細に記載する構成は近位部に対してのものであるが、この構成は、構成の変更に合わせて筐体の様々な部品に対してそれぞれ変更を加えた上で、遠位端部または側面部に対するものとして変更する事が可能である。
【０３９１】
図１９Ａを参照して図示したように、近位端部材５は、幾つかの異なる要素に取り付けられるように構成されている。例えば、近位端部材５は、音伝達部６０、ならびに、ラッチドアシステム７０に取り付けられるように構成されている。音伝達システム６０は、音響ベント６５ａおよびｂを含む。これらの要素は、対応溝内にスライドして、それにより、音伝達部６０を近位端部５に接合するラッチ６９を介して互いに連結する事が可能である。ラッチドアアセンブリは、剛性補強材７２、パッキン７８、ならびに、ラッチドア７１ｂを含む。これらは、近位端５に配置される対応ラッチドアオリフィス７１ａにカチッと嵌める事ができる。このようにして、筐体アセンブリ１を組み立てて、近位端部５を組み立てた後、電子機器１００を筐体１内に挿入して、端部５を取り付けて、筐体を防液シール状態でシールする事が可能である。例えば、図１９Ｃ−Ｆ参照。
【０３９２】
図１９Ｂは、図１９Ａの機器の別の分解図である。本願の筐体１は、上側筐体部材２、中間部材４および下側部材３を含んでいてもよい。上側部材２は、上側表面膜２５を含む。膜２５は、音響膜特徴部４４およびボタン特徴部４０を含む。上側部材２は、ジャックポート５０およびスライダースイッチ孔の両方を有する外側周囲部２０をさらに含む。
【０３９３】
中間部材４は、上側部材２および下側部材３の両方に当接するように構成されている。中間部材４は、ジャックポート５０ｂ、スライダースイッチ受け孔およびカメラ部８０を含む。スライダースイッチ９０およびボリュームトグル９９も、中間４および上側部材２のスライダースイッチ受け孔に嵌入するように提供および構成されている。下側部材３は、中間部材４および／または上側部材２に当接するように構成され、レンズ８４等を有するカメラ特徴部８０をさらに含む。下側部材３は、スライダースイッチ９０に当接するスライダースイッチインターフェース領域、ならびに、ポート開口部５０ｃを含む。
【０３９４】
上側部材２、中間部材４および下側部材３は、互いに連結されて筐体１を形成するように構成されている。上側２、中間４、および下側３部材のそれぞれは、互いに連結された時に、筐体１の近位端に開口部が形成されるように構成されている。この開口部は、防液、防汚および／または耐衝撃シールが形成されるように、近位端部材５に取り付けられるように構成されている。
【０３９５】
筐体１は、液密シール状態で近位端部５に取り付けられる。端部５は、音響チャネル６６ａおよびｂおよび音響ベント６５を有する構造的枠組６７、ならびに、ラッチ特徴部７０の両方を含む、音伝達部６０のような、１つ以上の特徴部を含むように構成されていてもよい。音響膜特徴部は、音チャネル６６ａおよびｂを内蔵する強い枠組６７を含む。音チャネルは、マイク音響ベント膜６５ａを内蔵するマイク音響ベント部６６ａを形成し、スピーカー音響チャネルを形成し、スピーカー音響ベント膜６５ｂを有するスピーカー音響ベント部６６ｂをさらに含む。ラッチ特徴部７０は、パッキン７３を含むラッチカバー７１ａを含む。また、端部５は、音響膜特徴部を端部５に固定するための一対のラッチを含んでいてもよい。筐体１および／または端部材５は、上側２、中間４、および／または下側部材３に当接する下部シール部材（例えば、パッキン１５）をも含む。
【０３９６】
従って、図１９Ａおよび１９Ｂを参照して、筐体部材は互いに連結されるように適合化されており、従って、上側部材２、下側部材３、また任意に中間部材４および／または近位端部５を含む。図示したように、端部５は、１つ以上の音伝達特徴部（例えば、音響膜特徴部６５ａおよびｂ）、およびラッチ特徴部７０のような複数の特徴部に当接するように構成されている。音伝達特徴部は、マイク音響膜６５ａおよびスピーカー音響膜６５ｂのような複数の音響膜を含む音響膜特徴部として構成されている。ラッチ特徴部７０は、パッキン７３を含み、また、筐体１の近位端部５または近位部内に配置され得る剛性補強材領域７２に当接するようにさらに構成されたラッチカバー７１ｂ含む。
【０３９７】
また、図示したように、音響チャネル特徴部６０は、音響チャネル特徴部６０を端部５に固定する１つ以上の（例えば、一対の）ラッチ、および／または、そのシールを高めるパッキンを含んでいてもよい。筐体１は近位端部５を受けるように構成されており、従って、筐体１および端部５は対応クラスプ機構を有し、また、筐体１の端部５とのシールを高めるためにパッキン（例えば、Ｏリング）をさらに含んでいてもよい。ポート５０を介して筐体１に取り付けられる、上記のような防液アダプタ部材も図示されている。この事例において、ラッチ部材７０ｂは脱着可能であり、別の（上記のような）格納要素も設けてもよい。
【０３９８】
図１９Ｃは、本願の筐体を組み立てる方法の一例である。例えば、筐体１は、単一の枠組部として、あるいは、上記のように、組み立てて単一の複合枠組部となる複数の枠組部として作製されてもよい。この枠組部に加えて、上側表面膜２５を接合する。無論、筐体１は、２つの部材（例えば、上側および下側部材）を有するように、あるいは、上記のように２つより多い部材（例えば、上側、中間および下側部材）を有するように構成されていてもよい。また、筐体１は、端部（例えば、近位または遠位端部５）に取り付けられるように構成されている。無論、筐体１は、代替的な実施形態においては、同様にして側面部材に取り付けられるように構成されていてもよい。図１９Ｃを参照して、筐体１は、端部５に取り付けられる事によって液密シールを形成するように適合化されている。
【０３９９】
よって、筐体１および端部５は、上記のように互いに連結する事ができる独立片として作製されてもよい。例えば、筐体１および端部５は、上記のような対応クラスプ機構を有していてもよい。筐体１と端部５とを連結した（取り付けた）時に液密シールが形成されるように、この境界部にチャネルおよび／またはパッキンをも設けてもよい。例えば、端部は、パッキンを接合できる溝またはチャネルまたは他の形態のパッキン座を有するプラグ部として構成されていてもよい。端部５を筐体１内にスライドすると、パッキンが圧縮され、それにより、防液シールが提供される。従って、クラスプ機構、チャネル、および／またはパッキンは、完全にまたは部分的に、筐体１の開口部の周囲部および／または端部５（例えば、端部５の筐体当接部材において）を取り囲んでいてもよい。
【０４００】
上述のように、筐体１は、互いに連結されて、それにより、端部材５に取り付けられる開口部を一方の端部に有する筐体１を形成するように構成された２つの別々の半片（例えば、上側部材２および下側部材３）を有するように作製されていてもよい。同様に、上側部材２５は、好適な膜部材から独立して作製して、その後、完成した筐体１に接合してもよいし、オーバーモールド処理などで筐体１と同時に作製してもよい。
【０４０１】
従って、膜２５は、接着剤などにより接着する、および／または、上記のようなオーバーモールド方式のような、あらゆる好適な方法によって筐体と連接し得る。膜２５は、接着剤を用いてインモールド処理中に、あるいは、オーバーモールドなどによって上部膜に接着され得るタッチ膜のような、膜２５と連接した１つ以上の追加的要素をさらに含み得る。筐体の下側部材３は、その上にグラフィックデカールが配置され得るＰＥＴフィルムのようなフィルムにさらに連接していてもよい。特定の事例において、フィルムは耐傷フィルムであり得る。
【０４０２】
図１９Ｄは、連接した端部５および膜２５を有する本願の筐体１の斜視図である。上記の様々な機能的特徴部要素は全て、筐体１、端部５、および／または膜２５に上記のようにして追加する事ができる。この実施形態においては、筐体１が組み立てられ、端部５が筐体１に取り付けられて閉位置にある。
【０４０３】
図１９Ｅは、図１９Ｄの筐体１の底部の斜視図である。筐体１の下側表面は、透明膜３５を含む。膜は、上側表面膜２５に関して上記したように、筐体に接合することができる。筐体１は、端部５をさらに含み、筐体１内に格納された電子機器１００に両方が取り付けられている。端部５は筐体１の本体に連接しており、従って、閉位置にあって、それにより、防液、防汚および耐衝撃シールを形成している。従って、筐体１は、電子機器１００を格納し、過酷な天候、水のような液体との接触、および／または落下による衝撃による損傷から機器を保護する。
【０４０４】
この実施形態において、筐体は、その中に格納する装着機器と比べて、幅、長さ、厚さがそれ程大きくはない。例えば、筐体の厚さは、筐体の材料に依るが、約４．５または約３．５ｍｍ以下、例えば、約３または約２．５ｍｍ、例えば、約２ｍｍまたは約１．５ｍｍ（約１ｍｍまたは約０．９ｍｍ以下を含む）、例えば約０．７５ｍｍから約０．５ｍｍであり得る。また、図１９Ｅに示すように、機器が筐体内に格納された時の、機器に対する筐体の幅寸法は、約０．５ｍｍまたは約０．７５ｍｍから約３．５ｍｍまたは約４ｍｍだけ機器よりも大きい、例えば、約１ｍｍまたは約１．５ｍｍから約３ｍｍまたは約２．５ｍｍだけ大きい、例えば、約２ｍｍだけ機器よりも大きくてよい。
【０４０５】
また、図１９Ｅに示すように、機器が筐体内に格納された時の、機器に対する筐体の長さ寸法は、筐体の材料およびどの周囲特徴部が設けられるかに依るが、約１ｍｍまたは約２ｍｍから約２０ｍｍまたは約１５ｍｍだけ機器よりも大きい、例えば、約３ｍｍまたは約４ｍｍから約１２ｍｍまたは約１０ｍｍだけ大きい、例えば、約７．５ｍｍまたは約５ｍｍだけ格納機器よりも大きい。例えば、全く周囲特徴部が設けられない場合、筐体の長さ、幅および厚さは、格納機器と比べて、約１ｍｍ未満、例えば、約０．９ｍｍ未満（約０．７５または０．５ｍｍ未満を含む）だけ大きいもとなり得る。
【０４０６】
図１９Ｆは、図１９Ｅの筐体１の底部の斜視図である。筐体１の下側表面は、透明膜３５を含む。筐体２５の前面は透明膜２５をも含んでいる事が分かる。筐体１は、端部５をさらに含み、電子機器に両方が取り付けられている。部材５に取り付けられた筐体１が機器を格納する。図示したように、筐体１および端部５は互いに取り外されており、従って、開位置にある。
【０４０７】
図１９Ｇは、図１９Ｅの筐体１の上部の斜視図である。筐体１の上側表面は、連接したボタン特徴部４０を有する膜２５、ならびに、上記の他の特徴部を含む。ボタン特徴部４０は装着機器のボタン特徴部と位置合わせされており、それにより、ナビゲーションボタンの操作が可能になっている事が分かる。筐体１は端部材５に取り付けられ、従って、筐体１が閉位置にあり、電子機器を格納しているように図示されている。さらに、筐体１は、例示的な電子機器の隣に配置されており、それにより、機器と比べた筐体１の長さ、幅および厚さが分かるようにしている。
【０４０８】
図１９Ｈは、図１９Ｇの筐体１の上部の斜視図である。筐体１の上側表面は、連接したボタン特徴部４０を有する透明膜２５、ならびに、上記の他の膜特徴部を含む。筐体１は、電子機器に取り付けられた端部５をさらに含む。筐体１は、機器を格納する。図示したように、筐体１および端部５は、互いに取り外されており、従って、開位置にある。なお、端部５は、端部５を筐体１にさらにラッチし、それにより、密封シールができるようにするために、両側面に配置されたさらなるラッチ機構を有する。筐体１は、端部５のラッチ機構を受けてこれを固定するためのラッチ受け部材をさらに含む。この構成を逆にしてもよい事は言うまでもない。
【０４０９】
図１９Ｉは、図１９Ｈの筐体１の上側端部の拡大図である。筐体１は、透明下部膜部３５、ならびに、カメラ孔８０およびそれに連接したポート栓５３を有するポート５０を含む事が分かる。
【０４１０】
図１９Ｊは、図１９Ｉの筐体１の上側端部からの斜視図である。筐体１は、透明下部膜部３５、ならびに、カメラ孔８０およびそれに連接したポートシール栓５３を有するポート５０を含む事が分かる。
【０４１１】
図１９Ｋは、様々なデカールが様々な場所に配置された筐体１ａ−ｄである。例えば、上側部材２の前面膜２５は、光学的にマスクされた領域を含むように適合化されていてもよく、この領域は、デカールのような視覚的特徴部の形態であってもよいし、デカールのような視覚的特徴部を追加的に含むものであってもよい。よって、筐体に、作製後に、例えば、接着剤コート層または他の接合機構によって１つ以上のデカールを追加してもよいし、作製プロセス中に１つ以上のデカールを追加してもよい。
【０４１２】
なお、図１９Ｌを参照して、様々な事例において、上側部材は、接着剤層を含み、それにより、上側部材が、筐体の上側部材の周囲、ならびに、電子機器の上側表面に直接付与され、それらを覆うことによりケースの防液シールを提供し得る層を備えていてもよい。
【０４１３】
図２０Ａ−Ｃは、本願の筐体のさらなる局面を示す。図２０Ａおよび２０Ｂを参照すれば分かるように、本願の筐体は、格納および搬送が可能であれば事実上何でも格納できるように構成されていてもよい。図２０Ａは、ブリーフケース、スーツケース、メッセンジャーケース等のようなケースの形態の筐体１である。図２０Ｂは、保存容器、保冷器、保温器等の形態の筐体１である。保存容器２０Ｂは、食物、液体、氷、紙、ノート、本、家庭用品、業務用品、事務用品、医療用品、スポーツ用品、衣服、壊れやすいアイテム、貴重品等のような環境から保護する必要があるあらゆる物を格納するように構成され得る。図２０Ａおよび２０Ｂの筐体は、それぞれ、上記のような各クラスプ機構２７および３７を含む上側部材２および下側部材３を含んでいる。チャネル１０およびパッキン１５は、上側部材２にも配置され得るが、この事例においては、下側部材にも設けられる。図２０Ａの上側部材２は、ヒンジ要素１１を介して下側部材３に接続されている。このような実施形態においては、クラスプ機構、チャネル、および／またはパッキンが上側および下側部材の周囲を完全に取り囲む必要はないが、様々な実施形態において、１つ以上のクラスプ機構、チャネルおよびパッキンは、例えば、各上側および／または下側部材２、３の周囲部全体を取り囲む。図２０Ｂを参照すれば分かるように、上側部材２は、下側部材３から完全に取り外せるように構成されている。この事例において、クラスプ機構２７および３７は上側および下側部材２、３の周囲部全体を取り囲み、チャネル１０およびパッキン１５は下側部材３の周囲部を完全に取り囲んでいる。
【０４１４】
図２０Ｃを参照すれば分かるように、上側および下側部材２、３のシールをさらに強固にするために、図２０ＡまたはＢの筐体のいずれにおいても、さらなるラッチ機構を設けてもよい。このラッチ機構は、上側部材２の下側部材３への取り付けおよび／または固定を助ける事ができる限りにおいて、どのような構成であってもよい。例えば、ラッチ機構は、当該分野において一般的に知られているものであってもよい。特定の実施形態において、錠鍵機構、コンビネーション機構、フープ機構のような外部ロックを追加する事を可能にするような、当該分野において既知のロック機構等を含んでいてもよい。
【０４１５】
ある局面において、ここに記載した筐体１の製造方法を記載する。この方法は、互いに連結されて防水防汚筐体を形成するように下側部材および上側部材を独立して製造する工程を含む。上記のように、筐体１は幾つかの構成部品を含む。第１に、様々な実施形態において、本願の筐体１は、上側部材２および下側部材３を含む。しかし、より厳密には、上側部材２とは、より具体的には、その上にラッチ機構２７が構成された周囲部２０である。下側部材は、前面および後面、ならびに、様々な事例において、チャネルおよびクラスプ機構３７が配置された周囲部を含む。クラスプ機構は、対応したものになるように、また、上側および下側部材を互いにロックする機能を果たすように構成されている。
【０４１６】
上側２部材周囲部２０および下側部材３は、当該分野において周知の方法に従って、あらゆる好適な方法で製造され得る。例えば、好適な上側部材周囲部２０および下側部材３は、射出成形などの成形によって製造され得る。鋳造および／または機械加工のような、他の好適な成形および／または作製技術を用いてもよい事は言うまでもない。上記のように、上側部材周囲部２０はあらゆる好適な材料からなるものでもよいが、典型的には、ポリカーボネートのような硬いプラスチックのような剛性または半剛性材料からなる。同様に、下側部材は、プリプロピレンのような剛性、半剛性または可撓性材料などのあらゆる好適な材料からなるものでもよい。
【０４１７】
ここに詳細に記載したように、上側部材２および下側部材３は共に、様々な追加的特徴部を有しており、これらの特徴部は、様々な好適な方法（その一例をここに記載している）で上側部材２および下側部材３上に製造され得る。例えば、図３Ｌおよび３Ｍに示すような特定の実施形態において、下側部材は、内部歯レセプタクル１３ｂを有するチャネル１０を含み、上側部材は、その周囲上に歯１３ａを含む。チャネル１０は、（例えば、工具によって）その中に設けられた全周に延びる溝のようなクラスプ機構を有する外側周囲部３０ｂを含み、また、内側接着部材２０ａをさらに含む。
【０４１８】
チャネル１０は、プリプロピレン材料を好適なモールド内に注入し、チャネルを形成し、内側境界部材２０ａに食い込んでチャネル１０内に部分的に入るようにチャネル上に１つ以上のスライド要素（例えば、スライダー）を配置する射出成形処理で製造されてもよい。例えば、下側部材３のチャネル１０の内側周囲部２０ａの歯レセプタクル１３ｂは、下側部材をモールドに注入して挿入温度まで冷却すると下側部材３の中央部において内側境界部材２０ａの外側に位置するスライダーのようなアンダーカット特徴部を製造する事ができる複数の要素を用いて製造され得る。ある実施形態においては５つのスライダーを用いるが、構成に応じてより多くのまたはより少ないスライダーを用いてもよい。スライダーは下側部材の内側周囲部の周りに配置され、成型された下側部材が冷めるにつれて、スライダーが（例えば、順番に、下側部材３の中央に向かって内向きに）動き、歯レセプタクル１３ｂを形成し、その後、スライダーは上向きに退避する。従って、スライダーは、下に下がり、内側方向に横移動し、外側方向に横移動し、そして、退避する。
【０４１９】
上側部材２の周囲部２０は、ポリカーボネートを好適なモールドに注入する事によっても製造できる。成型して適切に冷却した後、上記のような切欠工具を用いて、様々なポート、スイッチまたはボタン開口部のような１つ以上の孔を形成してもよい。好適な接着剤によって、および／または、オーバーモールドによって、上記のような様々な音の入口／出口孔を覆うように、好適な水不透過性ベント材料を配置してもよい。
【０４２０】
冷却後、例えば、感圧または感熱接着剤のような接着剤を用いて上側表面膜２５を接合してもよい。膜２５は、ポリカーボネート枠の上側表面部に、または、その下にある上側表面部に接合してもよい。特定の実施形態において、上記のようなオーバーモールド処理を用いるなどして、ポリカーボネート枠に、上側部材２の外側周囲部２０ｂを追加する。このようにして、上記の特徴部を有する上側部材２を製造できる。
【０４２１】
さらに、上記のように、上側表面膜２５は、幾つかの特徴部を含んでいてもよい。これらの特徴部は、成形、パンチング、および／または、切断によって膜２５に設けられてもよい。例えば、ボタン特徴部４０を切断によって膜２５に設けて、その部品をその中で組み立ててもよいし、あるいは、膜２５の凹み領域として熱成形してもよい。レンズ特徴部４７をパンチングによって設けてもよいし、および／または、音伝達部４４を切断によって膜に設けて、連接要素を好適な接着剤などにより接合してもよい。
【０４２２】
これらの特徴部を形成した後、全ての孔がシールされているか、プラグが刺さっているか、あるいは他の方法で覆われている事を確実にするように、不透過性のベント材料、スクリム、スクリーンおよびパッキンのような好適な連接要素を、手動または機械で追加してもよい。なお、音伝達チャネル６０（例えば、マイクまたはスピーカーチャネル）に関しては、ベント材料６５が、オーバーモールド材料６７および／またはグリル材料６８の一方または両方でオーバーモールドされ得る。従って、ベント材料は、上記のオーバーモールド処理の前に追加する事ができる。なお、様々なスクリーンの組み立ておよびその接合には、糊、感圧式または感熱式あるいは他の好適な接着剤のような好適な接着剤を追加する事、および／または、オーバーモールド処理の１つ以上が含まれ得る。また、筐体が前面膜２５を含まない場合、上記のベント材料、スクリーンまたはプラグのうちの１つ以上を、接着剤（例えば、水不透過性ベントとして機能するように構成されたステッカー）を使って、または、圧縮性プラグ要素等を使うなどして、格納する機器に直接付与してもよい事は言うまでもない。
【０４２３】
これらの特徴部を形成した後、好適に形成された充電ポートドア特徴部７０およびイヤホンポートカバー５３を組み立てて、パッキンを追加して、その後、それぞれ上側および下側部材に取り付けて、上側部材を下側部材に取り付ける事により筐体１を形成してもよい。
【０４２４】
図２１は、前面膜２５を本願の筐体１の上側部材２の周囲部２０に接合する方法に用いられ得る治具装置５００である。治具５００は、内側方向および外側方向に横移動可能な移動筐体係合部材５０１を含む。係合部材５０１は、筐体の周囲部２０が嵌入できるように構成されている。治具５００は、係合要素５０１を内側方向および外側方向に動かして、周囲部２０を圧縮または伸張するのに用いられ得る張力要素５０２をさらに含む。治具はまた、治具を定位置に固定する機能を果たす固定ボルト５０３を含む。
【０４２５】
使用時、特定の実施形態において、成形周囲部２０を可動係合部材５０１に挿入する。係合部材５０１は周囲部２０に接触し、張力要素５０２に係合し、それにより、周囲部２０の内部寸法を圧縮する（例えば、側面を内側方向に圧縮する）。その後、好適に成形された膜材料２５を周囲部２０に接合する（例えば、感圧または感熱接着剤のような好適な接着剤を用いて）。この事例において、膜２５は、圧縮状態で周囲部２０に接合するように構成されている。接合後、張力要素５０２を調節して張力を緩め、その後、周囲部２０を治具５００から外してもよい。張力解除後、周囲部２０は圧縮前寸法に戻る事になり、それにより、膜２５は伸びる。このようにして、上側表面膜２５が表面全体に亘ってピンと張って平坦な状態で、周囲部２０および上側表面膜２５を有する上側部材２を製造する事ができる。また、接合後、より可撓性のあるゴムまたはＴＰＥ材料で、周囲部２０ａおよび膜２５をオーバーモールドして好適な外側周囲部を形成してもよい。従って、この処理によって、平坦で、滑らかで、且つ、タッチに対する応答性が良く、それにより、格納機器のユーザーインターフェースをより効率的で、使いやすく、楽しみやすくするような前面膜２５インターフェース領域を有する上記の上側部材２が得られる。
【０４２６】
上述の図面は本願の装置の例示的な構成を示し得るものであり、それは、ここに記載の筐体に含まれ得る特徴部および機能性を理解する一助とすべくなされている。本装置は、図示した構造または構成に限定されず、他の様々な構造および構成を用いて実現可能である。さらに、本装置を様々な例示的な実施形態および実例に関して記載したが、様々な特徴部および機能性を１つ以上の個別の実施形態において記載しているが、それら特徴部および機能性は、単独あるいは互いに組み合わせて、そのような実施形態が記載されているかどうかに係わらず、また、記載された実施形態の一部としてそのような特徴部が提示されているかどうかに係わらず、本願の１つ以上の他の実施形態に適用可能である事は言うまでもない。従って、本願の範囲は、特に下記請求項において、上記の例示的な実施形態にいずれにも限定されるものではない。
【０４２７】
本書で使用されている用語および語句、ならびにそのバリエーションは、特に明記しない限り、限定的ではなく広い意味に解釈されるものとする。その一例として、用語「含む」は「〜を含む（それらに限定はされない）」のような意味に解釈されるものであり、用語「例」は、網羅的または限定的なリストではなく当該アイテムの例示的な事例を示すために用いられており、「従来の」、「既存の」、「標準的な」、「既知の」のような形容詞、およびこれに類する意味の用語は、記載されたアイテムを特定の時間に限定したり、特定の時間に利用可能であるアイテムに限定したりするのではなく、現在または未来における任意の時点において利用可能または既知であり得る、従来の、既存の、通常の、または、標準的な技術を包含するものとして解釈されるものである。同様に、一連のアイテムが「および」で繋がれている場合、そのグループ内に１つ１つのアイテムが全て存在しなければならないと解釈するのではなく、特に明記しない限り、「および／または」と解釈されるものである。同様に、一連のアイテムが「または」で繋がれている場合、そのグループ内において排他性が要求されると解釈するのではなく、特に明記しない限り、「および／または」と解釈されるものである。さらに、本願のアイテム、要素または部品は、明細書本文または請求項において単数形で記載している場合もあるが、特に単数である事を明記していない限り、複数形も本願の範囲内であるものとする。「１つ以上の」、「少なくとも」、「限定はされない」あるいは他の類似する語句など、意味を広げる単語および語句をいくつかの場合において使用しているが、そのような意味を広げる語句を用いていない場合にはより狭い意味が意図または要求されていると解釈されるものではない。さらに、範囲を記載している場合、範囲の上限および下限は、範囲内の中間単位の全てを包含する。
【０４２８】
ここまでの記載は、添付の請求項の範囲によって規定される本願の範囲を例示するものであり、それを限定するものではない。他の実施形態も、以下の請求項の範囲内である。
【図１Ａ】
0005914502.tif 000002
【図１Ｂ】
0005914502.tif 000003
【図１Ｃ】
0005914502.tif 000004
【図１Ｄ】
0005914502.tif 000005
【図２Ａ】
0005914502.tif 000006
【図２Ｂ】
0005914502.tif 000007
【図２Ｃ】
0005914502.tif 000008
【図３Ａ】
0005914502.tif 000009
【図３Ｂ】
0005914502.tif 000010
【図３Ｃ】
0005914502.tif 000011
【図３Ｄ】
0005914502.tif 000012
【図３Ｅ】
0005914502.tif 000013
【図３Ｆ】
0005914502.tif 000014
【図３Ｇ】
0005914502.tif 000015
【図３Ｈ】
0005914502.tif 000016
【図３Ｉ】
0005914502.tif 000017
【図３Ｊ】
0005914502.tif 000018
【図３Ｋ】
0005914502.tif 000019
【図３Ｌ】
0005914502.tif 000020
【図３Ｍ】
0005914502.tif 000021
【図４Ａ】
0005914502.tif 000022
【図４Ｂ】
0005914502.tif 000023
【図４Ｃ】
0005914502.tif 000024
【図４Ｄ】
0005914502.tif 000025
【図４Ｅ】
0005914502.tif 000026
【図４Ｆ】
0005914502.tif 000027
【図４Ｇ】
0005914502.tif 000028
【図４Ｈ】
0005914502.tif 000029
【図４Ｉ】
0005914502.tif 000030
【図４Ｊ】
0005914502.tif 000031
【図４Ｋ】
0005914502.tif 000032
【図４Ｌ】
0005914502.tif 000033
【図４Ｍ】
0005914502.tif 000034
【図４Ｎ】
0005914502.tif 000035
【図５Ａ】
0005914502.tif 000036
【図５Ｂ】
0005914502.tif 000037
【図５Ｃ】
0005914502.tif 000038
【図５Ｄ】
0005914502.tif 000039
【図６Ａ】
0005914502.tif 000040
【図６Ｂ】
0005914502.tif 000041
【図６Ｃ】
0005914502.tif 000042
【図６Ｄ】
0005914502.tif 000043
【図６Ｅ】
0005914502.tif 000044
【図６Ｆ】
0005914502.tif 000045
【図６Ｇ】
0005914502.tif 000046
【図６Ｈ】
0005914502.tif 000047
【図７Ａ】
0005914502.tif 000048
【図７Ｂ】
0005914502.tif 000049
【図７Ｃ】
0005914502.tif 000050
【図８Ａ】
0005914502.tif 000051
【図８Ｂ】
0005914502.tif 000052
【図８Ｃ】
0005914502.tif 000053
【図８Ｄ】
0005914502.tif 000054
【図８Ｅ】
0005914502.tif 000055
【図８Ｆ】
0005914502.tif 000056
【図８Ｇ】
0005914502.tif 000057
【図８Ｈ】
0005914502.tif 000058
【図８Ｉ】
0005914502.tif 000059
【図８Ｊ】
0005914502.tif 000060
【図９Ａ】
0005914502.tif 000061
【図９Ｂ】
0005914502.tif 000062
【図９Ｃ】
0005914502.tif 000063
【図９Ｄ】
0005914502.tif 000064
【図９Ｅ】
0005914502.tif 000065
【図９Ｆ】
0005914502.tif 000066
【図９Ｇ】
0005914502.tif 000067
【図９Ｈ】
0005914502.tif 000068
【図９Ｉ】
0005914502.tif 000069
【図９Ｊ】
0005914502.tif 000070
【図９Ｋ】
0005914502.tif 000071
【図１０Ａ】
0005914502.tif 000072
【図１０Ｂ】
0005914502.tif 000073
【図１０Ｃ】
0005914502.tif 000074
【図１０Ｄ】
0005914502.tif 000075
【図１０Ｅ】
0005914502.tif 000076
【図１０Ｆ】
0005914502.tif 000077
【図１０Ｇ】
0005914502.tif 000078
【図１０Ｈ】
0005914502.tif 000079
【図１０Ｉ】
0005914502.tif 000080
【図１０Ｊ】
0005914502.tif 000081
【図１０Ｋ】
0005914502.tif 000082
【図１０Ｌ】
0005914502.tif 000083
【図１０Ｍ】
0005914502.tif 000084
【図１１Ａ】
0005914502.tif 000085
【図１１Ｂ】
0005914502.tif 000086
【図１１Ｃ】
0005914502.tif 000087
【図１１Ｄ】
0005914502.tif 000088
【図１１Ｅ】
0005914502.tif 000089
【図１１Ｆ】
0005914502.tif 000090
【図１１Ｇ】
0005914502.tif 000091
【図１２Ａ】
0005914502.tif 000092
【図１２Ｂ】
0005914502.tif 000093
【図１２Ｃ】
0005914502.tif 000094
【図１２Ｄ】
0005914502.tif 000095
【図１３Ａ】
0005914502.tif 000096
【図１３Ｂ】
0005914502.tif 000097
【図１３Ｃ】
0005914502.tif 000098
【図１３Ｄ】
0005914502.tif 000099
【図１４Ａ】
0005914502.tif 000100
【図１４Ｂ】
0005914502.tif 000101
【図１４Ｃ】
0005914502.tif 000102
【図１４Ｄ】
0005914502.tif 000103
【図１５Ａ】
0005914502.tif 000104
【図１５Ｂ】
0005914502.tif 000105
【図１５Ｃ】
0005914502.tif 000106
【図１５Ｄ】
0005914502.tif 000107
【図１５Ｅ】
0005914502.tif 000108
【図１５Ｆ】
0005914502.tif 000109
【図１５Ｇ】
0005914502.tif 000110
【図１６Ａ】
0005914502.tif 000111
【図１６Ｂ】
0005914502.tif 000112
【図１６Ｃ】
0005914502.tif 000113
【図１６Ｄ】
0005914502.tif 000114
【図１６Ｅ】
0005914502.tif 000115
【図１６Ｆ】
0005914502.tif 000116
【図１７Ａ】
0005914502.tif 000117
【図１７Ｂ】
0005914502.tif 000118
【図１７Ｃ】
0005914502.tif 000119
【図１７Ｄ】
0005914502.tif 000120
【図１７Ｅ】
0005914502.tif 000121
【図１７Ｆ】
0005914502.tif 000122
【図１７Ｇ】
0005914502.tif 000123
【図１７Ｈ】
0005914502.tif 000124
【図１７Ｉ】
0005914502.tif 000125
【図１８Ａ】
0005914502.tif 000126
【図１８Ｂ】
0005914502.tif 000127
【図１８Ｃ】
0005914502.tif 000128
【図１８Ｄ】
0005914502.tif 000129
【図１９Ａ】
0005914502.tif 000130
【図１９Ｂ】
0005914502.tif 000131
【図１９Ｃ】
0005914502.tif 000132
【図１９Ｄ】
0005914502.tif 000133
【図１９Ｅ】
0005914502.tif 000134
【図１９Ｆ】
0005914502.tif 000135
【図１９Ｇ】
0005914502.tif 000136
【図１９Ｈ】
0005914502.tif 000137
【図１９Ｉ】
0005914502.tif 000138
【図１９Ｊ】
0005914502.tif 000139
【図１９Ｋ】
0005914502.tif 000140
【図２０Ａ】
0005914502.tif 000141
【図２０Ｂ】
0005914502.tif 000142
【図２０Ｃ】
0005914502.tif 000143
【図２１】
0005914502.tif 000144